(57)【要約】      （修正有）【課題】ポータブル聴取デバイスを充電及び保持するためのケースを提供する。【解決手段】ポータブル聴取デバイス用のケース１００は、ハウジング１０５及び蓋１２０を有する。蓋は、枢動可能なジョイント３０５によってハウジング１０５に取り付けられており、複数の磁気要素を採用したオーバーセンター機構によって開放位置と閉鎖位置との間で動作する。ケース１００は、一対のイヤホン１１５ａ、１１５ｂと様々な電子回路を保持し、スピーカ磁石３２５と磁気プレート３３０のいずれか又は両方は、ケース１００内に配置した少なくとも１つのハウジング磁気コンポーネント１３０に引き付けられる。【選択図】図３
2018110417.tif 000002
【特許請求の範囲】
【請求項１】
ポータブル聴取デバイス用のケースであって、
前記ポータブル聴取デバイスを受容するように構成されたキャビティを有するハウジングと、
前記ハウジングに取り付けられた蓋であって、前記蓋が前記キャビティの上に位置合わせされた閉鎖位置と、前記蓋が角変位されて、前記ポータブル聴取デバイスを前記キャビティから取り外すことを可能とする開放位置との間で前記蓋を回転可能とする枢動可能な接合部を有する蓋と、
前記ハウジングと前記蓋との内に配置された複数の磁気要素であって、前記蓋を前記閉位置に固定すると共に、前記蓋が前記開放位置から前記閉鎖位置に動くことを防止するように構成された、複数の磁気要素と、
を備えるケース。
【請求項２】
前記複数の磁気要素が、お互いに反発するように構成された第１の対の磁気要素と、お互いに引き付けるように構成された第２の対の磁気要素とを備える、請求項１に記載のケース。
【請求項３】
前記第１の対の磁気要素が、前記枢動可能な接合部に隣接して前記蓋内に配置された第１の磁石と、前記枢動可能な接合部に隣接して前記ハウジング内に配置され、前記第１の磁石に反発するように配置された第２の磁石と、を含む、請求項２に記載のケース。
【請求項４】
前記第２の対の磁気要素が、前記枢動可能な接合部の反対側の前記蓋内に配置された第１の磁気要素と、前記枢動可能な接合部の反対側のハウジング壁内に配置され、前記第１の磁気要素を引き付けるように配向された第２の磁気要素と、を含む、請求項２に記載のケース。
【請求項５】
前記第２の対の磁気要素の磁気要素の双方が磁石である、請求項４に記載のケース。
【請求項６】
前記第２の対の磁気要素の磁気要素の一方が磁石であり、他方が磁性材料である、請求項４に記載のケース。
【請求項７】
前記ハウジングが、第１及び第２の対向する側壁、前記第１及び第２の側壁間に延伸する第３及び第４の対向する側壁、前記第１、第２、第３及び第４の側壁間に延伸する底部壁、前記複数の側壁と前記底部壁とによって画定される内部空間内に配置され、前記キャビティの形状を画定するインサート、並びに、前記底部壁と反対側の、前記受容キャビティと連通する受容開口部を含む、請求項１に記載のケース。
【請求項８】
前記キャビティが１つ以上の聴取デバイスを受容するように構成された、請求項７に記載のケース。
【請求項９】
前記複数の磁気要素が、前記蓋が前記閉鎖位置にある場合、第１の安定位置、前記開放位置にある場合、第２の安定位置にあり、前記閉鎖位置と前記開放位置との間では不安定位置にある、前記蓋のオーバーセンター構成を形成するように構成された、請求項１から８のいずれか一項に記載のケース。
【請求項１０】
前記蓋が前記閉鎖位置にある場合、前記第２の対の磁気要素の間の引力が前記第１の対の磁気要素の間の反発力を上回っている、請求項９に記載のケース。
【請求項１１】
前記蓋が前記開放位置にある場合、前記第１の対の磁気要素の間の反発力が前記第２の対の磁気要素の間の引力を上回っている、請求項９に記載のケース。
【請求項１２】
前記複数の磁気要素のうちの１つ以上が、高透磁率材料によって包囲されている、請求項１から８のいずれか一項に記載のケース。
【請求項１３】
前記複数の磁気要素のうちの１つ以上が、前記蓋が前記閉鎖位置にある場合、その極が相手側の磁気要素に位置合わせされないように配向されている、請求項１から８のいずれか一項に記載のケース。
【請求項１４】
前記複数の磁気要素のうちの１つ以上が、単方向での動きを可能にするばねに固定されている、請求項１から８のいずれか一項に記載のケース。
【請求項１５】
ポータブル聴取デバイス用のケースであって、
前記ポータブル聴取デバイスを受容するキャビティ及び前記キャビティと連通する受容開口部を有するハウジングと、
枢動可能な接合部によって前記ハウジングに固定された蓋であって、前記受容開口部が露出した開放位置と、前記蓋が前記受容開口部をカバーした閉鎖位置との間で動作可能な蓋と、
前記蓋内の前記枢動可能な接合部の近傍に配置された第１の磁気要素であって、前記ハウジング内の前記枢動可能な接合部近傍に配置された第２の磁気要素と反発するように配置された、第１の磁気要素と
前記蓋内の前記枢動可能な接合部と反対側の遠位端部に配置された第３の磁気要素であって、前記ハウジング内の前記枢動可能な接合部と反対側の遠位端部に配置された第４の磁気要素を引き付けるように配置された、第３の磁気要素と、
を備え、
前記第１、第２、第３及び第４の磁気要素が協働して、前記開放位置と前記閉鎖位置との間に配置された前記蓋のオーバーセンター位置を画定して、前記蓋が前記閉鎖位置へと付勢される前記蓋が前記オーバーセンター位置を通過するまでは、前記蓋が前記開放位置から前記閉鎖位置へと回転しない、
ケース。
【請求項１６】
前記オーバーセンター位置が、前記第１及び前記第２の磁気要素の間の反発力と、前記第２及び前記第３の磁気要素の間の引力と、前記第１、前記第２、前記第３及び前記第４の磁気要素の前記枢動可能な接合部からの距離と、の組合せによって形成される、請求項１５に記載のケース。
【請求項１７】
電子デバイス用ケースであって、
前記電子デバイスを受容するキャビティ及び前記受容キャビティ連通する受容開口部を有するハウジングと、
枢動可能な接合部によって前記ハウジングに固定された蓋であって、前記受容開口部が露出した開放位置と、前記蓋が前記受容開口部をカバーした閉鎖位置との間で動作可能な蓋と、
前記ハウジング及び前記蓋の内に配置された複数の磁気要素であって、前記複数の磁気要素が、前記蓋のオーバーセンター位置を形成して、前記蓋が前記閉鎖位置へと引き付けられる場合である、前記蓋が前記オーバーセンター位置を通過するまでは、前記蓋が前記開放位置から前記閉鎖位置へと回転しないように構成されている、複数の磁気要素と、
を備えるケース。
【請求項１８】
前記複数の磁気要素が、お互いに反発するように配向され、前記ハウジングを前記蓋に接続している枢動可能な接合部の近傍に配置された第１の対の磁気要素を含み、前記第１の対のうちの第１の磁気要素が前記ケース内に配置され、前記第１の対のうちの第２の磁気要素が前記蓋内に配置された、請求項１７に記載のケース。
【請求項１９】
前記複数の磁気要素が、お互いに引き付けるように配向され、前記枢動可能な接合部に反対側に配置された第２の対の磁気要素を含み、第１の磁気要素が前記ケース内に配置され、第２の磁気要素が前記蓋内に配置された、請求項１７に記載のケース。
【請求項２０】
前記オーバーセンター位置が、前記第１の対の磁気要素の間の反発力と、前記第２の対の磁気要素の間の引力と、前記枢動可能な接合部からの前記第１の対の磁気要素の距離と、前記枢動可能な接合部からの前記第２の対の磁気要素の距離との組合せによって形成される、請求項１７から１９のいずれか一項に記載のケース。
【発明の詳細な説明】
【背景技術】
【０００１】
以下で説明する実施形態は、概して、イヤホン及び他の種類のヘッドホンなどのポータブル聴取デバイス、及び、係るデバイスを収納及び充電するためのケースに関する。
【０００２】
ポータブル聴取デバイスは、ポータブルメディアプレーヤ、スマートフォン、タブレットコンピュータ、ラップトップコンピュータ、ステレオシステム、及びその他のデバイスなどの幅広い種類の電子デバイスと併用することができる。ポータブル聴取デバイスは歴史的にユーザの耳に載せたり、耳に入れたり、耳の付近に配置したりするよう構成された１つ以上の小型スピーカと、スピーカを適所に保持する構造部品と、ポータブル聴取デバイスをオーディオ源に電気接続するケーブルとを含む。その他のポータブル聴取デバイスは、ケーブルを設けず、代わりに無線オーディオ源から音声データのストリームを無線受信する無線機器であってよい。
【０００３】
無線ポータブル聴取デバイスには有線機器と比べて多くの利点がある一方で、潜在的な欠点もある。例えば、無線のポータブル聴取デバイスは、典型的には、無線通信回路及びデバイスの他のコンポーネントに給電するための充電式バッテリなどの１つ以上のバッテリを要する。使い捨てのバッテリは電力を使い切ったときに交換が必要で、充電式バッテリは定期的に充電が必要である。また、無線のポータブル聴取デバイスが一対のワイヤレスイヤホンである場合には、イヤホンは比較的小さいので、不使用時に損失しやすい。更に、各イヤホン内の利用できるスペースが小さいため、比較的小さいイヤホンからハイエンドの音響性能を達成することは製造業者にとって試練である。
【発明の概要】
【０００４】
本開示のいくつかの実施形態は、一対の無線イヤホン（earbud）やその他のタイプのヘッドホンなどのポータブル聴取デバイスを収納及び充電することができるケースに関する。様々な実施形態において、このケースは、ケース及びポータブル聴取デバイスの使用に関連付けられるユーザエクスペリエンスを向上する１つ以上の特徴を含む。例えば、本開示のいくつかの実施形態は、イヤホンがケース内に収納されたかどうかを検出する検出器を、ケースの蓋が開いているか、又は閉じているかを検出する検出器と共に、設けたワイヤレスイヤホン用のケースに関する。ケース内の回路は、検出器からの情報を使用することで、イヤホンの充電、イヤホンとポータブルメディアプレーヤ又は他のオーディオ信号源などのホストデバイスとのペアリング、及び／又は、イヤホンへの給電に使用されている任意のバッテリの寿命を延ばすべくイヤホンの１つ以上の特徴をオフにすることに関連付けられたユーザエクスペリエンスを向上することができる。
【０００５】
他の実施形態では、ポータブル聴取デバイス用のケースは蓋を設けることができ、この蓋は、閉鎖時には聴取デバイスをケース内に封入し、開放時には収納された聴取デバイスを露出させて、ユーザがケースから聴取デバイスを取り出せるようにする。蓋は双安定ヒンジによってケースのハウジングにオーバーセンター構成で枢動可能に結合させることができる。オーバーセンター構成において、この双安定ヒンジは、閉鎖時又は完全開放しているときに蓋が安定位置にあり、閉鎖と完全開放の間の位置では不安定位置となって開放又は閉鎖位置へ移動しようとする。蓋はその双安定動作により、閉鎖と開放位置間で容易にまた最小限の労力で移動するので、蓋の開閉においてポジティブなユーザエクスペリエンスが得られる。他の実施形態では、ポータブル聴取デバイス用のケースは、聴取デバイスをケース内に磁気吸引して保持するように構成できる。更に他の実施形態は、無線ポータブル聴取デバイスとホストデバイスとのペアリングを容易化し、及び／又は、デバイスが収納されてケース内に完全に包囲されている場合には無線ポータブル聴取デバイスのワイヤレス無線機が自動的にオフなり、ケースの蓋を開放するとワイヤレス無線機が自動的にオンになるようになっている。本開示の各種実施形態は上述した特徴を全て含むことも、いくつかの特徴のみを含むこともできる。
充電システム付きイヤホンケース
【０００６】
いくつかの実施形態では、充電式バッテリ及び電力コンタクトを含むポータブル聴取デバイスの持ち運び及び充電を行うためのケースが提供される。ポータブル聴取デバイスは、ポータブル聴取デバイスを受容するように構成されたハウジングと、ハウジングに取り付けられ、ケース内に聴取デバイスを隠す閉鎖位置と、ハウジングから変位させ、ユーザがケースから聴取デバイスを取り出し可能な開放位置との間で動作可能な蓋と、聴取デバイスをハウジング内に配置したとき検出信号を生成するように構成された検出器と、検出信号の受信に応じて、充電式バッテリの充電を開始するように構成された充電回路とを含むことができる。
磁気オーバーセンター機構付きケース
【０００７】
本開示のいくつかの実施形態は、ポータブル聴取デバイス又は他の種類の電子デバイスを格納するために用いられるケースに関するケースは、電子デバイスを受容するためのキャビティ、及び受容開口部を有し、受容開口部と連通するハウジングと、枢動可能な接合部を介してハウジングに固定し、受容開口部を露出させる開放位置と、受容開口部をカバーする閉鎖位置との間で動作可能な蓋と、ハウジング及び蓋内に配置した複数の磁気素子とを含むことができ、複数の磁気素子は、蓋用のオーバーセンター位置を形成し、閉鎖位置に蓋を引き付ける場合の蓋がオーバーセンター位置を超えて移動するまで、開放位置から閉鎖位置に回転しないようにする。
無線通信遮断機能付きイヤホンケース
【０００８】
いくつかの実施形態は、無線通信機を有するポータブル聴取デバイス用のケースに関し、閉鎖位置ケースは、ポータブル聴取デバイスを受容するように構成されたキャビティを有するハウジングと、ハウジングに取り付けられ、ポータブル聴取デバイスをケース内に隠すと、ハウジングから変位させ、ユーザがケースからポータブル聴取デバイスを取り出し可能な開放位置との間で動作可能な蓋と、蓋が閉鎖位置にあるか開放位置にあるかを検出する蓋センサと、閉鎖位置から開放位置に蓋を移動させたことを蓋センサが検出したとき、無線通信機をオンにするように構成された回路とを含む。蓋センサは、蓋が、閉鎖位置から開放位置に移動したとき開信号を生成し、回路は、開信号に応じて、無線通信機をオンにするように構成できる。いくつかの例では、ケースは、キャビティに配置した第１のコンタクトを有する電気コネクタを更に含み、ポータブル聴取デバイスがキャビティに受容されたとき、ポータブル聴取デバイス上の第２のコンタクトと電気的に接続し、ケース回路は、第１のコンタクトを介してポータブル聴取デバイスに命令を送信することで、ポータブル聴取デバイスの無線通信機をオンにする。
音響インサート付きイヤホン
【０００９】
本開示のいくつかの実施形態は、非閉鎖耳部を有するハウジングと、非閉鎖耳部内に配置した指向性音声ポートと、ハウジング内に配置され、駆動アセンブリの前方に配置した前方容量と、駆動アセンブリの後方に配置した後方容量とを有する駆動アセンブリと、駆動アセンブリの後方のハウジング内に配置され、ハウジングの内面に取り付けた音響インサートとを含む、イヤホンに関し、音響インサートとハウジングが、低音チャネルを形成し、低音チャネルが、後方容量からハウジング内のマルチポートベントに経路指定される。音響インサートは、隆起した溶接領域によって画定した凹部を含み、溶接領域は、ハウジングの内面に音響的に接合される。いくつかの例では、音響インサート内の凹部は、低音チャネルの３つの壁を形成し、ハウジングは、低音チャネルの第４の壁を形成する。音響インサートは、前方容量をマルチポートベントに結合するアパーチャを更に含み、低音チャネルとアパーチャは、マルチポートベントを介して通気されるマルチポートチャンバに結合できる。いくつかの例では、音響インサートは、レーザエネルギを吸収する炭素添加プラスチックから形成される。
【００１０】
いくつかの実施形態では、イヤホンを形成する方法が提供される。この方法は、内面及び外面を有するハウジングを形成することと、隆起した溶接領域によって画定した凹部を有するように音響インサートを形成することと、音響インサートをハウジング内に挿入して、隆起した溶接領域がハウジングの内面に対して配置されるようにすることと、ハウジングを介してレーザを導き、音響インサートの隆起した溶接領域に衝突させ、隆起した溶接領域をハウジングの内面に溶接することと、を含む。ハウジングは、レーザの波長に対して実質的に透明なプラスチックから形成でき、音響インサートは、レーザエネルギを吸収するプラスチックから形成できる。
イヤホン及びケースの無線ペアリング
【００１１】
いくつかの実施形態では、無線通信機を含むポータブル聴取デバイス用のケースは、ポータブル聴取デバイスの受容領域を有するハウジングと、ハウジングに取り付けられ、ケース内にポータブル聴取デバイスを隠す閉鎖位置と、ユーザが受容領域からポータブル聴取デバイスを取り出し可能な開放位置との間で動作可能な蓋と、受容領域に配置され、１つ以上のケース電気コンタクトを有し、ポータブル聴取デバイスが受容領域に受容されたとき、１つ以上のデバイス電気コンタクトに電気的に接続する電気コネクタと、ユーザ生成動作に応じて信号を生成するように構成された入力デバイスと、入力デバイス及び電気コネクタに結合したプロセッサとを含む。プロセッサは、入力デバイスから信号を受信するように構成され、それに応じて、電気コネクタを介して、ポータブル聴取デバイスに命令を送信し、ホスト電子デバイスへのポータブル聴取デバイスの無線ペアリングを開始できる。いくつかの例では、プロセッサは、電気コネクタを介して、ポータブル聴取デバイスへの命令を送信して、入力デバイスからの信号の受信に応じて、その無線通信機をオンにし、ホスト電子デバイスへのポータブル聴取デバイスの無線ペアリングを開始する前に、ポータブル聴取デバイスと命令をやり取りするように更に構成できる。
【００１２】
いくつかの実施形態では、第１の電子デバイスを第２の電子デバイスに無線ペアリングする方法が提供される。この方法は、第１及び第２のデバイスと異なる第３の電子デバイスにおいて、ユーザから入力を受信することを含むことができる。入力の受信に応じて、第３の電子デバイスは、第３及び第１の電子デバイスの間の有線接続を介して、第１の電子デバイスにユーザ入力信号を通信できる。第１の電子デバイスのユーザ入力信号の受信に応じて、第１の電子デバイスは、無線ペアリング要求を一斉送信し、無線ペアリング要求の受信に応じて、第２の電子デバイスは第１のデバイスと無線でペアリングできる。いくつかの例では、第１の電子デバイスは無線ヘッドホンセットであってもよく、第２の電子デバイスは移動型電子デバイスであってもよく、第３の電子デバイスは、ポータブル聴取デバイス用のケースであってもよい。更に、第３の電子デバイスがポータブル聴取デバイス用のケースであるいくつかの実施形態では、ユーザからの入力はケースの蓋を開くことであってもよい。
イヤホン用のレセプタクルコネクタ付きイヤホンケース
【００１３】
いくつかの実施形態では、一対のイヤホン用のケースが提供され、各イヤホンは耳部と心棒部を有し、電気コネクタは心棒の遠位端に配置される。ケースは、ハウジングと、ハウジング内に配置され、第１及び第２のイヤホンを各々収容するようなサイズ及び形状にした第１及び第２のキャビティを有し、第１及び第２のキャビティが各々、キャビティにイヤホンを受容する受容開口部と、受容開口部に対向するコンタクト開口部とを有するインサートと、インサートに取り付けたコンタクトアセンブリとを含むことができ、コンタクトアセンブリは、第１のキャビティ内に延びる第１の対の電気コンタクトと、第２のキャビティ内に延びる第２の対の電気コンタクトとを備え、第１及び第２の対の電気コンタクトは、コンタクト開口部を介して、第１及び第２のイヤホンの遠位端に各々配置した電気コネクタと電気的に接触するように構成される。
電子コンタクト付き無線イヤホン
【００１４】
いくつかの実施形態では、無線イヤホンが提供され、無線イヤホンは、縦軸に位置合わせされ、第１及び第２の端部を含む心棒部を有するハウジングと、第１の遠位端の近傍で、縦軸からオフセットさせて駆動ユニット及び指向性音声ポートを有し、駆動ユニットが、指向性音声ポートから音声を発するように位置合わせされ、磁石、音声コイル及び振動板を備える、スピーカアセンブリと、ハウジング内に配置した充電式バッテリと、心棒部の第２の端部において外面に露出させ、充電式バッテリに電力を供給するように電気的に結合した第１及び第２の外部コンタクトとを含む。第１及び第２の外部コンタクトは各々、部分的に環状であり、互いに対向して対称的な関係で配置されてもよい。いくつかの例では、第１及び第２の外部コンタクトの外周は、心棒部の外面と同一平面内にある。
【００１５】
いくつかの実施形態では、無線イヤホンは、ハウジングと、ハウジング内に配置した充電式バッテリと、駆動ユニット及び指向性音声ポートを含み、駆動ユニットが、指向性音声ポートから音声を発するように位置合わせされ、磁石、音声コイル及び振動板を備える、スピーカアセンブリと、ハウジングの外面に露出させた複数のコンタクトとを含み、複数のコンタクトの各コンタクトが、各コンタクトの外面に二元合金めっき層を有する導電性ベース部を含み、二元合金めっき層がロジウムとルテニウムを含む。いくつかの例では、ロジウムの重量％は少なくとも８５％であり、残りがルテニウムである。
キャビティ内のイヤホンの磁気保持
【００１６】
本開示のいくつかの実施形態は、１つ以上のイヤホン磁気コンポーネントを有するイヤホン用のケースに関する。ケースは、イヤホンを収容するようなサイズ及び形状にした受容キャビティと、ケース内に配置され、受容キャビティ内にイヤホンを、第２の受容キャビティに第２のイヤホンを磁気的に引き付け、磁気的に保持するように配置及び構成された１つ以上のハウジング磁気コンポーネントと、受容キャビティを露出させる開放位置と、受容キャビティをカバーする閉鎖位置との間で動作可能な蓋とを含むことができる。ケースは、一対のイヤホンを格納するように構成され、受容キャビティは、一対のイヤホンの第１のイヤホンを収容するようなサイズ及び形状にした第１の受容キャビティと、一対のイヤホンの第２のイヤホンを収容するようなサイズ及び形状にした第２の受容キャビティとを含む。いくつかの実施形態では、１つ以上のハウジング磁気コンポーネントは、第１の受容キャビティの周りに配置され、第１のイヤホンを第１の受容キャビティ内に磁気的に引き付け、磁気的に保持するように構成された第１の複数の磁気コンポーネントと、第２の受容キャビティの周りに配置され、第２のイヤホンを第２の受容キャビティ内に磁気的に引き付け、磁気的に保持するように構成された第２の複数の磁気コンポーネントとを含むことができる。
【００１７】
いくつかの実施形態では、イヤホンは、ユーザの耳内に少なくとも部分的に適合するように形成したハウジングと、ハウジング内に形成した指向性音声ポートと、ハウジング内に配置され、第１の磁石を備える駆動ユニットを含み、駆動ユニットが、指向性音声ポートから音声を発するように位置合わせされたスピーカアセンブリと、スピーカアセンブリとは別個で、ハウジング内に配置される磁気保持コンポーネントとを含む。ハウジングは、耳部と心棒部を有することができ、磁気保持コンポーネントは、耳部内に配置される。駆動ユニットは、振動版と音声コイルを含むことができ、第１の磁石は、音声コイルに動作可能なように結合されて、電気信号に応じて振動板を移動させ、磁気保持コンポーネントは、音声コイルに動作可能なようには結合されない。
【００１８】
いくつかの実施形態では、上記のケースと一対のイヤホンを含む無線聴取システムが提供される。
ポータブルデバイスを充電する誘導充電送信機付きケース
【００１９】
いくつかの実施形態では、ポータブル聴取デバイス用のケースは、ポータブル聴取デバイスを受容するように構成された１つ以上のキャビティ、及び外部充電面を有するハウジングと、ハウジングに取り付けられ、１つ以上のキャビティ上に位置合わせされる閉鎖位置と、１つ以上のキャビティから変位させる開放位置との間で移動可能な蓋と、バッテリと、１つ以上のキャビティに配置したとき、ポータブル聴取デバイスを充電するように構成された第１の充電システムと、外部充電面に隣接するハウジング内に配置した送信コイルを含む第２の充電システムとを含み、送信コイルは、外部充電面に隣接するハウジングの外側に配置した電子デバイスの電力受信コイルに電力を無線で送るように構成される。いくつかの実施形態では、ポータブル聴取デバイスは、一対のイヤホン用のケースであってもよく、ハウジングは、第１及び第２のイヤホンを各々受容するように構成された第１及び第２のキャビティを含むことができ、第１の充電システムは、イヤホンを第１及び第２のキャビティに配置したとき、第１及び第２のイヤホンを充電するように構成される。
防水レセプタクルコネクタ
【００２０】
いくつかの実施形態では、電気レセプタクルコネクタが開示され、それは、受容面と背面の間を延びる電気絶縁ポリマーからなり、受容面の開口部と連通するキャビティを画定して、嵌合プラグコネクタのプラグ部を受容するハウジングと、背面に隣接配置したコンタクトスペーサと、ハウジングの背面とコンタクトアセンブリとの間に配置したガスケットと、各々がキャビティに配置される先端、各コンタクトをコンタクトスペーサに固定するアンカー部、及びアンカー部にコンタクトを接続するビーム部を有する複数のコンタクトと、ハウジングの外面の周りに配置した金属ブラケットとを含む。
容量性タッチセンサ付きイヤホン
【００２１】
いくつかの実施形態は、イヤホンの１つ以上の電気コンポーネントを収容するキャビティを画定し、その外面における接触感知領域、及び外面と反対側のキャビティ内の内面を有するハウジングと、その上に金属回路を形成した第１の面を有し、第１の面がハウジングの内面に隣接するようにハウジング内に配置される容量性センサインサートと、ハウジング内に配置したイヤホンプロセッサと、容量性センサインサートをイヤホンプロセッサに電気的に結合する少なくとも１つの導電体とを含むイヤホンに関する。容量性センサインサートは、ハウジングの形状に密に一致するように形成できる。いくつかの例では、金属回路は、少なくとも１つの自己容量センサを形成し、ユーザが接触すると、検出可能な自己容量回路の負荷となる。他の例では、金属回路は、少なくとも１つの相互容量センサを形成する行及び列電極を含み、ユーザが接触すると、行及び列電極の間の相互結合が変化し検出される。容量性センサインサートは、金属微粒子を含むプラスチックから形成される。
ねじりばねオーバーセンター機構付きケース
【００２２】
いくつかの実施形態では、聴取デバイス用のケースは、聴取デバイスを受容するキャビティを有するハウジングと、枢動可能な接合部を介してハウジングに取り付けられ、キャビティ上に位置合わせされる閉鎖位置と、角変位され、キャビティから聴取デバイスを取り出し可能な開放位置との間で回転可能な蓋と、蓋に取り付けられ、蓋から枢動可能な接合部と反対側に配置される延長部を含む蓋用のオーバーセンター機構とを含み、延長部がアームに接触し、蓋がオーバーセンター位置を超えて移動するまで、開放位置から閉鎖位置に蓋が回転しないようにし、その後、蓋を閉鎖位置に付勢する。
【００２３】
本開示の性質及び利点をより理解するために、以下の説明と添付の図面を参照する。しかし、各図面は例証のみを目的として提供されており、本開示の範囲の限定を定義するものではない。更に、一般には、そうでないことが説明から明らかでない限り、異なる図面中の要素に同一の参照符号が使用されている場合には、概してそれらの要素は機能又は目的が同一であるか、又は少なくとも類似するかのいずれかである。
【図面の簡単な説明】
【００２４】
【図１】本開示の実施形態に係る、蓋を設け、一対のイヤホンを保持するように構成されたケースの側面図である。
【図２】本開示のいくつかの実施形態に係る、一対のイヤホンに結合した充電システムを設けたケースのシステムレベル図である。
【図３】図１に示したケースの簡略化した断面図である。
【図４Ａ】本開示の一実施形態に係るイヤホンコネクタの部分断面図である。
【図４Ｂ】図４Ａに示したイヤホンコネクタの平面図である。
【図５Ａ】本開示に係るイヤホンコネクタの別の実施形態の部分断面図である。
【図５Ｂ】図５Ａに示したイヤホンコネクタの平面図である。
【図６Ａ】本開示に係るイヤホンコネクタの別の実施形態の部分断面図である。
【図６Ｂ】図６Ａに示したイヤホンコネクタの平面図である。
【図６Ｃ】図６Ａに示したイヤホンコネクタ用のコネクタアセンブリの等角分解組立図である。
【図６Ｄ】組み立てた状態にある、図６Ａに示したイヤホンコネクタの等角図である。
【図７Ａ】本開示に係るイヤホンコネクタの別の実施形態の等角分解組立図である。
【図７Ｂ】組み立てた状態にある、図７Ａに示したイヤホンコネクタの等角図である。
【図８Ａ】本開示に係るイヤホンコネクタの別の実施形態の部分断面図である。
【図８Ｂ】図８Ａに示したイヤホン上のコネクタの平面図である。
【図８Ｃ】図８Ａに示したイヤホンコネクタの等角分解組立図である。
【図９Ａ】図１に示したイヤホンのうちの１つのそれぞれ正面等角図及び背面等角図である。
【図９Ｂ】図１に示したイヤホンのうちの１つのそれぞれ正面等角図及び背面等角図である。
【図１０】図１に示したケースの上面図であり、ケースの蓋を取り除いた状態を示す図である。
【図１１】図１０に示したケース内のキャビティ内に保持されたイヤホンの、断面Ａ−Ａに沿った部分断面図である。
【図１２】図１０に示したケース内のキャビティ内に保持されたイヤホンの、断面Ｂ−Ｂに沿った部分断面図である。
【図１３】本開示のいくつかの実施形態に係るオーバーセンター型の蓋を設けたケースの等角図である。
【図１４】オーバーセンター型の蓋が開放位置にある、図１３に示したケースの等角図である。
【図１５】本開示のいくつかの実施形態に係るオーバーセンター型の蓋に関連付けられる引力と析力を示すグラフである。
【図１６】本開示のいくつかの実施形態に係る、位置合わせされていない極を有する一対の磁石と、高透過性材料で包囲された一対の磁石とを含むケースの側面図である。
【図１７】本開示のいくつかの実施形態に係る、ばねに取り付けられた二対の磁石を設けたケースの側面図である。
【図１８】本開示のいくつかの実施形態に係る、ケースに使用できる磁石の等角図である。
【図１９】本開示のいくつかの実施形態に係る、ケースに使用できる磁石の等角図である。
【図２０】本開示のいくつかの実施形態に係る、ケースに使用できる磁石の等角図である。
【図２１】本開示のいくつかの実施形態に係る、ケースに使用できる磁石の等角図である。
【図２２Ａ】蓋が閉鎖した状態にある、本開示のいくつかの実施形態に係るねじりばねオーバーセンター型機構を有するケースの側面図である。
【図２２Ｂ】図２２Ａに示したねじりばねオーバーセンター型機構の等角図である。
【図２２Ｃ】図２２Ａに示したケースの側面図であり、蓋が部分的に開放した状態を示す図である。
【図２２Ｄ】図２２Ａに示したケースの側面図であり、蓋が更に開放した状態を示す図である。
【図２３】本開示の実施形態に係るワイヤレス充電システムの簡略化した透視図である。
【図２４】図２３に示した充電システムの一部であってよい、いくつかの実施形態に係る誘導電力受信システムのブロック図である。
【図２５】図２３に示したイヤホンケースの簡略化した平面図である。
【図２６】図２３に示した誘導電力送信システムの実施形態のブロック図である。
【図２７】本開示のいくつかの実施形態に係る誘導充電システム上で誘導充電されたケースの簡略化した等角図である。
【図２８】本開示のいくつかの実施形態に係る、図１に示したケース内に設けることができる電気コネクタの等角図である。
【図２９】図２８に示した電気コネクタの等角分解組立図である。
【図３０】本開示のいくつかの実施形態に係る左耳用イヤホンの等角正面図及び等角背面図である。
【図３１】本開示のいくつかの実施形態に係る右耳用イヤホンの等角正面図及び等角背面図である。
【図３２】図３０、図３１に示したイヤホンのうちの１つの断面図である。
【図３３】いくつかのコンポーネントを取り除いた状態の、図３０、図３１に示したイヤホンのうちの１つの断面図である。
【図３４】本開示のいくつかの実施形態に係るイヤホンに使用できる可撓性回路基板の平面図である。
【図３５】図３４に示した可撓性回路基板の等角図である。
【図３６】図３０、図３１に示したイヤホンに内蔵できるコネクタ構造の等角図である。
【図３７】本開示のいくつかの実施形態に係る、図３６に示したコネクタ構造のためのコンタクトの等角図である。
【図３８】図３６に示したコンタクト構造の等角図である。
【図３９】本開示の一実施形態に係るイヤホンコネクタコンタクトの等角図である。
【図４０】図３９に示したインサート成形されたコネクタコンタクトの等角図である。
【図４１】本開示のいくつかの実施形態に係る、静電容量センサインサートを設けたイヤホンの等角図である。
【図４２】図４１に示したイヤホン及び静電容量センサインサートの断面図である。
【図４３】本開示の一実施形態に従って示された静電容量センサインサートの平面図である。
【図４４】本開示の一実施形態に従って示された静電容量センサインサートの平面図である。
【図４５Ａ】本開示の一実施形態に係る音響インサートを設けたイヤホンの図である。
【図４５Ｂ】図４５Ａに示した音響インサートを設けたイヤホンの図である。
【図４６】本開示のいくつかの実施形態に係るイヤホンの製造に関連付けられるステップを示すフローチャートである。
【図４７】本開示のいくつかの実施形態に係るシステム４７を示す図である。
【図４８】本開示のいくつかの実施形態に係るシステム４８００の簡略化したブロック図である。
【図４９】本開示のいくつかの実施形態に係るワイヤレスヘッドホンとホストデバイスとのペアリングに関連付けられるステップを示すフローチャートである。
【図５０】本開示のいくつかの実施形態に係るイヤホン内のワイヤレス無線機をアクティブ化するに関連付けられるステップを示すフローチャートである。
【図５１】本開示のいくつかの実施形態に係るイヤホン内のワイヤレス無線機を非アクティブ化に関連付けられるステップを示すフローチャートである。
【発明を実施するための形態】
【００２５】
本開示のいくつかの実施形態は、ケース及び／又はポータブル聴取デバイスの使用に関連付けられるユーザエクスペリエンスを向上することが可能な改善された特徴を有する、ポータブル聴取デバイス、及びこのデバイスを収容及び／又は充電するケースに関する。本開示は幅広い種類のポータブル聴取デバイスに有用であるが、本開示のいくつかの実施形態は、以下でより詳細に説明するワイヤレスイヤホン及びワイヤレスイヤホン用のケースに特に有用である。
【００２６】
例えば、いくつかの実施形態では、一対のワイヤレスイヤホンは、充電式バッテリ及び充電回路を更に内蔵できるケース内に収まるサイズ及び形状をしている。この一対のイヤホンは、イヤホンがケース内に配置されたことをケース内のイヤホン検出器が検出すると充電される。更に、ケースは、各イヤホン内のワイヤレス無線機をアクティブ化させてユーザが使用できる状態にするために、蓋が開いているかどうかを検出するセンサを含むことができる。同様に、蓋を閉じるとワイヤレス無線機がオフになるので、イヤホンのバッテリの充電電力を温存することができる。
【００２７】
別の実施例では、イヤホンをペアリングモードにするべく操作可能なペアリングボタンをケースに設けることができる。更なる実施例では、ケースは、ケースバッテリの充電レベル及び各イヤホンの充電レベルをユーザに知らせる１つ以上の充電インジケータライトを設けることも可能である。
【００２８】
別の実施例では、ケースは、蓋が閉鎖位置にあるときは第１の安定位置に、開放位置にあるときは第２の安定位置にあるが、閉鎖位置と開放位置の間の位置では不安定位置となるオーバーセンター構成の蓋を設けることができる。いくつかの実施形態では、オーバーセンター構成は２対の磁石を使用することで達成でき、他の実施形態ではねじりばねによって達成できる。更なる実施例では、ケースは、イヤホンをケース内に形成されたキャビティ内部に引き入れ、ユーザが取り出すまで保持しておくケース内に１つ以上の磁石を設けることができる。
【００２９】
別の実施例では、内部回路が液体により損傷することを防ぐためにケースは液密であってよい。イヤホンの充電とケースの充電の両方の電気接続は耐液体浸透性であってよい。
【００３０】
別の実施例では、イヤホンは音響インサートを設けることができ、音響インサートは、内部スピーカがイヤホンハウジング内の狭い空間内で音響パフォーマンスを提供することを可能にする低音ポートベント及び後部ベントなどの、１つ以上の音響ポートを形成する。
【００３１】
別の実施例では、イヤホンケースは、イヤホンとホストデバイスとのＢｌｕｅｔｏｏｔｈ（登録商標）ペアリングを開始するために使用できる。一実施形態では、蓋位置センサが、蓋が開いたときを検出して、イヤホンのペアリングを開始する。
【００３２】
本開示によるポータブル聴取デバイスとそのケースの特徴及び態様をより認識するために、以下のセクションでは、本開示の実施形態によるイヤホン及びイヤホン用ケースの特定の実施を数例説明することで本開示の更なる文脈を提供する。開示された特定の実施形態は例えば例示のみを目的としたものであるので、これ以外の実施形態を、他のポータブル聴取デバイス並びに他のデバイスに使用できる他のポータブル聴取デバイス及びケースに採用することが可能である。
【００３３】
ここで使用している用語「ポータブル聴取デバイス」とは、ユーザが聞くことができるサウンドを再生するように設計されたあらゆるポータブルデバイスを含む。ヘッドホンは１つのタイプのポータブル聴取デバイスで、ポータブルスピーカはまた別タイプのポータブル聴取デバイスである。用語「ヘッドホン」は、ユーザの頭部上又は周囲に装着するように設計された一対の小型のポータブル聴取デバイスを指す。ヘッドホンは電気信号をユーザが聞くことのできる対応したサウンドに変換する。ヘッドホンは、ユーザの頭部にかけて装着される従来のヘッドホン、ヘッドバンドによって接続している左右型の聴取デバイス、ヘッドセット（ヘッドホンとマイクロホンの組合せ）、そしてイヤホン（ユーザの耳内に直接フィットするように設計された非常に小型のヘッドホン）を含む。従来のヘッドホンは、ユーザの耳全体を包含する耳パッドを設けたオーバーイヤ型ヘッドホン（覆い型又はフルサイズヘッドホン呼ばれることもある）と、ユーザの耳を覆うのではなく耳に押し当てられる耳パッドを設けたオンイヤヘッドホン（耳載せヘッドホンとも呼ばれる）の両方を含む。ここで使用している用語「イヤホン」（イヤホン（earphone）又はイヤフィットヘッドホンとも呼ばれる）は、ユーザの外耳道内には挿入されず、外耳道に面して外耳内にフィットする小型ヘッドホンと、外耳道自体内に挿入されるインイヤヘッドホン（カナルホンとも呼ばれる）との両方を含む。
イヤホンケース
【００３４】
図１は、本開示のいくつかの実施形態による一対のワイヤレスイヤホン用のケース１００の簡略化した平面図を示す。図１に示すように、ケース１００は、一対のイヤホン１１５ａ、１１５ｂを受容するように構成された１つ以上のキャビティ１１０ａ、１１０ｂを有しハウジング１０５（本体とも呼ばれる）を設けている。いくつかの実施形態では、キャビティ１１０ａ、１１０ｂをケース１００の中心面の対向する両側に互いに隣接して配置することができる。各キャビティ１１０ａ、１１０ｂのサイズと形状は、それぞれのイヤホン１１５ａ、１１５ｂのサイズ及び形状に合うものであってよい。各キャビティは心棒部１１６ａ、１１６ｂとイヤホン部１１７ａ、１１７ｂを含んでよい。各心棒部１１６ａ、１１６ｂは、対応するイヤホン部１１７ａ、１１７ｂからケース１００の底部１０６に向かって延びた、細長く全体的に円筒形のキャビティであってよい。各イヤホン部１１７ａ、１１７ｂは、対応する心棒部１１６ａ、１１６ｂからずれており、ハウジング１０５の上面１０８にて開口している。本開示の実施形態はいかなる特定の形状、構成、キャビティ１１０ａ、１１０ｂの個数にも限定されるものでなく、他の実施形態では、キャビティ１１０ａ、１１０ｂは各種タイプのイヤホンを収容するために各種形状、各種構成であってよく、及び／又は、１つあるいは２つ以上の個数であってよい。
【００３５】
ケース１００は、ハウジング１０５に取り付けた蓋１２０を更に設けている。蓋１２０は、蓋１２０が１つ以上のキャビティ１１０ａ、１１０ｂの上に位置合わせされ、一対のイヤホン１１５ａ、１１５ｂがハウジング内に完全に包囲される閉鎖位置と、ユーザがキャビティからイヤホンを取り出せる、又はキャビティ内のイヤホンを交換できるように、蓋がハウジング及びキャビティ１１０ａ、１１０ｂから移動された開放位置との間で動作可能である。以下でより詳細に説明するとおり、蓋１２０はハウジング１０５に枢動可能に取り付けることができ、蓋１２０に双安定動作を提供する磁気又は機械システム（図１には示されていない）を設けることができる。いくつかの実施形態では、ケース１００は、一対のイヤホン１１５ａ、１１５ｂを充電するように構成された充電システム１２５と、一対のイヤホンを１つ以上のキャビティ１１０ａ、１１０ｂ内に向きを合わせて保持するように構成された１つ以上の磁石１３０と、以下で更に説明するその他の特徴とを設けることもできる。
【００３６】
図２は、本発明の実施形態によるシステム２００の簡略化したブロック図である。システム２００は一対のイヤホン２０２ａ、２０２ｂと、一対のイヤホン用のケース２０４と、ケースを充電するための電源２０５とを設けることができる。イヤホン２０２ａ、２０２ｂはケース２０４内に配置され（例えば、ハウジングによって画定されたケースの内部空間又はキャビティ内、あるいはハウジング内のインサート）、そこで便利に収納及び充電されることができる。ケース２０４は図１に関して上述したケース１００を表すものであり、同様にイヤホン２０２ａ、２０２ｂはイヤホン１１５ａ、１１５ｂを表すものである。
【００３７】
各イヤホン２０２ａ、２０２ｂは、１つ以上の入力部２５５と、内部コンポーネント２６０と、１つ以上の出力部２６５をそれぞれ設けることができる。いくつかの実施形態では、１つ以上の入力部２５５はマイクロホン入力部と、１つ以上のボタン又はユーザのタッチを登録するセンサとであってよい。各種実施形態では、加速度計又は静電容量センサを入力部２５５として使用し、例えばユーザが通話に応答すること、又はイヤホン２０２ａ、２０２ｂにペアリングモードにするよう命令することによってこれをアクティブ化させて、片方又は両方のイヤホン上のライト点灯によって起動を示すことができる。各種実施形態では、１つ以上の内部コンポーネント２６０はスピーカ、マイクロホン、充電式バッテリ、プロセッサ、及び／又はその他の回路及びコンポーネントを含む。各種実施形態では、１つ以上の出力部２６５はスピーカからのオーディオ、光、又は他のインジケータであってよい。各種実施形態では、インジケータの光は着信通話、バッテリの充電レベル、ペアリングモード、又はその他の機能を示すことができる。
【００３８】
各種実施形態では、イヤホン２０２ａ、２０２ｂのそれぞれは、入力部２５５及び出力部２６５デバイスの両方であり得るワイヤレス無線機を設けることができる。ワイヤレス無線機は、スマートフォンなどのオーディオプレーヤからの音声信号をイヤホンに受信させることが可能である。各種実施形態では、イヤホン２０２ａ、２０２ｂのうちの１つ以上は、イヤホンのうちの１つ以上からのマイクロホン信号などの音声信号を送信できる無線機を設けることができる。また更なる実施形態では、イヤホン２０２ａ、２０２ｂのうちの１つ以上は、通話の接続、通話の切断、オーディオ再生の一時停止、オーディオ再生の早送り又は巻戻し、マイクロホン信号の消音などであるがこれらに限定されない１つ以上の機能を実行するよう受信デバイス（例えばスマートフォンなどのホストデバイス）に命令することができる通信信号を送信する無線機を設けることが可能である。ワイヤレス無線機は、プロトコルの中でもＢｌｕｅｔｏｏｔｈ、低電力Ｂｌｕｅｔｏｏｔｈ（登録商標）、Ｚｉｇｂｅｅ（登録商標）などの任意の短距離かつ低電力の通信プロトコルを採用できる。
【００３９】
ケース２０４はケースプロセッサ２１０、イヤホン検出器２１５、無線機２１７、蓋センサ２２０、ケース充電回路２２５、バッテリ２２７、及びイヤホン充電回路２３０を設けることができる。ケース２０４は、また、ケース２０４内の回路にイヤホン２０２ａ、２０２ｂと通信させる、又はこれを充電させるイヤホンインターフェース２４５と、ケースをＡＣ又はＤＣ電源あるいは誘導充電パッドなどの有線又は無線電源２０５と結合する電源インターフェース２５０とを設けてよい。各種実施形態では、ケース充電回路２２５、バッテリ２２７、イヤホン充電回路２３０、インターフェース２４５、２５０は、全て図１に示した充電システム１２５の代表的なコンポーネントである。
【００４０】
電源インターフェース２５０は、マイクロＵＳＢコネクタ、照明コネクタ、又はイヤホンケース２０４に給電できるその他のコネクタのためのレセプタクルコネクタの一部であってよい。あるいは、又はレセプタクルコネクタに加えて、電源インターフェース２５０は、電源２０５から誘導電力を受容できる、１つ以上の無線電力受信コイルなどの無線電力受信機を設けることができる。イヤホンインターフェース２４５は、各イヤホン内のケース転送インターフェース２７０を介して、電力及び／又はデータをケース２０４とイヤホンとの間で転送できる。イヤホンインターフェース２４５は、本明細書中で図４Ａ〜図８Ｃに関して説明しているコネクタのうちの１つのような電気コネクタ、異なるタイプの電気コネクタ、又は、誘導電力をイヤホン内の誘導電力受信機へ送信可能な無線電力送信コイルなどの無線電力送信機を設けることができる。
【００４１】
ケースプロセッサ２１０は、以下でより詳細に述べるケース２０４の様々な機能を制御するように構成される。各種実施形態では、イヤホン検出器２１５は、片方又は両方のイヤホン２０２ａ、２０２ｂがケース２０４内に配置された場合を検出する１つ以上のセンサを含む。一実施形態では、イヤホン検出器２１５は、いずれかのイヤホン２０２ａ、２０２ｂがケース内に存在するかどうかを判断するために、ケース２０４内のイヤホンコンタクトを定期的に「ｐｉｎｇする」回路である。他の実施形態では、イヤホン検出器２１５は、磁気センサ、光センサ、スイッチ、ホール効果センサ、フラックスセンサ、静電容量センサ、光検出器、近接検出器、タクトスイッチ、又はその他あらゆるタイプのセンサなどであるがこれらに限定されない任意の種類の機械又は電気センサであってよい。
【００４２】
イヤホン検出器２１５がフラックスセンサである一実施形態では、フラックスセンサはケース２０４の電力消費を最小化するために有益である。一例として、フラックスセンサは、ワイヤのコイルとイヤホン２０２ａ、２０２ｂ内の１つ以上の磁石とによって、ケース２０４内にそれぞれのイヤホンに１つずつ形成することができる。各フラックスセンサは、イヤホンがケース２０４内に挿入されて、又はケース２０４から引き出されて、イヤホン内の磁石がワイヤのコイルワイヤのコイルを通過する際に電流が発生するように構成できる。更なる実施例では、フラックスセンサは、動作に電力を必要とせず、ケース２０４内のいずれかのイヤホン２０２ａ、２０２ｂの取り出し又は交換についてプロセッサ２１０に通知するために独自のエネルギを生成する完全受動型センサとして機能できる。いくつかの実施形態では、電力消費を最小限に抑える上でホール効果センサも有益である。各種実施形態では、１つ以上のセンサは、イヤホンコネクタに電圧バイアス（例えばｐｉｎｇ）を印加する必要がなく、これによりコンタクトの腐食及び／又は酸化を軽減することができるため有益である。
【００４３】
一実施例では、ケース２０４は上述したキャビティ１１０ａ、１１０ｂなどの別個のイヤホン受容キャビティを設けることができ、イヤホン検出器２１５は第１及び第２のイヤホン検出器（各キャビティに１つの検出器）を設けることができる。第１のイヤホン検出器は、イヤホン（例えば左耳用イヤホン）が第１のキャビティ内に挿入された場合を検出するために動作可能に結合でき、第２のイヤホン検出器は、イヤホン（例えば右耳用イヤホン）がその他のキャビティ内に挿入されたときを検出するために動作可能に結合することができる。他の実施形態では、１つの検出器がいずれかのイヤホン２０２ａ、２０２ｂがケース２０４内に配置された場合を検出することが可能である。
【００４４】
イヤホンがケース内に挿入されたことの検出に応じて、イヤホン検出器２１５が検出信号を生成することができ、この検出信号がケース２０４内の他の回路に送信されて処理されることで、バッドの充電が開始される。イヤホン検出器２１５が左右のイヤホン（又は左右の耳で相互交換可能な第１、第２のイヤホン）の挿入をそれぞれ検出する第１、第２の検出器を設けている場合には、各イヤホン検出器が、検出されたイヤホンだけの充電を開始する別個の検出信号を生成することができる。
【００４５】
充電の開始と同様に、イヤホン検出器２１５は充電を停止するためにも使用できる。例えば、イヤホン検出器２１５は、片方又は両方のイヤホンがケースから取り出された場合を検出し、取り出されたイヤホンの充電を停止する取り出し信号を生成する。
【００４６】
いくつかの実施形態では、イヤホン検出器２１５は、イヤホンと、これに対応するハウジング内の（例えば各キャビティ１１０ａ、１１０ｂ内の）充電コンタクトとの間に電気的接触がなされたことをイヤホン検出器が検出すると、各イヤホン２０２ａ、２０２ｂの充電処理を開始する。より具体的には、各種実施形態において、イヤホン検出器２１５は、片方又は両方のイヤホン２０２ａ、２０２ｂが各キャビティ１１０ａ、１１０ｂ内にあるかどうかを知得するために、充電コンタクトを定期的に「ｐｉｎｇ」を行っている。片方又は両方のイヤホン２０２ａ、２０２ｂのバッテリ充電がゼロであっても、イヤホンは、充電コンタクトと結合していることをイヤホン検出器２１５に検出させ、イヤホン充電回路２３０内での充電を開始させることが可能な特徴インピーダンス又は他の電気特徴を有することができる。イヤホン２０２ａ、２０２ｂとケース２０４との間の充電コンタクト及び電気接続について以下で詳細に説明する。いくつかの実施形態では、イヤホン検出器２１５はプロセッサ２１０の一部であり、プロセッサは感知を行う。他の実施形態では、イヤホン検出器２１５は別個の能動的／受動的コンポーネントである。各種実施形態では、ケース２０４はケースプロセッサ２１０を設けず、その代わり、様々な能動的及び／又は受動的なコンポーネントを備えた回路がここで述べ、プロセッサに帰属する機能を実行するように構成されている。
【００４７】
いくつかの実施形態では、ケースプロセッサ２１０はイヤホンインターフェース２４５を介して（また、片方又は両方のイヤホンのケースインターフェースを介して）データを送受信することで一対のイヤホン２０２ａ、２０２ｂと通信でき、更に、電源インターフェース２５０を介してデータを送受信することで電源２０５と通信することができる。つまり、各種実施形態では、イヤホンインターフェース２４５及び電源インターフェース２５０は、単方向又は双方向について通信電力及びデータ信号の両方を伝送することができる。いくつかの実施形態では別々の電力コンタクト及びデータコンタクトを使用し、各種実施形態では１組のコンタクトを電力とデータの両方に使用する。例えば、いくつかの実施形態では、電源２０５は、ＵＳＢ相互接続などの、又はＡｐｐｌｅ．Ｉｎｃが開発したＬｉｇｈｔｎｉｎｇ（登録商標）相互接続などのインターフェース（図示せず）を介して電源インターフェース２５０と通信するコンピューティングデバイスであってよい。相互接続によってケースバッテリ２２７に充電のための直流が提供され、ケースプロセッサ２１０とコンピューティングデバイスとの間に双方向通信が提供される。別の実施例では、電源２０５は、デバイスの充電に使用したものと同じコンタクトを介して、ケースプロセッサ２１０と一対のイヤホン２０２ａ、２０２ｂとの両方にファームウェア更新を送信することができる。イヤホンインターフェース２４５と一対のイヤホン２０２ａ、２０２ｂとの間のデータ通信は、上述したものと類似の通信プロトコルを使用してもよいし、例えばシリアル通信などのその他任意のプロトコルを使用してもよい。
【００４８】
いくつかの実施形態では、ケース２０４は、インターフェース２４５、２５０を介したデータ交換に頼ることに加えて、又はその代わりに、ケースにイヤホン２０２ａ、２０２ｂ及びホストデバイス（例えばスマートフォン、タブレットコンピュータ、ラップトップコンピュータなど）とのデータ通信を送受信させるワイヤレス無線機２１７を設けることができる。例えば、ワイヤレス無線機２１７を使用して、イヤホン２０２ａ、２０２ｂとホストデバイスとの間のペアリングシーケンスを開始することができる。別の実施例では、無線機２１７を使用して、ホストデバイスから音楽ダウンロードを受信し、ケース２０４に保存することができる。
【００４９】
蓋センサ２２０は、ケースの蓋（例えば図１に示す蓋１２０）が開放位置にある場合、及び閉鎖位置にある場合を検出できる。いくつかの実施形態では、ケースプロセッサ２１０は蓋センサ２２０に結合しており、蓋センサから蓋の開放と閉鎖の場合を示す信号を受信する。より具体的には、いくつかの実施形態において、蓋センサ２２０は、蓋が開放した場合を検出すると「開放」信号を生成してプロセッサ２１０に送信し、蓋の閉鎖を検出すると蓋センサ２２０は、「閉鎖」信号を生成してプロセッサ２１０に送信する。プロセッサ２１０は、蓋が開放位置にある場合には（例えば「開放」信号の受信に応じて）、一対のイヤホン２０２ａ、２０２ｂと通信しそのワイヤレス無線機をオンにして、ユーザがイヤホンを使用できる状態にし、蓋が閉鎖位置にあるときには、ワイヤレス無線機をオフにして電力を温存するように構成されている。各種実施形態では、蓋センサ２２０は、以下により詳細に説明するように、ケースの蓋の開放時にはペアリングモードに入るようケースプロセッサ２１０をトリガーすることもできる。いくつかの実施形態では、ケースプロセッサ２１０は、上述のように有線接続を使用し、イヤホンインターフェース２４５及びケースインターフェース２７０を介して一対のイヤホン２０２ａ、２０２ｂと通信する一方で、他の実施形態では、ケースプロセッサ２１０は、有線接続を使用して、又は有線接続を使用せずに、インターフェース２４５、２７０を介してイヤホン２０２ａ、２０２ｂと無線通信を行うことができる。いくつかの実施形態では、蓋センサ２２０は、タクトスイッチ、静電容量センサ、磁気センサ（例えばホール効果）、又は光センサなどであるがこれらに限定されない任意の種類の機械又は電気スイッチであってよい。
【００５０】
ケースバッテリ２２７は、ケース２０４に関連付けられる回路に電力を供給し、充電式バッテリであってもよく、それは電源２０５及び電源インターフェース２５０を介して、エンクロージャ充電回路２２５によって充電される。ケースバッテリ２２７は、イヤホンインターフェース２４５にも結合され、イヤホン充電回路２３０と共に、一対のイヤホン２０２ａ、２０２ｂを充電できる。いくつかの実施形態では、イヤホン充電回路２３０は、ケース２０４が電源２０５に結合されていなくても、キャビティ１１０ａ、１１０ｂ内に適切に格納されているときはいつでも、一対のイヤホン２０２ａ、２０２ｂを充電できる。したがって、ケース２０４は、一対のイヤホン２０２ａ、２０２ｂを充電可能であり、同時に、ケースバッテリ２２７が十分な電荷を有する限り、このケースは、例えば、ユーザのポケット内にある。様々な実施形態では、ケースバッテリ２２７は、ケース２０４内に密閉でき、同時に、いくつかの実施形態では、ケースバッテリは、保守及び／又は別の充電済みのバッテリとの交換のために取り外し可能であってもよい。ケースプロセッサ２１０は、ケース充電回路２２５に追加的に結合でき、ケースバッテリ２２７の充電を制御できる（例えば、バッテリに供給される電圧及び電流を制御して、充電速度及びバッテリの寿命を最適化する）。いくつかの実施形態では、ケース充電回路２２５は、ＤＣ／ＤＣ変換器、ＡＣ／ＤＣ変換器、バッテリ電圧レベル監視回路及び／又はセーフティ機能を含み、ケースバッテリ２２７を適切に充電できる。
【００５１】
同様に、いくつかの実施形態では、ケースプロセッサ２１０は、イヤホン充電回路２３０に結合でき、イヤホンインターフェース２４５を介して、一対のイヤホン２０２ａ、２０２ｂ内のバッテリの充電を制御できる（例えば、バッテリに供給される電圧及び電流を制御し、充電速度及びバッテリの寿命を最適化する）。様々な実施形態では、イヤホン充電回路２３０は、ＤＣ／ＤＣ変換器、バッテリ電圧レベル監視回路及び／又はセーフティ機能を含み、イヤホンバッテリを適切に充電できる。
【００５２】
様々な実施形態では、ケース２０４は、１つ以上の充電指示器２３５を含むことができ、ケースバッテリ２２７及び／又は一対のイヤホンバッテリの充電レベルを指示して、ユーザがケース１００の外面で指示器を見ることができるようにする（図１参照）。いくつかの実施形態では、充電指示器２３５は、３つのＬＥＤを含み、１つはケースバッテリ２２７の状態を示し、１つは一対のイヤホン２０２ａ、２０２ｂの各々のバッテリ状態を示すことができる。様々な実施形態では、充電指示器２３５は、各バッテリがフル充電に近い場合は第１の色（緑など）、各バッテリが７５％未満まで充電されている場合は第２の色（黄色など）、充電されていない又はわずかしか充電されていない場合は第３の色（赤など）であってもよい。いくつかの実施形態では、充電指示器２３５は、バッテリ２２７、イヤホン１１５ａ及びイヤホン１１５ｂそれぞれについて、複数のＬＥＤを含むことができ、ＬＥＤ灯の数は、各部品のバッテリの強度を示す。例えば、１つの特定の例では、三組の３つのＬＥＤがケース２０４に含まれる場合がある。
【００５３】
いくつかの実施形態では、ケース２０４は、１つ以上のユーザ入力デバイス２４０を含んでいてもよい。入力デバイス２４０に含まれる各々は、ボタン又は他の種類の入力であってもよく、ユーザによってアクティブ化、又はユーザからの入力の受信に応じて、プロセッサ２１０又はケース２０４内の他の回路に通信できる信号を生成する。プロセッサ２１０又は他の回路は、その後、信号に従って動作できる。例えば、様々な実施形態では、一対のイヤホン２０２ａ、２０２ｂによって用いられる無線通信機は、Ｂｌｕｅｔｏｏｔｈ（登録商標）又は、一対のイヤホンと、電子デバイスの無線送信機との間で通信を確立するのに、ペアリングシーケンスを必要とする他の無線システムであってもよい。一。このような実施形態では、入力デバイス２４０が無線ペアリングボタンであれば、プロセッサ２１０は、イヤホンインターフェース２４５を介してイヤホンに信号を送信し、一対のイヤホン２０２ａ、２０２ｂ内の無線通信機をペアリングモードに配置できる。より詳細には、いくつかの実施形態では、ユーザは、ケース２０４上に配置したペアリングボタンを押し、ケースプロセッサ２１０に通知し、インターフェース２４５を介して、一対のイヤホン２０２ａ、２０２ｂがペアリングモードに入るように命令できる。いくつかの実施形態では、一対のイヤホン２０２ａ、２０２ｂは、ケース内（図１に示したようにキャビティ１１０ａ、１１０ｂ内）にあることが必要とされるが、ペアリングモードに入ると、他の実施形態では、イヤホンはケース２０４内にある必要はなく、ケースの無線通信範囲内にあるだけでよい。無線ペアリングに関する更なる詳細は、本出願の以降で説明される。
【００５４】
ここで図３を参照すると、ケース１００の簡略化された断面斜視図が示されている。図３に示したように、ケース１００は、一対のイヤホン１１５ａ、１１５ｂと様々な電子回路を保持するためのキャビティ１１０ａ、１１０ｂを有するハウジング１０５を含んでいる。ケース１００は、ハウジング１０５に取り付けた蓋１２０を更に含み、蓋１２０は、１つ以上のキャビティ１１０ａ、１１０ｂ上に位置決めされ、ハウジング内の一対のイヤホン１１５ａ、１１５ｂを完全に収容する閉鎖位置と、キャビティ１１０ａ、１１０ｂを露出させ、ユーザが、キャビティ内のイヤホンを取り外し又は交換できるようにする開放位置との間で動作可能である。
【００５５】
上で説明したように、蓋１２０は、接合部３０５を介してハウジング１０５に枢動可能なように取り付けられ、蓋が、閉鎖位置と開放位置との間で動作できるようにする。いくつかの実施形態では、蓋１２０は、閉鎖位置と開放位置で双安定位置を有するが、それらの位置の間で、閉鎖位置又は開放位置のいずれかに引き寄せられるように不安定な双安定位置を有することができる。様々な実施形態では、双安定動作は、以降でより詳しく説明されるように、第１の対の磁気素子３１０ａ、３１０ｂと、第２の対の磁気素子３１５ａ、３１５ｂを利用することによって実現される。いくつかの実施形態では、蓋センサ２２０が、ハウジング１０５内に配置され、蓋１２０が閉鎖位置にある場合（例えば、検出可能媒体３２０が蓋センサに隣接するとき）、及び蓋が開放位置にある場合（例えば、検出可能媒体が蓋センサに隣接しないとき）を検出するように構成できる。いくつかの実施形態では、検出可能媒体は磁性材料であってもよい。
【００５６】
一対のイヤホン１１５ａ、１１５ｂは、キャビティ１１０ａ、１１０ｂ内に適合でき、各キャビティは、イヤホンの１つを受信するようなサイズ及び形状である。いくつかの実施形態では、各イヤホンがその各キャビティ１１０ａ、１１０ｂ内に完全に挿入されると、各イヤホンの一部は、キャビティから延び、ユーザがケースからイヤホンを容易に掴み取り出せるようにする。蓋１２０はキャビティ（又は図３に示したように一対のキャビティ３６０ａ、３６０ｂ）を含むことができ、その各キャビティ１１０ａ、１１０ｂから延びる各イヤホンの一部は、その蓋１２０のキャビティ内に延びる。図３には示されていないが、各キャビティ３６０ａ、３６０ｂは、キャビティが取り囲む各イヤホンの一部のサイズ及び形状に適合するようなサイズ及び形状にして、ケース１００内にイヤホンをより確実に格納できる。
【００５７】
各イヤホンは、イヤホンのハウジング内に配置したスピーカアセンブリ（図３には示さず）を含むことができる。スピーカアセンブリは、指向性音声ポートから音声を発するように位置決めした駆動ユニットを含むことができる。駆動ユニットは、電磁音声コイル、スピーカ振動板及び音声コイルに動作可能なように結合した駆動磁石（図３では磁石３２５として示した）を含み、電気信号に応じて振動板を移動させ、音声を生成できる。駆動磁石に加えて、本開示のいくつかの実施形態によるイヤホンは、音声コイルに動作可能なように結合されていない追加の磁気プレート３３０を含むことができる。磁石３２５と磁気プレート３３０のいずれか又は両方は、ケース１００内に配置した少なくとも１つのハウジング磁気コンポーネント１３０に引き付けられる。引力は十分強く、以降でより詳しく説明されるように、第１のイヤホン１１５ａを第１のキャビティ１１０ａ内に、第２のイヤホン１１５ｂを第２のキャビティ１１０ｂに磁気的に保持する。いくつかの実施形態では、磁気プレート３３０は、磁性材料から作製され、様々な実施形態では、金属射出成型工程を用いて作製できる。いくつかの実施形態では、磁気プレート３３０は磁化されるが、他の実施形態では、それは磁化されないが、磁気的に引き付け可能である。
【００５８】
磁気コンポーネント１３０と磁気プレート３３０との間の磁気的引力を増大させるために、各イヤホン内の磁気プレート３３０は、イヤホンハウジングに隣接する方向に配置できる。追加的に、磁気プレートは、ハウジングの曲率に一致するような輪郭を備え、磁気プレートの表面領域全体で、磁気プレートとハウジングの間の最小の距離を保証する。同様に、ハウジング磁気コンポーネント１３０又はその少なくとも一部は、イヤホンをキャビティ内に受容したとき、磁気プレート３３０がある場所から直接離間した位置で、受容キャビティの表面にできるだけ接近するように配置できる。いくつかの実施形態では、ハウジングコンポーネント１３０は、受容領域の曲率に一致する（その各イヤホンの曲率に適合する）ような輪郭を備え、ハウジング磁気コンポーネント１３０と磁気プレート３３０の間の距離を最小化できる。
【００５９】
いくつかの実施形態では、ハウジング１０５と蓋１２０は同じ材料から作製できるが、様々な実施形態では異なる材料から作製することもできる。いくつかの実施形態では、ハウジング１０５及び／又は蓋１２０の双方は、プラスチック材料、ステンレス鋼、アルミニウム又は任意の他の材料から作製できる。
【００６０】
充電システム１２５は、回路基板３３５又は他の電気経路構造、充電ケースバッテリ２２７、一対のイヤホン１１５ａ、１１５ｂへの電気的相互接続部３４０、プロセッサ２１０などの１つ以上の電子コンポーネント、及び電源２０５（図２参照）に接続する電気コネクタ３４５を含むことがきる。いくつかの実施形態では、コネクタ３４５は、例えば、ＵＳＢコネクタなどの非独自仕様のインターフェースであってもよく、Ａｐｐｌｅ  Ｉｎｃによって開発されたＬｉｇｈｔｎｉｎｇコネクタなどの独自仕様のインターフェースであってもよい。様々な実施形態では、コネクタ３４５は、以下でより詳しく説明されるように液密であってもよい。１つ以上の充電指示器２３５は、ケース１００の外面３５０上で視認可能である。いくつかの実施形態では、一対のイヤホン１１５ａ、１１５ｂの各イヤホンは、以降でより詳しく説明されるように、各イヤホン１１５ａ、１１５ｂの心棒部の端部に配置したコネクタ３４７によって、充電システム１２５に電気的に結合できる。
イヤホンコネクタ
【００６１】
図４Ａ〜図８Ｃは、一対のイヤホン１１５ａ、１１５ｂの別個のイヤホンと、ケース１００（図３参照）との間で使用可能で、図３のコネクタ３４７と同様の電気的コネクタのいくつかの例を示している。図４Ａ〜図８Ｃは各々、第１のイヤホン１１５ａのイヤホンコネクタを示しているが、当然のことながら、第２のイヤホン１１５ｂは、第１のイヤホン１１５ａと同一に構成でき、したがって、同様の電気コネクタを含んでいる。追加的に、図４Ａ〜図８Ｃに示した実施例は、イヤホンの心棒の端部に配置した外部コンタクトを含むが、コンタクトは、他の実施形態では異なる場所にあってもよい。
【００６２】
図４Ａ及び図４Ｂは、本開示の一実施形態に係る、電気コネクタ４００及び電気コネクタ４０５の簡略化した断面図であり、電気コネクタ４００は、イヤホンケース１００に組み込まれ、電気コネクタ４０５は、イヤホン１１５ａの心棒部の端部にある。電気コネクタ４０５は、本開示のいくつかの実施形態に従って、電力及び／又はデータを導くために使用される。コネクタ４０５は、イヤホンインターフェースの一部であってもよく、第１及び第２のイヤホンコンタクト４１０、４１５を各々含んでいてもよい。図４Ｂに、電気コネクタ４０５の底面図を示す。いくつかの実施形態では、イヤホンコンタクト４１０、４１５は環状であり、絶縁体４２０によって分離できる。レセプタクルコネクタ４００は、上で示したケース１００等のケース内で使用でき、第１のイヤホンケースコンタクト４２５と第２のイヤホンケースコンタクト４３０を有することができる。第１の環状コンタクト４１０は、第１のイヤホンコンタクト４２５とインターフェースし、第２の環状コンタクト４１５は、第２のイヤホンコンタクト４３０とインターフェースする。第１及び第２の環状コンタクト４１０、４１５は、金、銀又はパラジウムめっき銅を含む任意の種類の導電性材料であってもよい。
【００６３】
いくつかの実施形態では、第１及び第２のイヤホンコンタクト４１０、４１５は各々、電力コンタクトと接地コンタクトである。つまり、第１及び第２のイヤホンコンタクト４１０、４１５は各々、一方を電力用に使用でき、他方を接地用に使用できる。例として、いくつかの実施形態では、第１のコンタクト４１０は電力用に使用され、第２のコンタクト４１５は接地し、他の実施形態では、第１のコンタクト４１０は接地用に使用され、第２のコンタクト４１５は電力用に使用される。様々な実施形態では、２つより多くのコンタクトを有する他のコネクタ構成を使用できる。
【００６４】
第１及び第２のイヤホンケースコンタクト４２５、４３０は、ケース１００の電気的相互接続部３４０を用いて、充電システム１２５（図３参照）に結合され、各イヤホン１１５ａ、１１５ｂの充電及び通信を容易にする。様々な実施形態では、円形マイクロホン開口部４３５が、各イヤホン１１５ａ、１１５ｂの第２の環状コンタクト４１５の中心に配置され、双方向電話通信及び／又は雑音消去を容易にする。マイクロホンアパーチャ４３５は、美的音響メッシュによってカバーされ、マイクロホンを破片及び損傷から保護する。
【００６５】
図５Ａ及び図５Ｂは、本開示の一実施形態に従って、イヤホンケース１００に組み込み可能な別の例のレセプタクルコネクタ５００と、イヤホン１１５ａの心棒部の端部における電気コネクタ５０５を示す。ただし、コネクタ５００は、以降でより詳しく説明するように、１つの環状コンタクト及び１つの中心コンタクトを有する。コネクタ５０５は、イヤホンインターフェースの一部であってもよく、第１及び第２のイヤホンコンタクト５１０、５１５を各々含んでいてもよい。図５Ｂに、電気コネクタ５０５の底面図を示す。いくつかの実施形態では、リングコンタクト５１０は、リング状であってもよく、円形コンタクト５１５は円形であってもよく、これらのコンタクトは絶縁体５２０によって分離される（例えば、絶縁体５２０は空隙であってもよい）。リングコンタクト５１０は、第１のイヤホンコンタクト５２５とインターフェースすることができ、円形コンタクト５１５は第２のイヤホンコンタクト５３０とインターフェースすることができる。様々な実施形態では、円形マイクロホン開口部５３５は、リングコンタクト５１０と円形コンタクト５１５との間に配置され、一対のイヤホン１１５ａ、１１５ｂの１つ以上が、双方向電話通信に使用される。
【００６６】
図６Ａ及び図６Ｂは、本開示の一実施形態に従って、イヤホンケース１００内に組み込み可能な別の例のレセプタクルコネクタ６００と、イヤホン１１５ａの心棒部の端部に配置された電気イヤホンコネクタ６０５を示す。レセプタクルコネクタ６００は、以降でより詳しく説明するように、電気イヤホンコネクタ６０５と電気的に接触できる。イヤホンコネクタ６０５は、イヤホンインターフェースの一部であってもよく、第１及び第２のイヤホンコンタクト６１０、６１５を各々含むことができる。図６Ｂに、電気イヤホンコネクタ６０５の底面図を示す。図６Ｂに示したように、コンタクト６１０、６１５は、対向して対称的な関係で互いに配置されてもよい。いくつかの実施形態では、イヤホンコンタクト６１０と６１５は各々、部分的に環状の形状（つまり、部分的なリング）を有してもよく、各コンタクトの開口部を他方に対向させる。例えば、コンタクト６１０は端部６１０ａ、６１０ｂを含むことができ、コンタクト６１５は端部６１５ａ、６１５ｂを含むことができ、端部６１０ａは端部６１５ａから離間し、端部６１０ｂは端部６１５ｂから離間している。図６Ｂは各コンタクト６１０、６１５をハーフリングとして示しているが、他の実施形態では、コンタクトはより短い長さの円弧を含むことも、及び／又は異なる対向形状を共に有することもできる。
【００６７】
イヤホンコンタクト６１０、６１５は、絶縁体６２０によって互いに分離できる（例えば、絶縁体６２０は、以降でより詳しく説明されるように誘電体材料であってもよい）。イヤホンコンタクト６１０は第１のイヤホンケースコンタクト６２５とインターフェースすることができ、イヤホンコンタクト６１５は第２のイヤホンケースコンタクト６３０とインターフェースすることができる。様々な実施形態では、円形マイクロホン開口部６３５が、イヤホンコンタクト６１０と６１５の間に配置され、一対のイヤホン１１５ａ、１１５ｂは双方向電話通信に使用される。レセプタクルコネクタ６００は、以降でより詳しく説明するように、イヤホンケースコンタクト６２５、６３０を保持するコンタクトキャリア６４０を含むことができる。いくつかの実施形態では、コンタクトキャリア６４０は、イヤホンレセプタクルキャビティ６４５を液密にすることができる。
【００６８】
いくつかの実施形態では、第１及び第２のイヤホンコンタクト６１０、６１５は各々、イヤホンがキャビティ内に配置されたとき、イヤホンケースのイヤホン受容キャビティ内に延びるコンタクト部を含むことができる。レセプタクルコネクタ６００は、イヤホン受容キャビティの両側に配置され、その中に延びる一対のイヤホンケースコンタクト６２５、６３０を含むことができる。イヤホンケースコンタクト６２５、６３０は、以降で更に説明されるように、コンタクトキャリア６４０の受容スロット６２８、６３３内に保持できる。各イヤホン６１０、６１５の接点部は、弓形の断面を有することができ、イヤホンがイヤホン受容キャビティに挿入される際の嵌合コンタクトイベント中、コンタクト６２５、６３０の弓形のコンタクト６２６、６３１と接触する。イヤホンコンタクトとイヤホンケースコンタクト上の弓形の表面の組合せによって、イヤホンがレセプタクルコネクタに挿入され、そこから引き出されるたびに、コンタクト拭き取り動作を可能にし、確実な相互接続を形成する。図６Ａでは、コンタクト６２５、６３０は撓んだ状態で示され、イヤホン１１５ａがその受容キャビティに完全に挿入され、イヤホンコンタクトがイヤホンケースコネクタと係合するようにしたときのおおよその位置を示す。
【００６９】
同じコンタクト６２５、６３０は、撓んでいない状態６２７、６３２で図６Ａにも示されており、イヤホン１１５ａのイヤホンコンタクトに嵌合する前に、イヤホン受容キャビティ内に延びるコンタクトを示している。嵌合イベント中、イヤホン１１５ａは、イヤホン受容キャビティ内により深く挿入されるので、イヤホンケースコンタクト６２５、６３０は、イヤホンコンタクトと接触し、外向きに撓む。イヤホンコンタクト及びイヤホンケースコンタクトの外部接触面は、嵌合イベント中、及びイヤホン１１５ａがイヤホン受容キャビティから引き出される脱嵌合イベント中の両方で互いに摩擦接触する。様々な実施形態では、コンタクト６２５、６３０の撓んだ弓形部６２６、６３１は各々、第１及び第２のイヤホンの挿入及び引き出し中、第１及び第２のイヤホンコンタクト６１０、６１５の弓形部によって各々撓む。弓形部は直接接触し、コンタクト６２５、６３０は撓んでいる（例えば、ばね装荷状態にある）ので、一対のイヤホン１１５ａ、１１５ｂは、ケースと十分に嵌合しているとき、それらに加えられた垂直（例えば、排出）力を有する。いくつかの実施形態では、本明細書でより詳しく説明されるように、１つ以上の磁石を用いて、垂直力を克服し、それらの各キャビティ内にイヤホンを保持できる。
【００７０】
いくつかの実施形態では、コンタクト６２５、６３０の一方は、まず他方と異なる高さでコンタクト６２５、６３０の一方に予備負荷をかけることで（例えば、順次接触）、イヤホンコンタクト６１０、６１５と接触するように構成できる。これは、いくつかの実施形態では、それと能動的電気接続を行う前に、まずイヤホンに接地接続を行うために役立つ。拭き取りコンタクト及びそれに続く接触コンタクトは、本明細書で開示されるコネクタの実施形態のいずれかで使用される。
【００７１】
様々な実施形態では、コンタクトキャリア６４０は、コンタクトインターフェース領域の下に配置される破片凹部６０９を含むことができる。破片凹部６０９は、側壁６０９ａによって画定されるカップ状の形状を有し、いずれかのイヤホンキャビティ内に落下する破片に場所を提供するために役立つことができる。破片凹部６０９は、イヤホンケースコンタクト受容スロット６２８、６３３の間に配置され、接触領域から離間し、破片が、レセプタクルコネクタ６００と電気的に接触するイヤホンに干渉しないようにする。破片凹部６０９は更に、イヤホン受容キャビティに対して開口させ、破片が、必要に応じて周期的に清掃されるようにできる。いくつかの実施形態では、別個の破片凹部６０９が各イヤホンコンタクト領域の下に配置されるが、他の実施形態では、単一の破片凹部が十分に広く、両方の接触領域から破片を捕捉できる。
【００７２】
破片凹部６０９又は同様の破片捕捉構造は、本明細書で開示されるコネクタ実施形態のいずれかに含めることができる。一実施形態では、破片凹部６０９は、コンタクト６２５、６３０の弓形部６２６、６３１の下で破片凹部６０９の直径の５０％以上である深さを有する。別の実施形態では、破片凹部６０９は、破片凹部６０９の直径の７５％以上の深さを有するが、別の実施形態では、その深さは、直径の１００％以上である（例えば、深さと直径の比率は１：１である）。
【００７３】
いくつかの実施形態では、コンタクト６２５は、銅、ニッケル及び銀合金から作製されるが、他の実施形態では、リン及びブロンズ合金から作製でき、他の実施形態では、異なる合金が用いられる。
【００７４】
ここで図６Ｃを参照すると、レセプタクルコネクタ６００の分解図が示されている。図６Ｃに示したように、コネクタ６００は、一対のイヤホン用の受容キャビティを画定する第１及び第２の外殻６５０、６５５を含み、それは、ケース１００内に各イヤホンの心棒部を保持しガイドする（図１参照）。図６Ｃには示されていないが、各外殻の受容キャビティは、より大きなイヤホン受容開口部に開口する細長いチューブ部を含むことができる。細長いチューブ部は、イヤホンの心棒を収容するようなサイズ及び形状にでき、より大きなイヤホン受容開口部は、耳インターフェース部（つまり、ユーザの耳内に適合するイヤホンの部分）を部分的に又は完全に収容するようなサイズ及び形状にできる。
【００７５】
いくつかの実施形態では、外殻６５０、６５５は、コンタクトキャリアによって共に接合される別個のコンポーネントであってもよいが、他の実施形態では、外殻６５０、６５５は、例えば、成型工程、３Ｄ印刷工程で、又は切削工程で形成できる単一のコンポーネントであってもよい。コンタクトキャリア６４０は、第１のイヤホンとインターフェースすることができる第１及び第２のイヤホンコンタクト６２５、６３０を保持し、更に第２のイヤホンとインターフェースすることができる第３及び第４のイヤホンコンタクト６６０、６６５を各々保持する。襟部６７０は、コンタクトキャリア６４０の上面６７５に接合できる。いくつかの実施形態では、襟部６７０は、取り外し可能なタイバー（図６Ｃには示さず）を有することができ、それは、組み立て中に襟部の３つの部品を共に保持し、組立後に取り外して、完成したイヤホンケースにタイバーが含まれないようにする。
【００７６】
第１及び第２の外殻６５０、６５５の遠位端６８０、６８５は各々、外殻６５０、６５５の細長いチューブ部より細くでき、各遠位端６８０、６８５は、襟部６７０内に適合させ、それに接合し、図６Ｄに示した完成した外殻及びレセプタクルコネクタアセンブリ６９０を形成する。完成したアセンブリでは、各イヤホンケースコンタクト６２５、６３０は、外殻６５０の各コンタクト開口部に嵌合し、各イヤホンケースコンタクト６２５、６３０は、外殻６５５の各コンタクト開口部（例えば、図６Ｃで視認できる開口部６８７）内に嵌合する。各コンタクト開口部（例えば、開口部６８７）によって、その各コンタクトは、その各外殻６５０、６５５内のイヤホン受容キャビティ内に延び、嵌合イベント中、イヤホンコンタクトと電気的に接触できる。組立時には、外殻及びコンタクトアセンブリ６９０は、本明細書で定義されるような液密シールを形成できる。外殻及びコンタクトアセンブリ６９０は、次に図１に示したケース１００等のケースに組み立てられる。いくつかの実施形態では、第１及び第２の外殻６５０、６５５は、２つのキャビティを有し、１つのキャビティが各イヤホン用である単一の外殻であってもよい。
【００７７】
本明細書で定義されるように、液密シールは、Ｉ．Ｐ．６８等級としても知られるＩｎｔｅｒｎａｔｉｏｎａｌ  Ｐｒｏｔｅｃｔｉｏｎ  Ｒａｔｉｎｇ  ａｎｄ  Ｉｎｔｅｒｎａｔｉｏｎａｌ  Ｅｌｅｃｔｒｏｃｈｅｍｉｃａｌ  Ｃｏｍｍｉｓｓｉｏｎ（ＩＥＣ）６０５２９によって定義される以降の１つ以上の等級に準拠するシールを意味する。いくつかの実施形態では、液密シールは、水の有害な浸入に対してコネクタアセンブリを保護し、１（滴下する水）及び８（１ｍを超える浸漬）の間の「液体の浸入」等級を有する。様々な実施形態では、液密シールは、１（滴下する水）及び４（跳ね返る水）の間の等級付けされるが、いくつかの実施形態では、液密シールは、２（デバイスを１５°傾斜させて水を滴下する）及び５（ウォータジェット）の間に等級付けされる。様々な実施形態では、液密シールは、３（噴霧する水）及び６（強力なウォータジェット）の間に等級付けされるが、いくつかの実施形態では、液密シールは、４（跳ね返る水）及び７（最大１ｍまでの浸漬）の間の等級付けされる。様々な実施形態では、液密シールは、５（ウォータジェット）及び８（１ｍを超える浸漬）の間に等級付けされるが、いくつかの実施形態では、液密は、シールが、最大１００フィートで３０分までの液体の浸入に対して電子デバイスを保護することを意味する。
【００７８】
ここで図７Ａ及び図７Ｂを参照すると、図６Ａ及び図６Ｂに示したコネクタ６００と同様のレセプタクルコネクタ７００の別の例が示されている。ただし、以降でより詳しく説明するように、レセプタクルコネクタ７００は、コンタクト及びコンタクトキャリア用の異なる構成を有する。本実施形態は、図６Ａ及び図６Ｂに示した同じイヤホンコネクタを使用できるが、イヤホンコンタクトは半円形であり、絶縁体によって分離されている。
【００７９】
コンタクトキャリア７４０は、第１のイヤホンとインターフェースすることができる第１及び第２のイヤホンコンタクト７２５、７３０を各々保持し、更に第２のイヤホンとインターフェースすることができる第３及び第４のイヤホンコンタクト７６０、７６５を各々保持する。キャップ７７０は、接着剤７７３の層を介して、コンタクトキャリア７４０の底面７７５に結合できる。図７Ｂに示したように第１及び第２の外殻７５０、７５５の遠位端は各々、コンタクトキャリア７４０内に適合し、そこに接合し、完成した外殻及びレセプタクルコネクタアセンブリ７９０を形成する。外殻及びコンタクトアセンブリ７９０は液密であってもよく、本明細書で定義される範囲の１つ以上に適合する。外殻及びコンタクトアセンブリ７９０は、次に図１に示したケース１００等のケースに組み立てられる。
【００８０】
コンタクトキャリア６４０と同様に、第１及び第２のイヤホンコンタクトは、弓形の断面を有することができ、レセプタクルコネクタコンタクト７２５、７３０の弓形部と接触できる。弓形の表面の組合せによって、イヤホンがレセプタクルコネクタに挿入され、そこから引き出されるたびに、拭き取り動作を可能にし、確実な相互接続を形成する。更に、いくつかの実施形態では、１つのコンタクトが、まずイヤホンと接触するように構成できる。一例では、コンタクトは異なる高さで予備負荷がかけられる。これは、いくつかの実施形態では、まずそれと能動的な電気接続を行う前にイヤホンを接地するために役立つ。
【００８１】
ここで図８Ａ及び図８Ｂを参照すると、図４Ａ及び図４Ｂに示したコネクタ４００と同様のレセプタクルコネクタ８００の別の例が示されている。ただし、以降でより詳しく説明するように、レセプタクルコネクタ８００は、内側及び外側コンタクト用に異なる構成を有する。
【００８２】
いくつかの実施形態では、イヤホンコンタクト８１０、８１５は環状であり、電気的絶縁体８２０によって分離される。第１の環状コンタクト８１０は、第１のイヤホンコンタクト８２５とインターフェースし、第２の環状コンタクト８１５は、第２のイヤホンコンタクト８３０とインターフェースすることができる。第１及び第２の環状コンタクト８１０、８１５は、銅及び銅合金を含む任意の種類の導電性材料から形成でき、任意の金属でめっきできる。様々な実施形態では、円形マイクロホン開口部８３５が、第２の環状コンタクト８１５の中央に配置され、一対のイヤホン１１５ａ、１１５ｂ（図１参照）の１つ以上が、双方向電話通信用に使用される。マイクロホンアパーチャ８３５は、美的音響メッシュによってカバーされ、マイクロホンを破片及び損傷から保護する。
【００８３】
コンタクトキャリア６４０と同様に、第１及び第２のイヤホンコンタクトは弓形の断面を有し、レセプタクルコネクタ８００内のコンタクト８２５、８３０の弓形部に各々接触できる。弓形の表面の組合せによって、イヤホンがレセプタクルコネクタに挿入され、そこから引き出されるたびに、拭き取り動作を可能にし、確実な相互接続を形成する。追加的に、図８Ａに示したように、いくつかの実施形態では、イヤホン心棒の外面８２１は、イヤホンコンタクトの外側面と同一平面にできる。更に、いくつかの実施形態では、１つのコンタクトが、まずイヤホンと接触するように構成できる。一例では、コンタクトは異なる高さで予備負荷がかけられる。これは、いくつかの実施形態では、まずそれと能動的な電気接続を行う前にイヤホンを接地するために役立つ。
【００８４】
ここで図８Ｃを参照すると、レセプタクルコネクタ８００の分解図が示され、第１及び第２の外殻８５０、８５５にそれをどのように結合し、ケース１００（図１参照）内に各イヤホンの心棒部を保持しガイドするかを示している。コンタクトキャリア８４０は、第１のイヤホンと共に用いられる第１及び第２のイヤホンコンタクト８２５、８３０を各々保持し、更に第２のイヤホンと共に用いられる第３及び第４のイヤホンコンタクトを保持する。コンタクトキャリア８４０は、第１及び第２の外殻８５０、８５５の遠位端８８０、８８５に各々結合され、完成した外殻及びレセプタクルコネクタアセンブリを形成する。外殻及びコンタクトアセンブリは、本明細書で定義されるように液密シールを形成できる。外殻及びコンタクトアセンブリ６９０は、次に図１に示したケース１００等のケースに組み立てられる。いくつかの実施形態では、第１及び第２の外殻８５０、８５５は、２つのキャビティを有し、１つのキャビティが各イヤホン用である単一の外殻であってもよい。
【００８５】
いくつかの実施形態では、一対のイヤホン１１５ａ、１１５ｂ上の電気コネクタ（例えば、図４Ａのコネクタ４０５）は、環状の（例えば、リング状の）外部接触型コネクタでなくてもよく、ピン及びソケット、ピン及びコンタクトパッド又は拭き取りアーム及びコンタクトパッドなどであるがこれらに限定されない任意の他の種類の電気コネクタであってもよい。様々な実施形態では、１つ以上のコンタクトパッドは、一対のイヤホンの心棒部の垂直部に配置され、拭き取りアームはそれらとインターフェースすることができる。別の例では、インターフェースコネクタは、イヤホンハウジングの耳部上に配置される。嵌合コネクタは、ケース内に配置され、イヤホンがその各キャビティに配置されたとき、コネクタとインターフェースすることができる。いくつかの実施形態では、このようなコネクタは金めっきされ、長い期間、ユーザの耳に接触した結果として発生する可能性がある腐食を最小化できる。更に他の例では、イヤホンの無線誘導充電を使用できる。
イヤホンの磁性保持
【００８６】
図９Ａ及び図９Ｂは、ワイヤレスイヤホン１１５ａ、１１５ｂのうちの１つの、それぞれ正面及び後面の斜視図を図示する。図９Ａ及び図９Ｂに示すように、イヤホン１１５ａ、１１５ｂは、耳インターフェース部分９０３及び心棒部９１０を有する外部ハウジングを備える。耳インターフェース部分９０３は、少なくとも部分的にユーザの耳内にフィットするように形成されてもよく、かつ本明細書において更に詳細に説明されるように、非閉鎖であってもよい。審美的な音響性のメッシュ９１５は、耳インターフェース部分９０３上にフィットし得、かつ内部スピーカからユーザの耳へ音が移動することを可能にする。いくつかの実施形態は、応答にこたえるか、再生を中断するか、若しくはミュートにするか、又は他の機能を果たすために用いられ得る１つ以上のユーザ入力９５５を有し得る。イヤホン１１５ａ、１１５ｂの対のための外側ハウジングは、ＡＢＳ又はポリカーボネートを含むがこれらに限定されないプラスチック材料からできていてもよい。
【００８７】
ここで図１０を参照すれば、イヤホン１１５ａ、１１５ｂの対のためのケース１００のハウジング１０５の上面図（図１参照）を図示している。図１０に示すように、ハウジング１０５は、イヤホンのための複数の保持磁石９０５ａ〜９０５ｈ、及び１つ以上のセンサを備えてもよい。イヤホン１１５ａ、１１５ｂは、キャビティ１１０ａ、１１０ｂに挿入されてもよく、保持磁石９０５ａ〜９０５ｈによってキャビティ内に保持されてもよい。キャビティ１１０ａ、１１０ｂのそれぞれは、心棒部１１６ａ、１１６ｂ、及びイヤホン部１１７ａ、１１７ｂを備えてもよい。イヤホン保持磁石９０５ａ〜９０５ｄを用いて、第１のイヤホン１１５ａを保持し、かつ保持磁石９０５ｅ〜９０５ｈを用いて、第２のイヤホン１１５ｂを保持する。しかし、他の実施形態では、より少ない又は追加の保持磁石９０５ａ〜９０５ｈを用いてもよく、この磁石は、その描写から幾何形状、サイズ及び配置が変化してもよい。
【００８８】
蓋センサ２２０は、蓋１２０（図１参照）が閉じているか開いているかを検出するために用いられ得る。図１０に図示される実施形態では、蓋センサ２２０は、キャビティ１１０ａ、１１０ｂの間に配置されるが、蓋センサは、他の実施形態では異なって配置されてもよい。蓋磁石９１０ａ、９１０ｂは、下に更に詳細に説明されるように、蓋（図１０には示さない）を操作するために用いられてもよく、ある場合には、下にやはり更に詳細に説明されるように、保持磁石９０５ａ〜９０５ｈの強度を増大する場合もある。断面図Ａ−Ａを図１１に示しており、イヤホン１１５ａが、上記で説明される磁石に対してどのように配置され得るかという側面図を図示している。
【００８９】
図１１は、ケース１００中のイヤホン１１５ａの断面図を図示する。図１１に示すように、イヤホン１１５ａは、ハウジング１０５中でキャビティ１１０ａ内に固定される。いくつかの実施形態では、イヤホン１１５ａは、イヤホン保持磁石９０５ｆ及び９０５ｈと位置合わせするように配置されたスピーカ磁石３２５及び／又は磁気プレート３３０を有し得る。スピーカ磁石３２５及び／又は磁気プレート３３０は、１つ以上のイヤホン保持磁石９０５ｆ及び９０５ｈに引き付けられてもよく、かつ一方又は両方が、磁性材料を含んでもよい。
【００９０】
本明細書において規定されるとおり、磁性材料とは、磁性材料を引き付ける磁石の特性によって引き付けられ得るか、又はその特性を獲得できる任意の材料である。これには、強磁性体（すなわち、鉄を含む磁石）並びに非鉄磁石が挙げられる。磁性材料のいくつかの例としては、これらに限定されないが、ネオジム、鋼、ニッケル、コバルト及びアルニコ、アルミニウム−ニッケル−コバルト合金、希土類金属のいくつかの合金、及びいくつかの天然に存在する鉱物、例えば、磁鉄鉱が挙げられる。相対的に、磁石とは、磁化されている磁性材料であって、そのため磁石は磁性材料を引き付ける。
【００９１】
一実施形態では、磁気プレート３３０は、磁性材料を備えてもよく、かつ磁石９０５ｆ及び９０５ｈは、ハウジング１０５が反転されるか又は振盪される場合でさえ、ハウジング１０５中にイヤホン１１５ａを保持するために十分な力で磁気プレートを引き付ける距離内であるように配向されて配置されてもよい。しかし、保持磁石９０５ｆ、９０５ｈの強度は、ユーザが、その指でイヤホン１１５ａを把持し、かつ磁気保持の力よりも大きい力を加えることによってハウジング１０５からイヤホン１１５ａを取り外すことを可能にするように選択されてもよい。更なる実施形態では、保持磁石９０５ｆ、９０５ｈのうちの１つ以上を、スピーカ磁石３２５を引き付けるように配置して配向してもよく、これによって、イヤホン１１５ａをハウジング１０５中に引き付けて、それを保持することを補助してもよい。他の実施形態では、イヤホン排出機構が、このケース中に備えられてもよい。例えば、蓋が開かれたときに（又は排出ボタンが押されたとき）、機械的な排出装置がイヤホンを押し出す。
【００９２】
いくつかの実施形態では、図１０に示されるような追加の磁石を用いて、磁気プレート３３０及び／又はスピーカ磁石３２５に与えられた引力及び保持力を増強してもよい。更に具体的には、蓋磁石９１０ｂを用いて、蓋１２０（又はその蓋中に配置された磁性材料１１０５）を引き付け、かつこれをまたハルバッハアレイの一部として用いて、イヤホン保持磁石９０５の磁場を増強して、より大きい距離からイヤホン１１５ａを引き付けて、それを更に確実に保持してもよい。ハルバッハアレイは、磁気アレイの一方の側では磁場を強化し、もう一方の側では磁場をほぼゼロまで無効にする、永久磁石の特別な配置である。保持磁石９０５ｅ、９０５ｆ及び９０５ｇ（図１０参照）はまた、ハルバッハアレイの一部として用いられてもよい。
【００９３】
ここで図１２を参照して、ハウジング１０５の断面図Ｂ−Ｂは、図１０から示される。図１２に示すように、３つのイヤホン保持磁石９０５ｅ、９０５ｆ及び９０５ｇは、ハウジング１０５内のキャビティ内にイヤホン１１５ａを固定するためにハウジング１０５内に配置される。いくつかの実施形態では、磁石９０５ｇ及び９０５ｅは、イヤホン１１５ａの耳インターフェース部分８０５の円形状に部分的に一致するように傾斜した上面を有し得る。任意の構成又は配列の磁石を用いて、スピーカ磁石３２５及び／又は磁気プレート３３０を引き付けてもよい。いくつかの実施形態では、担体９２０を形成して、１つ以上保持磁石９０５ａ〜９０５ｈを保持及び配置してもよい。
【００９４】
また、図３に関して上記されるとおり、イヤホンそれぞれの中の磁気プレート３３０を、イヤホンハウジングに隣接する方向に配置して、ハウジングの曲率に一致するような輪郭を備え（図１１及び図１２に示されるように）、磁気プレートの間の最小距離を保証してもよく、表面にまたがるハウジングは、磁気プレートであって、最小限の磁気材料を用いて、ハウジング磁気コンポーネントと磁気プレート３３０との間の磁気的な引き付けを増大する。同様に、ハウジング磁気コンポーネント９０５ａ〜９０５ｈのいくつか又は全ては、イヤホンケースの適切な表面に対してできるだけ近くに配置されて、表面に適合する輪郭を備えてもよい。
磁気的に作動するケース
【００９５】
図１３〜図２１は、オーバーセンター位置で磁気的に作動される蓋及びいくつかの例示的な磁石の相対的位置を有するケース１３００を図示する。図１３に示すように、ケース１３００は、図１に図示され、一対のイヤホンを保持するために用いられるケース１００と同様であってもよいが、ケース１３００は、医薬を保管するための容器、タバコを保管するための容器、又は小型のポータブルメディアプレーヤの再充電容器などであるがこれらに限定されない無数の他の目的に用いられてもよい。
【００９６】
ここで図１３及び図１４を同時に参照すれば、いくつかの実施形態では、ケース１３００は、受容開口部１３０１、及びこの受容開口部と反対側に配置される底面１３０２とを有するハウジング１３０５を備えてもよい。上記で説明されるケースと同様に、ケース１３００は、図１３に図示される、閉鎖位置を有してもよく、ここでは、ハウジング１３０５は、このハウジングに対して枢動可能に結合されている蓋１３１０で覆われる。ケース１３００はまた、図１４に図示される開放位置を有してもよく、ここでは、蓋１３１０は、角シータでハウジング１３０５から枢動可能に変位される。ケース１３００は更に、下壁１３０４と反対側の上壁１３０３、及び第２の側壁１３０７と反対側の第１の側壁１３０６を備えてもよく、ここでは、この壁は、受容開口部１３０１と、底面１３０２との間に延びて、受容開口部１３０１と連通するキャビティ１３０８を画定する。受容開口部１３０１は、それぞれが、上壁１３０３、下壁１３０４、第１の側壁１３０６及び第２の側壁１３０７の端部を含む、４つの壁端部１３０９ａ、１３０９ｂ、１３０９ｃ及び１３０９ｄによって更に画定されてもよい。
【００９７】
第１の対の磁気素子１３１５ａ、１３１５ｂは、それらが、お互いに反発するように配向されてもよく、ハウジング１３０５内に配置される第１の対の第１の磁気素子１３１５ａ、及び蓋１３１０内に配置された第１の対の第２の磁気素子１３１５ｂを備える枢動可能接合１３１７の近位に配置される。いくつかの実施形態では第１の対の磁気素子１３１５ａ、１３１５ｂは、両方とも磁石であってもよい。第２の対の磁気素子１３２０ａ、１３２０ｂは、お互いに引き付けるように配向され、ハウジング１３０５内に配置される第２の対の磁気素子の第１の磁気素子１３２０ａ、及び蓋１３１０内に配置された第２の対の磁気素子の第２の磁気素子１３２０ｂを有する、枢動可能接合１３１７と反対側に壁端部１３０９ａに近位に配置される。いくつかの実施形態では、磁気素子１３２０ａ、１３２０ｂの両方とも、磁石であってもよいが、別の実施形態では、磁気素子のうちの１つが、磁石であって、もう一方の要素が磁性材料であってもよい。
【００９８】
いくつかの実施形態では、ケース１３００は、蓋１３１０のオーバーセンター構成を作成するように構成されてもよく、ここでは、この蓋は、閉鎖位置（図１３に図示される）にある場合、第１の安定位置であり、かつ開いた位置（図１４に図示される）にある場合、第２の安定位置であるが、閉鎖位置と開放位置との間では不安定位置である。いくつかの実施形態では、これは、蓋１３１０が、開放位置から閉鎖位置へ移行されるとき、第１の対の磁気素子１３１５ａ、１３１５ｂの間で反発力を圧倒する、第２の対の磁気素子１３２０ａ、１３２０ｂの間の引力によって達成され得る。この条件は、図１５で図示されるようにグラフで説明できる。
【００９９】
いくつかの実施形態では、本明細書に開示される磁気配列のいずれかは、磁石内及び磁石間で磁場を集中させるような多極の構成で配置されてもよい。いくつかの実施形態では、多極が、磁気素子１３２０ａ及び１３２０ｂについて用いられてもよく、ここでは、１３２０ａは、南端に隣接する北端を有し、かつ１３２０ｂは、１３２０ａの北端に引き付ける南端を有し、かつ１３２０ａの南端に引き付ける北端を有する。他の実施形態では、任意の他の配列を用いてもよい。多極配列は、ケースの外側の磁場を弱めて、それによってカードなどの他の磁性物とその上の磁気ストリップとがネガティブに相互作用しないために有益である場合がある。
【０１００】
図１５は、蓋１３１０に対する磁力のグラフを図示する。図１３に示すように、蓋１３１０は、２つの対の磁気素子からその蓋に与えられた力によって、オーバーセンター位置を有する。上記で説明されるとおり、第１の対の磁気素子１３１５ａ、１３１５ｂ（図１３及び図１４参照）は、グラフ上にＦRepulsionと表示された線として示される反発力を有するように配向される。同様に、第２の対の磁気素子１３２０ａ、１３２０ｂは、グラフ上にＦAttractionと表示された線として示される引力を有するように配向される。図１４の試験から、蓋１３１０が閉じられるとき、シータ＝０°の角度であり、かつ蓋が完全に開放されるとき、シータ＝１８０°の角度である（例えば、ハウジング１３０５がその最大程度まで枢動可能に変位される）ことが理解できる。いくつかの角度では、Ｘ°という表示は、蓋１３１０についてオーバーセンター位置であり、ここでは不安定であって、「自動的に」（すなわち、磁気的な引き付けによって）、閉鎖位置又は開放位置のいずれかへ向かって移動する。
【０１０１】
図１５を引き続き参照すれば、０°の角度では、蓋１３１０は閉じており、第２の対の磁気素子１３２０ａ、１３２０ｂの引力ＦAttractionは、第１の対の磁気素子１３１５ａ、１３１５ｂの反発力ＦRepulsionよりも大きく、そのためこの蓋は、閉鎖位置で固定される。いくつかの実施形態では、第１の対の磁気素子１３１５ａ、１３１５ｂ及び第２の対の磁気素子１３２０ａ、１３２０ｂが同じ強度を有する場合でさえ、オーバーセンターの設計が機能する。なぜなら枢動可能接合に対して有する第１の対の磁気素子のテコは、第２の対の磁気素子が枢動可能接合に対して有するテコよりも小さいからである。更に具体的には、第１の対の磁気素子１３１５ａ、１３１５ｂは、枢動可能接合に対して近いので、これが蓋１３１０に対して加えるトルクは、第２の対の磁気素子１３２０ａ、１３２０ｂよりも小さい。
【０１０２】
しかし、蓋１３１０が、より大きい角度のシータへ移動するにつれて（すなわち、開放位置への移行の場合）、第２の対の磁気素子１３２０ａ、１３２０ｂは、第１の対の磁気素子１３１５ａ、１３１５ｂよりも速くお互いから離れて移動する。磁力は、距離と共に指数関数的に変化するので、ＦAttraction（Ｆ引力）は、ＦRepulsion（Ｆ反発力）よりもかなり早く落ち、したがって、ある角度のＸ°では、ＦRepulsion（Ｆ反発力）は、ＦAttraction（Ｆ引力）を克服して、蓋が、開放位置まで引っ張られる。開放位置から閉鎖位置までの移動の際、逆が生じて、オーバーセンターポイントに達した後、その蓋は、閉鎖位置まで引き付けられる。
【０１０３】
いくつかの実施形態では、第１の対の磁気素子１３１５ａ、１３１５ｂは、完全な開放（すなわち、シータが１８０°である場合）から蓋１３１０を停止するように構成されてもよい。いくつかの実施形態では、第１の対の磁石１３１５ａ、１３１５ｂは、反発的であるように構成されてもよく、それによって、このような実施形態では、この磁気素子は、蓋１３１０が１８０°開放位置に近く回転するとき、第１の対の磁気素子１３１５ａ、１３１５ｂがお互いに反発し、その結果その蓋の重さがそれらの反発力で支持され、かつその蓋が半開放位置で本質的に中止されるように、細長くてもよい。「Ｌ」などの磁石のいくつかの形状を用いて、蓋１３１０を半開放位置で支持する力を増強してもよい。種々の実施形態では、第１の対の磁気素子１３１５ａ、１３１５ｂの力のベクトルを調整して、下に更に詳細に説明されるように、この効果を増大しても又は低下してもよい。
【０１０４】
いくつかの実施形態では、ケース１３００は、ユーザにとって特別な感覚を有するように設計してもよい。例えば、一実施形態では、ケース１３００は、ユーザがケース１３００を彼らの手に閉鎖位置で保持し、かつ彼らの手首をスナップすることによって、蓋１３１０がカチッと開き、１３０５に対して静止することなく開放位置で保持できるように設計してもよい。更なる実施形態では、蓋１３１０は、開放位置にあってもよく、ユーザは、彼らの手首をスナップして、蓋を閉じてもよい。更なる実施形態では、ユーザは、彼らの手を用いて、蓋１３１０を開けるように試みてもよく、一旦その蓋が特定の距離動かされれば、その蓋は、カチッと開くか、又はばね的に開く。更なる実施形態では、ユーザは、蓋１３１０を把持して、それを閉鎖位置まで動かしてもよく、特定の距離では、その蓋は、カチッと閉じるか又はばね的に閉じる。
【０１０５】
ここで図１６を参照すれば、磁気的に作動される蓋１６０４を有するケース１６００の別の実施形態を図示している。図１６に示すように、ケース１６００は、正しく位置合わせされていない極（すなわち、力のベクトル）を有する一対の磁気素子、及び磁力を増大するために用いられる高浸透性物質を有する他の対の磁気素子を有する。前の実施形態と同様に、蓋１６０４は、ハウジング１６０３に枢動可能に取り付けされる。しかし、この場合、第１の対の磁気素子１６０５ａ、１６０５ｂは、力のベクトルが、矢印によって図示されるとおり直接位置合わせされないように配向される。このシナリオでは、蓋１６０４は、オーバーセンター位置をやはり有し得るが、第１の対の磁気素子１６０５ａ、１６０５ｂからのＦRepulsion（Ｆ反発力）は、図１３に図示されるシナリオよりも小さい。しかし、力のベクトルのこのような列のずれの１つの特徴を用いて、１８０°の完全開放位置まで移動しないよう蓋１６０４に抵抗してもよい。更に具体的には、第１の対の磁気素子１６０５ａ、１６０５ｂからの磁力は、蓋１６０４が閉鎖位置に行かないように抵抗し得るが、また蓋が１８０°の開放位置に行かないようにも抵抗し得る。正しく位置合わせされていない磁力ベクトルの他のバリエーションを用いてもよく、本開示の範囲内である。
【０１０６】
続けて図１６を参照すれば、第２の対の磁気素子１６１０ａ、１６１０ｂは、それらを少なくとも部分的に囲む高透磁性材料１６１５ａ、１６１５ｂを有して、第２の対の磁気素子の間の引き付けの力を増大してもよい。本明細書に説明される、高透磁性材料は、比較的高い透磁性を有する任意の材料であってもよい。材料の透磁性とは、材料がそれ自体の中の磁場の形成を支持する能力の指標である。更に具体的には、加えられた磁場に応じて材料が得る磁化の程度である。したがって、更に材料が磁場に対して、より「磁気伝導性」であるか、又はより耐性の低い、するほど、その透磁性は高い。この挙動に従って、高透磁性材料１６１５ａ、１６１５ｂは、本明細書において説明されるとおり、本質的に、第２の対の磁気素子１６１０ａ、１６１０ｂ由来の磁場を向け直し得、それによって、引力が増大される。高透磁性材料はまた、反発性の磁石、蓋磁石又は磁石（ケース内にイヤホンを引き付けて固定するために用いられる）に用いられてもよい。
【０１０７】
図１７は、ケース１７００の別の実施形態を図示する。図１７に示すように、ケース１７００は、蓋のオーバーセンター挙動を変化するように第１の対の磁気素子及び第２の対に取り付けされたばねを有する。ケース１７００は、反発されるように構成された第１の対の磁気素子１７０５ａ、１７０５ｂと、引き付けるように構成された第２の対の磁気素子１７１０ａ、１７１０ｂを有し得る。しかし、この実施形態では、ばね１７０７ａ、１７０７ｂは、第１の対の磁気素子１７０５ａ、１７０５ｂに取り付けされてもよく、ばね１７１７ａ、１７１７ｂは、第２の対の磁気素子１７１０ａ、１７１０ｂに取り付けされてもよい。ばね１７０７ａ、１７０７ｂ、１７１７ａ、１７１７ｂは、オーバーセンター位置及び蓋１７０４の挙動を変化するために用いられてもよい。例えば、閉鎖位置のとき、第１及び第２の磁気素子１７０５ａ、１７０５ｂは、お互いに反発し、かつばね１７０７ａ、１７０７ｂを圧縮して、反発力のある程度を軽減する。反対に、閉鎖位置では、第２の対の磁気素子１７１０ａ、１７１０ｂは、一緒により近くに引き付けられてもよく、それによってより高い引力が生じる。なぜならばね１７１７ａ、１７１７ｂによって、磁気素子は、より近接して一緒に移動することが可能になるからである。他の構成のばねを、本開示から逸脱することなく、磁気素子と共に用いてもよい。
【０１０８】
ここで図１８〜図２１を参照して、種々の磁石の相対的位置が、上記で説明されるケース中で用いられてもよい。これらは単なる例にすぎず、他の相対的位置を、本開示から逸脱することなく用いてもよい。図１８は、矩形のバー１８００を示すが、図１９は、長方形のバー１９００を示す。図２０は、「Ｌ」形のバー２０００を示すが、図２１は、円筒状のバー２１００を示す。
ばねが作動したケース
【０１０９】
ここで、図２２Ａ〜図２２Ｄを参照すれば、ケース及びばね作動のヒンジが図示される。図２２Ａに示すように、ケース２２００は、ばね作動のオーバーセンター機構２２２０を有する蓋２２１０を有する。ケース２２００は、図１に図示されるケース１００、及び図１３に図示されるケース１３００と同様であってもよく、いくつかの実施形態では、一対のイヤホン又は他のタイプのポータブル聴取デバイスを保管又は充電するために用いられてもよい。しかし、他の実施形態では、ケース２２００を用いて、ポータブル聴取デバイスとは異なる種々の他の対象物を保管してもよい。
【０１１０】
上記で説明されたケースと同様に、ケース２２００は、図２２Ａに図示される、閉鎖位置を有し得、ここではハウジング２２０５は、ハウジングに対して枢動可能に連結された蓋２２１０でカバーされる。ケース２２００はまた、図２２Ｄに図示される開放位置を有し得、ここでは蓋２２１０は、ハウジング２２０５から枢動可能に変位される。ばね作動のオーバーセンター機構２２２０は、図２２Ａ中の拡大図に更に詳細に示される。蓋２２１０は、蓋に取り付けされ、蓋からの枢動可能接合２２３０と反対側に配置された延伸部２２２５を備える。すなわち、蓋２２１０が、枢動可能接合２２３０を中心として回転する場合、延伸部２２２５はまた、枢動可能接合に対して回転する。延伸部２２２５は、ばね装荷アーム２２３５と接触されている丸型遠位端２２２６を有し、その結果、蓋が（図２２Ｄに図示される）閉鎖位置へ推進される場合である（図２２Ｃに図示される）オーバーセンター位置を超えて移動されるまで、その後、蓋を閉鎖位置に付勢する。
【０１１１】
ばね装荷アーム２２３５は、第２の枢動可能接合２２４０に対して第１の端部で取り付けされ、遠位先端部２２４５まで伸びる。ばね装荷アーム２２３５は、それぞれ、お互いに対して反対に配列されており、かつ遠位先端部と第１の端部との間に延びる、第１及び第２の表面２２４６、２２４７を有する丸型の遠位先端部２２４５を有してもよい。図２２Ａの図では、ばね装荷アーム２２３５は、ねじりばねからの回転力を有し、時計回りのトルクを加える。蓋２２１０が開放位置に向かって移動されるにつれて、延伸部２２２５は、枢動可能接合２２３０を中心として時計回り方向で回転し、第１の表面２２４６の第１の部分２２４８に沿ってスライドし、アーム２２３５を反時計回り方向に強制して、そのアームに対する時計回りのトルクを増大する。したがって、ばね装荷機構２２２０は、（図２２Ａに図示される）閉鎖位置から（図２２Ｄに図示される）開放位置に向かって移動する蓋２２１０に抵抗する。
【０１１２】
図２２Ｂは、ばね装荷機構２２２０の等角図を図示する。図２２Ｂに示すように、ばね装荷機構２２２０は、ばね装荷アーム２２３５と、延伸部２２２５と、ねじりばね２２５０と、ばね止め２２５５とを備える。ねじりばね２２５０は、第２の枢動可能接合２２４０のピンの周りに形成されるが、他の実施形態では、片持ちばね及びコイルばねを含むがこれらに限定されない、この機構のための異なる構成を用いてもよい。
【０１１３】
図２２Ｃは、部分的に開放した蓋２２１０を有するケース２２００を図示する。図２２Ｃに示されるとおり、蓋２２１０が、オーバーセンター位置に示され、ここでは、この蓋は、閉鎖位置にある場合（図２２Ａに図示される）、第１の安定位置にあり、かつ開放位置にある場合（図２２Ｄに図示される）、第２の安定位置にあるが、閉鎖位置と開放位置との間では不安定位置にある。いくつかの実施形態では、蓋２２１０のオーバーセンターの能力は、アーム２２３５（それに時計回りのトルクが加えられている）と接触している丸型の遠位端２２２６を有する延伸部２２２５によって達成され得る。各種実施形態では、延伸部２２２５は、閉鎖位置と開放位置との間で不安定位置にある場合、第１の表面２２４６に対して垂直に配向される。いくつかの実施形態では、アーム２２３５及び又は遠位端２２２６は、その上に潤滑剤及び／又は１つ以上の潤滑剤チャネルを有して、部品の間で低い摩擦係数を維持して、滑らかな作動を提供する。
【０１１４】
図２２Ｄは、完全に開放した蓋２２１０を有するケース２２００を図示する。図２２Ｄに示すように、蓋２２１０は、オーバーセンター位置を越えており、安定な開放位置にある。いくつかの実施形態では、安定位置は、延伸部２２２５が、アーム２２３５上のオーバーセンター場所を越えることによって達成され得、ここでは延伸部２２２５が、第１の表面２２４６の第２の部分２２４９に沿ってスライドし、アームが、ねじりばね２２５０によってアームに加えられる時計回りのトルクに起因して蓋の開口を保持する（図２２Ｂ参照）。
ワイヤレス充電送信機を有するイヤホンケース
【０１１５】
ここで図２３を参照、この図は、ケース内ではなくケースの外側でアクセサリ電子デバイスをケースが無線で充電できる、ワイヤレス電力伝送コンポーネント２３３０を備える、イヤホンケース２３００を図示する。例えば、図２３に示されるとおり、ケース２３００は、ワイヤレス電力伝送コンポーネント２３３０の上に置かれて、ワイヤレス電力伝送コンポーネント２３３０と位置合わせされている携帯時計２３０１をワイヤレス充電するとして示される。図２３は、充電されているアクセサリデバイスとしての携帯時計を図示しており、本開示の実施形態は、他の適切な電子デバイスを同様に無線で充電するために用いられ得る。いくつかの場合には、本開示の実施形態は特に、ポータブル電子メディアデバイスとの使用について、それらの潜在的に小さいフォームファクタの理由で、特によく適している。本明細書において用いる場合、電子メディアデバイスは、現在のヒトの知覚可能なメディアに用いられ得る少なくとも１つの電子的コンポーネントを有する任意のデバイスを備える。このようなデバイスとしては、例えば、ポータブル音楽プレーヤ（例えば、ＭＰ３デバイス及びアップルのｉＰｏｄ（登録商標）デバイス）、ポータブルビデオ再生装置（例えば、ポータブルＤＶＤプレーヤ）、携帯電話（例えば、アップルのｉＰｈｏｎｅデバイスなどのスマートフォン）、ビデオカメラ、デジタルスチルカメラ、プロジェクションシステム（例えば、ホログラフプロジェクションシステム）、ゲームシステム、ＰＤＡ、並びにタブレット（例えば、アップルのｉＰａｄ（登録商標）デバイス）、ラップトップ又は他のモバイルコンピュータを挙げることができる。これらのデバイスのいくつかは、音声、ビデオ又は他のデータ若しくは感覚の出力を提供するように構成され得る。
【０１１６】
図２３に図示される実施形態では、ケース２３００は、ワイヤレス電力伝送コンポーネント２３３０が、外側充電表面２３４０に隣接するハウジング２３３５内に配置される第２の充電システムと共に図２に関して上記で説明されるケース２０４の特徴のうちの全て又はいくつかを包含し得る。いくつかの実施形態では、外側充電表面２３４０は、ケース２３００の任意の外側表面であってもよい。ワイヤレス電力伝送コンポーネント２３３０は、携帯時計が、下に更に詳細に説明されるように、外側充電表面２３４０に隣接するハウジング２３３５の外側に位置する場合、携帯時計２３０１の電力受容コイル（図２３に示さず）へハウジング２３３５を横切って電力を無線で伝送するように構成されてもよい。
【０１１７】
図２３に更に示されるように、携帯時計２３０１は、ディスプレイ２３０４、並びに種々の入力デバイス、例としてはダイアル２３０６及びボタン２３０８を収容するケーシング２３０２を備える。携帯時計２３０１は、ユーザの手首に装着されて、バンド２３１０によってそこに固定されてもよい。ケーシング２３０２はまた、プロセッサ及び通信回路を含む、電子回路（図２３に示さず）を収容する。ケーシング２３０２の内部のバッテリ（図２３には示さず）は、携帯時計２３０１に電力を供給する。このバッテリは、ワイヤレス電力伝送システムによって再充電可能であり、かつ携帯時計２３０１は、ワイヤレス電力伝送システム中の受信機として作動するように構成された回路を備え得るが、ワイヤレス電力送信機コンポーネント２３３０は、このシステム中の送信機である。ワイヤレス電力伝送システムの一例は、誘導性電力伝送システムである。誘導性電力伝送システムでは、受電電子デバイスは、無線で電力を受信するか、及び／又は１つ以上の内部バッテリを充電するように構成された誘導性受電要素を備えるか、そうでなければ組み込む。同様に、充電デバイス（すなわち、電力伝送コンポーネント）は、無線で電力を受電電子デバイスに伝送するように構成された誘導性電力伝送要素を備えるか、そうでなければ組み込む。
【０１１８】
図２４は、本開示の実施形態による誘導性受電システム２４００のブロック図である。図２４に示すように、システム２４００は、携帯時計２３０１のケーシング２３０２（図２３参照）内に、又はワイヤレス電力伝送コンポーネント２３３０によって充電され得る異なる種類の電気アクセサリ内に配置され得る誘導性受電システムである。受電システム２４００が、ワイヤレス電力伝送コンポーネント２３３０などの適切な誘導性電力伝送コンポーネントと作動可能に連結されるとき、このデバイス内のバッテリ２４０２は、無線で充電され得る。バッテリ２４０２は、パワーコンディショニング回路２４０６を介して受信コイル２４０４に対して作動可能に接続される。受信コイル２４０４は、充電デバイスの送信コイルに対して誘導的に連結されて、その充電デバイスから無線で電力を受容して、受け取った電力を電子デバイス内のバッテリ２４０２へ、パワーコンディショニング回路２４０６を介して渡す。パワーコンディショニング回路２４０６は、受信コイル２４０４によって受容された交流電流を、そのデバイスの他のコンポーネントによる使用のための直流電源に変換するように構成され得る。処理ユニット２４１０は、１つ以上の経路指定回路を介して、メモリ２４１２中に常駐する適切なプログラムの実行のもとで、電力を指し向けて、バッテリ２４０２によって通常給電される電子デバイスの１つ以上の機能を果たすか、又は調整し得る。
【０１１９】
ここで、図２５を参照すれば、ケース２３００は、ケースのハウジング２５０５内に保管され、蓋２５２０によって覆われる一対のイヤホン１１５ａ、１１５ｂと共に図示される。ケース２３００は、上記で説明されたケース１００と同じ方式で（すなわち、有線接続又は無線の電力伝送システムのいずれかを用いて）、イヤホン１１５ａ、１１５ｂを充電し得る。しかし、ケース２３００はまた、ケース内ではなくケース２３００の外側に位置する、異なるポータブル電子デバイスを充電するように配置され、構成された誘導性充電システム２５２５を備えてもよい。誘電性充電システム２５２５は、携帯時計２３０１などの補助的デバイスを無線で充電するためのワイヤレス電力伝送コンポーネントを備えてもよい（図２３参照）。いくつかの実施形態ではケース２５００は、ケース１００とは異なってもよく（図１参照）、１つ以上のキャビティ、及び１つ以上のキャビティを覆う蓋を有する任意の他の構成であってもよい。一実施例では、蓋２５２０は、このケースから分離可能である場合もある。誘電性充電システム２５２５は、ケース２３００が、バッテリ、例えば、携帯時計２３０１のバッテリ２４０２（図２４参照）を無線で再充電することを可能にする、ハウジング２５０５内のワイヤレス充電回路を備えてもよい。
【０１２０】
図２６は、本開示の実施形態によるワイヤレス充電システム２６００のブロック図である。図２６に示すように、ワイヤレス充電システム２６００は、誘導性電力伝送コンポーネント２６０２を備える。誘電性電力伝送コンポーネント２６０２は、送信コイル２６０６に動作可能に連結されて、電磁誘導又は磁気共鳴を介してウェアラブルデバイスへ電力を伝送する、ケースバッテリ２２７（図２参照）であってもよい、電源２６０４を備える。
【０１２１】
送信コイル２６０６は、電子デバイス内の電磁コイル（例えば、図２４のコイル２４０４）内で電流を誘導する時間的に変化する電磁束を生じる電磁コイルであってもよい。送信コイル２６０６は、選択された周波数又は周波数帯で電力を伝送し得る。一例では、送信周波数は、実質的に固定されているが、これは必要ではない。別の例では、伝送周波数は、特定の作動条件に関して電力伝送効率を改善するように調整され得る。更に具体的には、アクセサリで更に電力が必要である場合、高い伝送周波数が選択されてもよく、アクセサリでで必要な電力が少ない場合、低い伝送周波数が選択されてもよい。他の実施例では、送信コイル２６０６は、静電磁場を生成し得、かつその位置を物理的に移動するか、シフトするか、そうでなければ変化させて、空間的に変化する電磁束を生成して、受信コイル内で電流を誘導し得る。
【０１２２】
携帯時計２３０１（図２３参照）が、動作可能にケース２３００に連結される（例えば、そのケース上に配置されるか、又は隣接される）とき、ウェアラブル電子デバイスは、電荷を受け取って、その再充電可能バッテリの電荷を補充するか、又は電子デバイスと関連付けられる作動コンポーネントに電力を提供し得る。電磁エネルギの伝送を容易にするために、送信コイル２６０６を、ケース２３００のハウジング内に配置させてもよく（図２３参照）、その結果、このコイルは、受信コイル２４０４（図２４参照）と、携帯時計２３０１の中で共通の軸に沿って位置合わせする。もし正しく位置合わせされなければ、送信コイル２６０６と受信コイル２４０４（図２４参照）との間の電力伝送効率は、列のずれが増大するにつれて低下する。いくつかの実施形態では、１つ以上の位置合わせ特徴を用いて、下に更に詳細に説明されるように、機械的な位置合わせ特徴（例えば、陥凹、出っ張り、戻り止め）及び磁気的特徴（例えば、位置合わせ磁石２６３０）を含む、共通の軸に沿った位置合わせを補助してもよい。
【０１２３】
一例として、位置合わせ磁石２６３０は、ケースとウェアラブル電子デバイスとの適切な位置合わせを容易にするために、携帯時計２３０１の位置合わせ磁石（示さず）と磁気的に嵌合し、位置合わせ磁石２６３０はケース２３００中に備えられてもよい。更に具体的には、位置合わせ磁石２６３０は、携帯時計２３０１中の嵌合位置合わせ磁石を引き付け、その結果、ウェアラブルデバイスは、特定の位置へ側方に移動されて、ケースの外面に対してしっかり保持される。更に、それぞれ、ケース２３００と携帯時計２３０１の上面及び底面は、位置合わせを更に容易にするために協力し得る。例えば、一実施形態では、携帯時計２３０１の底面は、凸面であり、かつケース２３００の上端面は、ウェアラブルデバイスの底面と同じ湾曲に従う凹面である。
【０１２４】
いくつかの実施形態では，ケース２３００（図２３参照）はまた、携帯時計２３０１が存在して、充電器から伝送された電力を受信するように準備されているか否かを決定するために、１つ以上のセンサを備えてもよい。例えば、携帯時計２３０１は、赤外線接近センサなどの、光センサを備えてもよい。携帯時計２３０１がケース２３００に取り付けられるとき、赤外線接近センサは、ウェアラブルデバイスの存在を決定するために用いられる信号を発生し得る。携帯時計２３０１の存在を確証するための他の方法又は構造としては、質量センサ、機械的インターロック、スイッチ、ボタンなど、ホール効果センサ、又は他の電気的センサを挙げることができる。
【０１２５】
いくつかの実施形態は、どんな充電可能デバイスがケース２３００に連結されるかに応じて、ケースバッテリ２２７（図２参照）中の蓄積電荷を優先的に使用する重点的充電アルゴリズムを備えてもよい。例えば、充電システム２５２５（図２５参照）は、最初にイヤホン１１５ａ、１１５ｂを再充電し、次いで携帯時計２３０１を充電するようにプログラムされてもよい。別の実施例では、ユーザは、充電の優先度をプログラムすることが可能であるが、別の実施例では、ケース２３００は、任意のデバイス（それに連結される）を単に充電し得る。更なる実施例では、ケース２３００は、コネクタ３４５（図３参照）を通じて電源に連結されてもよく、１つのデバイスを充電しても、複数のデバイスを優先的に充電しても、又は複数のデバイスを同時に充電してもよい。
【０１２６】
いくつかの実施形態は、バッテリ２４０２（図２４参照）を充電するケース２３００のため、及び／又は携帯時計２３０１とデータを交換するための有線のインターフェースを有し得る。有線のインターフェースは、ワイヤレスインターフェースに加えてであっても、又はその代わりであってもよい。例えば、一実施形態では、ケース２３００は、携帯時計２３０１上の１つ以上のコンタクトに対して物理的にかつ電気的に連結するようにサイズ決めされ、配置されるコンタクトを備えてもよい。このコンタクトは、１つ以上電力コンタクト、並びに１つ以上のデータコンタクト、例えば、一対の異なるデータコンタクトを備えてもよい。別の実施形態では、ケースのコネクタ３４５（図３参照）を用いて、携帯時計２３０１を充電してもよい。
ワイヤレス充電のケース
【０１２７】
ここで図２７を参照すれば、充電局２７０５上のケース２７００の単純化した斜視図が図示される。図２７に示すように、ケース２７００は、本開示中の他のケース、例えば、図１のケース１００と同様であってもよく、充電局２７０５によって誘導的に充電されてもよい。ケース２７００は、図２３〜図２６を参照して上記で図示及び記載されるものと同様のワイヤレス充電システムで誘導的に再充電され得る、再充電可能なバッテリを有してもよい。更に具体的には、誘導的に充電される携帯時計２３０１に関して上記される特徴の全てを、誘導的に充電されるケース２７００中で使用してもよい。
【０１２８】
ワイヤレス充電局２７０５は、ケース２７００が、内部バッテリを無線で再充電できる、ハウジング２７１０内のワイヤレス充電回路を備えてもよい。ワイヤレス充電局２７０５は、図２６で上記されたワイヤレス電力伝送コンポーネント２６０２と同様である、誘導性電力伝送コイル２７１５を備えてもよい。誘電性電力伝送コイル２７１５は、電磁誘導又は磁気共鳴を介してケース２７００に電力を伝送可能である。ケース２７００が、充電局２７０５と動作可能に連結される（例えば、それの上に配置されるか、又は隣接される）とき、このケースは、電荷を受信して、その再充電可能バッテリの電荷を補充してもよいし、又はそのケースと関連付けられる作動コンポーネントに電力を提供してもよい。
【０１２９】
電磁エネルギの伝送を容易にするために、送信コイル２７１５を、１つ以上の受信コイル２７２０とケース２７００中で共通の軸に沿って位置合わせするように、充電局２７０５のハウジング内に配置してもよい。正しく位置合わせされていない場合、送信コイル２７１５と受信コイル２７２０との間の電力伝送効率は、列のずれが増大するにつれて低下し得る。いくつかの実施形態では，１つ以上の位置合わせ特徴を用いて、本明細書に説明されるように、機械的な位置合わせ特徴（例えば、陥凹、出っ張り、戻り止め）及び磁気的特徴（例えば、位置合わせ磁石）を含む、共通の軸に沿った位置合わせを補助してもよい。更なる実施形態では、ケース２７００は、２つ以上の受信コイルを備えてもよく、どの受信コイルが更に良好に位置合わせされるかを検出して、その特定のコイル由来の電荷のみを選択的に受信することができる。各種実施形態では、ケース２７００は、１つ以上の平坦な受信コイル２７２０を使用してもよいが、他の実施形態では、他の受信コイル設計を用いてもよい。
防水レセプタクルコネクタ
【０１３０】
図２８及び図２９は、液密の電気コネクタ２８００を図示する。図２８に示すように、電気コネクタ２８００は、液体浸透に対して耐性又は不浸透性にされるように、取り付けフランジ及び密閉した特徴を有してもよい。電気コネクタ２８００を用いて、電力及びデータを、図３におけるコネクタ３４５と同様に、ケースに連結してもよい。いくつかの実施形態では、コネクタ２８００は、例えば、ＵＳＢコネクタなどの任意の非独自仕様のインターフェースであってもよく、カリフォルニア州、クパチーノのアップル社で用いられるＬｉｇｈｔｎｉｎｇコネクタなどの任意の独自仕様のインターフェースであってもよい。各種実施形態では、コネクタ２８００は、下に更に詳細に説明されるように液密であってもよい。
【０１３１】
金属のブラケット２８０５は、コネクタ２８００の外部部分の周りに形成されて、回路基板又はシャーシに対してコネクタを固定するための１つ以上の取付けホール２８１０を有する。コネクタ２８００は、嵌合コネクタのプラグ部分を受容するための前面開口部（図２８には示さないが、コネクタ３４５に関して図３には示す）を有する受容面２８１５を有する。相互接続面２８２０は、下に更に詳細に記載されるような内部の電気的コンタクトに対してそれぞれが接続する複数の金属ピン２８２５を備える。１つ以上の接地ピン２８２６はまた、相互接続面２８２０の外に伸びてもよい。金属ピン２８２５及び接地ピン２８２６は、オーバーモールドされた部分２８３０によって密閉されてもよく、それによって、それらのピンは液密である。金属ブラケット２８０５は、下記のように、２つのピースであって、一緒に溶接されてもよい。金属ブラケット２８０５は、コネクタ２８００のコンポーネントを一緒に固定するために用いられ得る、１つ以上の変形可能な指２８３５を有してもよい。
【０１３２】
図２９に示すとおり、コネクタ２８００は、コネクタを液密にさせるガスケットを有するハウジング２９０５に連結されたコンタクトプレート２９８０を備える。ハウジング２９０５は、受容面２８１５と後面２９１０との間に伸びる電気的に絶縁のポリマーからできている。ハウジング２９０５は、受容面２８１５中の前開口部と連通して、嵌合プラグコネクタのプラグ部分を受容する、キャビティ２９１５を画定する。スペーサ２９２０は、プラスチック材料から形成され、複数の保持特徴２９２５を有し、これはそれぞれが、一組の電気的コンタクト２９３０（その中に差し込まれてもよい）から電気的コンタクトをそれぞれ受容するように構成されている。電気的コンタクト２９３０のセット中のそれぞれの電気的コンタクトは、コンタクト先端部２９４０とアンカー部分２９４５との間に位置する細長い梁部分２９３５を備えてもよい。コンタクト先端部２９４０のそれぞれは、嵌合イベントの間、対応するプラグコネクタコンタクトに対して電気的に連結され得るように、キャビティ２９１５内に位置している。
【０１３３】
梁部分２９３５によって、それぞれのコンタクト先端部２９４０は、嵌合イベントの間にわずかに下向きに撓むことが可能になり、かつ特定のレセプタクルコンタクトと位置合わせするプラグコネクタ中のコンタクトとの物理的及び電気的なコンタクトを保持するように先端部が付勢される。アンカー部分２９４５は、ハウジング２９０５のスロット２９５０内にフィットして、コンタクトを適所に固定又はアンカーする１つ以上のカットアウトを有する実質的に平坦なプレートであってもよい。電気的コンタクト２９３０のセットは更に、プリントされた配線基板又は類似の基板に対して、レセプタクルコネクタを連結し得る、コネクタアセンブリ２８００の相互接続面２８２０の外側に伸びる（図２８参照）電気リード２９５５を備えてもよい。コンタクト２９３０のセット中のそれぞれのコンタクトはまた、ハウジング２９０５のスロット２９５０内のコンタクト構造を位置合わせするためにアンカー部分２９４５と隣接する位置合わせ部分２９６０を有し得る。いくつかの特定の実施形態では、電気的コンタクト２９３０のセットは、一列に沿ってお互いから間隔を空けられている８つのコンタクトを含む。
【０１３４】
接地ラッチ２９６５は、導電性金属から形成されて、スペーサ２９２０中に接地スロット２９７０を通じて挿入されてもよい。接地ラッチは、コンタクト２９３０のセットと反対側に沿って伸びる第１及び第２のばねアームを備えてもよい。第１及び第２のばねアームは、ラッチして対応するプラグコネクタの保持特徴にラッチして、嵌合イベントの後に、レセプタクルコネクタ２８００内にプラグコネクタを保持することを補助し得る。他の実施形態では、接地ラッチ２９６５は、スペーサ２９２０内のインサート成形されてもよい。したがって、コンタクト２９３０及び接地ラッチ２９６５のセットを有するスペーサ２９２０は、誘電オーバーモールド部分２９７５でオーバーモールドされてもよい。オーバーモールド部分２９７５は、スペーサ２９２０の一部及びコンタクト２９３０のセット中のそれぞれのコンタクトのアンカー部分を覆い、リード２９５５及び接地ラッチ２９６５に対して液密のシールを形成し、統合されたコンタクトプレート２９８０を作製する。ガスケット２９８５は、ハウジング２９０５の後面２９１０に対して配置されてもよく、次いで、コンタクトプレート２９８０がガスケットに対して押されて、液密のアセンブリが形成されてもよい。金属ブラケット２８０５は、底のブラケット２９９０ｂに対してレーザ溶接された頂部のブラケット２９９０ａを備えてもよい。ブラケットの指２８３５は、コネクタ２８００が液密であるように、ハウジング２９０５に対してコンタクトプレート２９８０を保持するように形成されてもよい。すなわち、もし液体が、コネクタの受容開口部に入った場合でも（図３のコネクタ３４５参照）、その液体は、コネクタを貫通して、ケース１００に入ることができないであろう。
ワイヤレスイヤホン
【０１３５】
ここで、図３０〜図４６を参照して、非閉鎖性イヤホン３０００ａ、３０００ｂ及びこれらを作製する方法が記載されて図示される。図３０及び３１に示すように、イヤホン３０００ａ、３０００ｂは、図１に図示されるイヤホン１１５ａ、１１５ｂと同様であってもよいが、イヤホン３０００ａ、３０００ｂは、下に更に詳細に記載されるような耳検知及び音響の特徴を含む種々の他の特徴を有してもよい。
【０１３６】
図３０及び図３１は、それぞれ、非閉鎖性の左のイヤホン３０００ａ（図３０）及び非閉塞性の右のイヤホン３０００ｂ（図３１）の正面及び後面の斜視図を示す。一般には、非閉鎖性イヤホンは、耳（又は外耳道）と、イヤホンの外面との間で気密のシールを形成しないように設計される。対照的に、閉塞性のイヤホンは一般には、ユーザの外耳道の内側に適合して、実質的に気密のシールを形成するように設計される。イヤホン３０００ａ、３０００ｂのそれぞれは、心棒部３０１５に結合された耳部３０１０を有する外部ハウジング３００５を備えてもよい。ハウジング３００５は、耳の中で保持をしやすい非対称性の形状を有してもよいが、ユーザの耳又は外耳道との気密のシールは形成しない。気密のシールがなければ、特別に調整されているイヤホン内の要領から利益を受けて（例えば、容量を特別に形作るか、及び／又は容量に材料を加えることによって）所望の周波数応答を達成し得る。耳部３０１０は、イヤホンの中央軸に関して指向性音声ポート３０２０オフセットを備えてもよい。指向性音声ポート３０２０は、内部ドライバ（例えば、図３０及び図３１には示していない、イヤホンスピーカの一部）から音波を直接ユーザの外耳道に指向するように設計されてもよい。
【０１３７】
更に、イヤホン中の副アパーチャを、ハウジング３００５中で使用して、所望のサウンド特性を達成してもよい。例えば、１つ以上の副アパーチャは、制御された漏出ポートとして機能して、イヤホン内の音響的な圧力を外部の周囲の環境へ曝し得る。この態様では、副アパーチャは、イヤホンの音響的な応答を改変するように較正されてもよい。この実施形態では、イヤホン３０００ａ、３０００ｂのそれぞれが、前面漏出ポート３０２５及び耳部３０１０中で形成されたマルチポート３０３０を備える。マルチポート３０３０は、後部ベント３０３５と低音ポート３０４０の両方を備えてもよく、これは下に更に詳細に記載される。更に、本開示の実施形態によるイヤホンは、２つ以上の部品が、一緒に連結されてイヤホンの一部を形成する場合でさえ、シームレス仕上げを有するように構築されてもよい。
【０１３８】
イヤホン３０００ａ、３０００ｂの耳部３０１０はまた、イヤホン３０００ａ、３０００ｂのそれぞれがイヤホンがユーザの耳の中にあるか否かを決定するのを補助するための１つ以上の「耳の中の」センサを備えてもよい。一実施形態では、光学的耳珠センサ３０４５は、ユーザの耳珠の有無を検知するように構成され、かつ光学的耳甲介センサ３０５０は、ユーザの耳甲介の有無を検知するように構成される。耳珠センサ及び耳甲介センサ３０４５、３０５０はそれぞれ、対応する／それぞれ、ＬＥＤ又は垂直キャビティ表面放出レーザ（ｖｅｒｔｉｃａｌ  ｃａｖｉｔｙ  ｓｕｒｆａｃｅ  ｅｍｉｔｔｉｎｇ  ｌａｓｅｒ：ＶＣＳＥＬ）デバイスを含むがこれに限定されない、任意の種類の光センサを用いてもよい。更なる実施形態は、下に更に詳細に記載されるように、ユーザの耳の存在及び／又はイヤホンの方向を検出するために１つ以上の静電容量式センサ及び／又は加速度計を備えてもよい。耳では、検出は、限定するものではないが、ユーザがコールをすることを許容する場合、及びユーザが１つのイヤホンを用いることを止めて、他のイヤホンを用い始める場合、どのイヤホン３０００ａ、３０００ｂをマイクロホンとして用いるかを決定することなどの機能のために有用であり得る。
【０１３９】
イヤホン３０００ａ、３０００ｂのそれぞれの心棒部３０１５の遠位端３０５５は、図４Ａ〜図８Ｃに記載されるコネクタ構造の１つなどの、充電局及び／又はイヤホン充電ケースの対応するコネクタ（例えば、レセプタクルコネクタ）と接触するように形成される電気コネクタ３０６０を備えてもよい。１つの特定の実施形態では、コネクタ３０６０のそれぞれは、図６Ｂに示される部分的に環状のイヤホンコンタクト６１０及び６１５などの、対向して対称な関係でお互いから隔てられた第１及び第２のコンタクトを備えてもよい。第１及び第２のコンタクトのそれぞれは、心棒部の外面で同一面上になる外周を備えてもよく、弓型の表面又は他の湾曲した表面（コンタクト嵌合イベントの間に強力なワイピング作用を生み出す）を備えてもよい。電気コネクタ３０６０は、イヤホン３０００ａ、３０００ｂのそれぞれのうちの内部バッテリを再充電するために用いてもよく、そしていくつかの場合には、イヤホンのそれぞれに及びイヤホンのそれぞれからデータを伝送するために用いられてもよい。遠位端３０５５はまた、頂部のマイクロホンポート３０７０と組み合わせて機能して、ユーザの声を受信するか、及び／又はノイズキャンセルを行う、底部マイクロホンポート３０６５（例えば、図６Ｂに図示されるマイクロホンアパーチャ６３５）を備えてもよい。
【０１４０】
図３２及び図３３は、イヤホン３０００ａ、３０００ｂの部分的な断面を図示する。図３２に示すように、イヤホン３０００ａ、３０００ｂは、ドライバ３２０５と、音響インサート３２２０と、フレキシブル回路３２２５と、アンテナ３３３０と、再充電可能バッテリ３３３５と、電気コネクタ３０６０とを備える。ドライバ３２０５を、耳部３０１０中に配置して、ドライバの前の前方音響容量３２１０、及びドライバの後ろの後方音響容量３２１５を画定する。ドライバ３２０５は、電磁ボイスコイルと、ドライバ磁石と、スピーカ振動板（図３２には示さず）とを備えてもよい。音響インサート３２２０は、下に更に詳細に記載されるように、ドライバ３２０５の後ろに配置され、ハウジング３００５に付着される。耳部３０１０は更に、フレキシブル回路３２２５の折り畳まれた部分を備え、これは、１つ以上のセンサと、コントローラと、イヤホン３０００ａ、３０００ｂを操作するための無数の他の回路とを備えてもよい。フレキシブル回路３２２５は、フレキシブルな部分、並び多層エポキシ及びガラス複合材回路基板などのフレキシブルでない部分を備えてもよく、更に、下に更に詳細に記載されるように、イヤホン３０００ａ、３０００ｂの無数の電気的システムを一緒に連結してもよい。
【０１４１】
イヤホン３０００ａ、３０００ｂの心棒部３０１５は、アンテナ３３３０と、再充電可能バッテリ３３３５と、電気コネクタ３０６０とを備えてもよい。フレキシブル回路３２２５の一部は、下に伸展して、電気コネクタ３０６０を電気的に接続し得る。
【０１４２】
図３３に示すように、イヤホン３０００ａ、３０００ｂは、いくつかの内部センサを備える。図３３では、イヤホン３０００ａ、３０００ｂのいくつかの内部コンポーネントは、明瞭さのために除去している。耳部３０１０は、耳珠センサ３０４５と、耳甲介光センサ３０５０と、加速度計３３１５（イヤホン３０００ａ、３０００ｂがユーザの耳中にあるか否かを決定するために一緒に機能し得る）とを備えてもよい。フレキシブル回路３２２５（図３２参照）を用いて、これらの全てのデバイスを一緒に電気的に連結してもよい。
折り曲げ可能なフレキシブル回路
【０１４３】
図３４及び図３５は、フレキシブル回路３２２５の単純化した図を図示する。図３４に示すように、フレキシブル回路３２２５は、平坦なパターンで示される。図３５は、図３２に示されるようにイヤホン３０００ａ、３０００ｂにインストールされている時の、折り畳まれたフレキシブル回路３２２５を示す。ここで図３４及び図３５を同時に参照して、フレキシブル回路３２２５の種々の部分を記載する。耳甲介部分３４０５を用いて、光学的耳甲介センサ３０５０（図３３参照）に取り付けして、連通してもよい。この目的に向かって、耳甲介部分３４０５は、光学的耳甲介センサ３０５０のコンタクトに結合され得る１つ以上の電気端子を備えてもよい。
【０１４４】
プロセッサ部分３４１０は、１つ以上の中央処理装置と、コントローラと、受動装置とを備えてもよい。プロセッサ部分３４１０は、フレキシブル回路３２２５の硬質部分であってもよく、複数のスタックされた経路指定層を備えてもよい。一実施形態では、プロセッサ部分は、４、６、８又は１０の経路指定層を有してもよい。
【０１４５】
加速度計部分３４１５には、イヤホンの位置及び／又は向きを検出することを補助し、風切音を軽減するために用いられ得るマイクロホンとして作用することを補助し、イヤホンハウジング上にタップ又はタッチング配列を認識するユーザ入力デバイスとして機能するために、１つ以上の加速度計を備えてもよい。トップのマイクロホン部分３４２０を用いて、１つ以上の電気端子を通じてトップのマイクロホンに取り付けして、連通してもよい。耳珠センサ部分３４３０を用いて、部分内に形成される１つ以上の３４３０を通じて光学的耳珠センサ３０４５（図３３参照）に取り付けして、連通してもよく、底部マイクロホン部分３４３５を用いて、部分３４３５内で形成される１つ以上の端子を通じて底部マイクロホンに取り付けして、連通してもよい。
【０１４６】
可塑性部分３４４０のそれぞれは、図３５に図示されるようにフレキシブル回路３２２５を折り畳むために十分に可塑性であり得る。更に、可塑性部分３４４０のそれぞれは、フレキシブル回路３２２５の異なるコンポーネントの間の電気信号を経路指定する、１つ以上の電気的トレースを含んでもよい。例えば、耳甲介部分３４０５とプロセッサ部分３４１０との間の可塑性部分３４４０は、耳甲介部分端子とプロセッサとの間を通る１つ以上電気的トレースを含んでもよい。同様に、底部マイクロホン部分３４３５の間の可塑性部分３４４０は、底部マイクロホン端子とプロセッサとの間を通る１つ以上の電気的トレースを含んでもよい。
イヤホンコネクタ
【０１４７】
図３６〜図４１は、図３０のコネクタ３０６０などの各イヤホンの心棒部の遠位端に使用可能なイヤホンコネクタのいくつかの実施形態を図示したものである。図３６に示すように、コネクタ３６００を、イヤホン３０００ａ、３０００ｂの遠位端３０５５に取り付けて、充電信号及びデータ信号をこれらのイヤホンに結合させるために使用してもよい。コネクタ３６００を、図４Ａ〜図８Ｃに開示するレセプタクルコネクタなどの、ケース又はドッキングステーション内に配置可能なレセプタクルコネクタと嵌合させてもよい。
【０１４８】
イヤホン３０００ａ、３０００ｂの心棒部３０１５の遠位端３０５５に取り付けられる前の、部分的に組み立てられた状態のコネクタ３６００を、図３６に示す。この実施形態においては、コネクタ３６００は、内環状金属コンタクト３６１０、外環状金属コンタクト３６１５を有し、外環状金属コンタクト３６１５はこれら２つのコンタクトを隔てる誘電リング３６２０を有する。様々な実施形態において、内環状金属コンタクト３６１０が、レセプタクルコネクタコンタクト表面及びマイク用開口部の双方として使用可能な開口部３６１３を有してもよい。いくつかの実施形態においては、内環状コンタクト及び外環状コンタクト３６１０、３６１５が、別個に製造されたコンポーネントであってもよく、以下により詳細に述べるように、単一の金属製であってもよいし、１つ以上のめっき層を有してもよい合金製であってもよい。様々な実施形態において、内環状コンタクト及び外環状コンタクト３６１０、３６１５が、銅製であってもよいし、Ｃ５２１２リン青銅などであるがこれに限定されない銅系合金であってもよい。いくつかの実施形態においては、内環状コンタクト及び外環状コンタクト３６１０、３６１５が、個々に加工、鋳造又は金属射出成形されてもよい。更なる実施形態においては、これらが導電性プラスチック製であってもよいし、１つ以上の金属又は合金でめっきされた絶縁性プラスチック製であってもよい。
【０１４９】
図３７に示すように、コネクタ３６００が、それぞれ別個のコンポーネントとして製造されてもよい内環状コンタクト及び外環状コンタクト３６１０、３６１５を有する。一実施例においては、内環状コンタクト及び外環状コンタクト３６１０、３６１５が、誘電リング３６２０の保持力の増強を可能とする１つ以上の稜線３６２５を有する。内環状コンタクト及び外環状コンタクト３６１０、３６１５をイヤホン３０００ａ、３０００ｂに電気的に結合させるために、これらのコンタクトがそれぞれ結合タブを有してもよい。より詳細には、内環状コンタクト３６１０が、フレキシブル回路３２２５（図３４〜図３６）の一部分への取り付けのための第１の結合タブ３６３０を有してもよい。第１の結合タブ３６３０は、いくつかの実施形態においてはフレキシブル回路３２２５上の金属化パッド３６３５に半田付けされている（図３６）が、他の実施形態においては、導電性エポキシを用いるか、又はその他の方法で取り付けられていてもよい。外環状コンタクト３６１５が、上述のプロセスと同様に、フレキシブル回路３２２５の一部分へ取り付けるための第２の結合タブ３６４０を有してもよい。
【０１５０】
上述のように、外環状コンタクト３６１５が、相手側コンタクトの清拭を容易にしてレセプタクルコネクタとの相互接続を確実にするための弓形の断面を有してもよい。内環状コンタクト３６１０も、レセプタクルコネクタによる接触清拭を促進する弓形の又は傾斜した断面を有してもよい。いくつかの実施形態においては、内環状コンタクト及び外環状コンタクト３６１０、３６１５が、コンタクト面の酸化を防止して配線抵抗を抑えることの可能な１つ以上の金属によってめっきされていてもよく、更なる実施形態においては、以下により詳細に述べるように、めっきを用いて外観をより美しくしてもよい。
【０１５１】
様々な実施形態において、内環状コンタクト及び外環状コンタクト３６１０、３６１５が、最初にニッケル層でめっきされた後に、金の最終層でめっきされてもよい。いくつかの実施形態においては、内環状コンタクト及び外環状コンタクト３６１０、３６１５が、厚さ３〜５ミクロンの第１の銅層、厚さ０．５〜０．７ミクロンの金層、厚さ０．１〜０．２ミクロンの金層、厚さ０．５〜０．８ミクロンのパラジウム層、厚さ０．１〜０．２ミクロンの金層、第１の元素及び第２の元素を含有する厚さ０．７〜１．０ミクロンの二元合金層の順でめっきされてもよい。
【０１５２】
いくつかの実施形態においては、内環状コンタクト及び外環状コンタクト３６１０、３６１５が、厚さ３〜４．５ミクロンの第１の銅層、厚さ０．５〜０．９ミクロンの金層、厚さ０．５〜０．８ミクロンのパラジウム層、厚さ０．１〜０．２ミクロンの金層、第１の元素及び第２の元素を含有する厚さ０．６５〜１．０ミクロンの二元合金層の順でめっきされてもよい。
【０１５３】
本発明のこれらの及びその他の実施形態において、二元合金層の第１の元素が、プラチナ、パラジウム、イリジウム、オスミウム及びロジウムからなる第１の群のうちの一元素であってもよい。本発明のこれらの及びその他の実施形態において、第１の元素がロジウムであってもよい。
【０１５４】
本発明のこれらの及びその他の実施形態において、二元合金層の第２の成分が、プラチナ、パラジウム、イリジウム、オスミウム及びルテニウムからなる第２の群のうちの一元素であってもよい。本発明のこれらの及びその他の実施形態において、第２の元素がルテニウムであってもよい。
【０１５５】
本発明のこれらの及びその他の実施形態において、第１５の元素が二元合金の約８５重量パーセントを含有する一方で、第２の元素が二元合金の約１５重量パーセントを含有してもよい。本発明のこれらの及びその他の実施形態において、第１の元素が二元合金の約９０重量パーセントを含有する一方で、第２の元素が二元合金の約１０重量パーセントを含有してもよい。本発明のこれらの及びその他の実施形態において、第１の元素が二元合金の約９５重量パーセントを含有する一方で、第２の元素が二元合金の約５重量パーセントを含有してもよい。本発明のこれらの及びその他の実施形態において、第１の元素が二元合金の約９９重量パーセントを含有する一方で、第２の元素が二元合金の約１重量パーセントを含有してもよい。本発明のこれらの及びその他の実施形態において、第１の元素が二元合金の約９９．５重量パーセントを含有する一方で、第２の元素が二元合金の約０．５重量パーセントを含有してもよい。
【０１５６】
いくつかの実施形態においては、接触面の酸化を防止すると共に、外観を見栄えの良い灰色又は銀色とするために、ロジウムとルテニウムとの組合せを二元合金に使用してもよい。その他の組合せ及び組成のめっきも、本開示の範囲に含まれる。更なる実施形態においては、第１及び第２の結合タブ３６３０、３６４０に、二元合金の最終層の前にマスクを施して金の表面を残すことにより、半田付け性を向上させてもよい。
【０１５７】
内環状コンタクト及び外環状コンタクト３６１０、３６１５を、めっき後にインサート成形して、図３８に示すコネクタ３６００を形成してもよい。図３６に示すように、誘電リング３６２０を内環状コンタクト及び外環状コンタクト３６１０、３６１５の各部の間及び周囲に成形して、イヤホン３０００ａ、３０００ｂへのコネクタ３６００の取り付けを補助する１つ以上の取り付けけタブ３６５５の形成に使用してもよい。
【０１５８】
図３９及び図４０を参照すると、コネクタ３９００の斜視図が図示されている。図３９及び図４０に示すように、コネクタ３９００は、コネクタ３９００が外環状コンタクト及び内環状コンタクトの代わりに２つの半円形のコンタクトを有する以外の点では、図３６に示すコネクタ３６００と同様である。コネクタ３９００の端面図は、図６Ｂに示すコネクタ６０５の端面図と同様である。コネクタ３９００は、第１の半円形のコンタクト３９１０及び第２の半円形のコンタクト３９１５を有し、誘電層３９２０がこれら２つのコンタクトを隔てている。第１及び第２の半円形のコンタクト３９１０、３９１５が、相互に対向して対称に隔てられていてもよい。様々な実施形態において、第１及び第２の半円形のコンタクト３９１０、３９１５が、レセプタクルコネクタコンタクト面及びマイク用開口部の双方として使用可能な開口部３９１３を相互の間に、それぞれ、形成してもよい。第１及び第２の半円形のコンタクト３９１０、３９１５が、コネクタ３６００について前述したのと同じプロセスで製造及びめっきされてもよい。
【０１５９】
第１及び第２の半円形のコンタクト３９１０、３９１５が、イヤホン３０００ａ、３０００ｂへ電気的結合を、それぞれ、するのために、コネクタ３６００と同様の結合タブをそれぞれ有してもよい。より詳細には、第１の半円形のコンタクト３９１０が、フレキシブル回路３２２５（図３４〜図３６）の一部分への取り付けのための第１の結合タブ３９３０を有してもよい。上述のプロセスと同様に、第２の半円形のコンタクト３９１５が、フレキシブル回路３２２５の一部分への取り付けのための第２の結合タブ３９４０を有してもよい。
【０１６０】
第１及び第２の半円形のコンタクト３９１０、３９１５のそれぞれを、めっき後にインサート成形して、図４０に示すコネクタ３９００を形成してもよい。図３６に示すように、第１及び第２の半円形のコンタクト３９１０、３９１５の部分の間及び周囲に誘電層３９２０を成形して、イヤホン３０００ａ、ｂへのコネクタ３９００の取り付けを補助する１つ以上の取り付けタブ３９５５の形成に使用してもよい。
静電容量式センサインサート
【０１６１】
図４１は、イヤホン４１００の簡易斜視図である。図４１に示すように、イヤホン４１００が、ハウジング４１０５及び、外面ハウジングの４１１５へのユーザの接触を感知することの可能な静電容量式センサインサート４１１０を有する。以下により詳細に説明するように、静電容量式センサ４１１０は、１つ以上の静電容量式センサを形成することの可能なセンサ回路４１２０を有する。例えば、センサ回路４１２０が、耳内感知のためにユーザの耳の接触の検出に使用可能な第１の静電容量式センサを、ハウジング４１０５の外面４１１５上の領域４１２５内に形成してもよく、着信への応答又はその他の何らかの機能を実行するためのユーザの指の接触の検出に使用可能な第２の静電容量式センサを、領域４１３０内に形成してもよい。
【０１６２】
図４２は、イヤホンハウジング４１０４の簡易断面図である。図４２に示すように、ハウジング４１０５が、ハウジングによって画定されるキャビティ４２０５内に配置された静電容量式センサインサート４１１０を有する。キャビティが、イヤホン３０００ａ、ｂの１つ以上のその他のコンポーネントを収容してもよい。イヤホンハウジング４１０５は、外面ハウジングの４１１５上に、静電容量式センサインサート４１１０によって形成される少なくとも１つの接触感知領域４１２５、４１３０を有する。ハウジング４１０５が、外面４１１５と反対側の、キャビティ４２０５内に、内面４２１０を有する。静電容量式インサート４１１０は、ハウジング４１０５の内面４２１０に隣接して配置された金属化センサ回路４１２０（図４１参照）が設けられている、第１の表面４２１５を有する。静電容量式センサインサート４１１０が、第１の表面４２１５と反対側に第２の表面４２２０を有する。
【０１６３】
図４３及び図４４はそれぞれ、静電容量式センサインサート４３００、４４００の簡易平面図である。図４３及び図４４に示すように、静電容量式センサの形成に様々に異なる種類の回路を使用可能であり、例えば、図４３では、自己静電容量式回路を使用してもよく、図４４では、相互静電容量式センサ回路を使用してもよい。
【０１６４】
図４３を参照すると、センサインサート４３００の平面図が図示されている。図４３に示すように、センサインサート４３００は、ハウジング４１０５の４１１５（図４２）へのユーザ（外面ユーザの耳及び／又は指など）の接触を感知する自己静電容量式センサ回路４３０５を有する。ユーザの接触が、自己静電容量式回路に負荷を与え、かつ／又は接地への寄生容量を増加させ、このことがセンサインサート４３００によって解釈されて、イヤホンプロセッサへと伝達される。センサ回路４３０５が、センサ回路を１つ以上の導線によってイヤホンプロセッサに結合可能にする、例えば半田パッド又はめっきされたスルーホールなどの１つ以上の相互接続領域４３１０を有してもよい。
【０１６５】
一実施形態においては、センサインサート４３００が、金属粒子を含有するプラスチックから形成されていてもよい。次に、センサインサート４３００の第１の表面４３２０上の、センサ回路４３０５の所望の位置に対応する領域４３１５を、レーザを用いてレーザ活性化させてもよい。レーザ活性化された領域を、次にめっき浴にて金属化させてもよい。一実施例においては、金属製の回路を活性化された領域上にめっきすることにより、センサ回路４３０５を形成してもよい。このプロセスは、レーザダイレクトストラクチャリングとして当業で周知である。センサインサート４３００を形成するために、その他の方法を本開示から逸脱することなく用いることが可能である。例えば、別の実施形態においては、フレキシブル回路をセンサインサートの第１の表面４３２０上に付着して、センサ回路として使用してもよい。別の実施例においては、第１の表面４３２０全体をめっきし、フォトイメージャブルインクを用いてエッチングを施してもよい。
【０１６６】
更なる実施形態においては、センサインサート４３００が、音声を通過させ、イヤホンの音声ポートとの位置合わせが可能な１つ以上の音響開口部４３２５を有してもよい。いくつかの実施形態においては、インサート４３００が、外部イヤホンハウジングの形状に密に一致した半球状又はその他の形状に形成されていてもよい。更に、いくつかの実施形態においては、センサ回路４３０５が音響開口部を完全に又は部分的に包囲していてもよい。
【０１６７】
図４４を参照すると、センサインサート４４００の平面図が図示されている。図４４に示すように、センサインサート４４００が、ハウジング４１０５の４１１５（図４２）へのユーザ（外面ユーザの耳及び／又は指など）の接触を感知する相互静電容量式センサ回路４４０５を有する。ユーザの接触が、複数の行電極及び列電極４４１０間の相互結合を変化させ、これらが順次スキャンされてイヤホンプロセッサへと伝達される。センサ回路４４０５がセンサインサート４４００の第１の表面４４０７上に形成されており、センサ回路を１つ以上の導線によってイヤホンプロセッサに結合可能にする、例えば半田パッド又はめっきされたスルーホールなどの１つ以上の相互接続領域４４１５を有してもよい。
【０１６８】
図４３のセンサインサート４３００について上述したように、センサインサート４４００が同様の方法で製造されてもよく、また同様の特徴及び機能を有してもよい。更に、いくつかの実施形態においては、センサインサート４４００が、音声がセンサ回路４３０５を通過することを可能にする１つ以上の音響開口部４４２５を有してもよく、センサ回路４４０５の少なくとも一部が、音響開口部を完全に又は部分的に包囲してもよい。更に、いくつかの実施形態においては、センサインサート４４００が、外部イヤホンハウジングの形状に密に一致した半球状又はその他の形状に形成されてもよい。
音響インサート
【０１６９】
図４５Ａは、イヤホン３０００ａの簡易後面斜視図である。図４５Ａに示すように、イヤホン３０００ａが、（スピーカなどの）ドライバのためのイヤホン３０００ａ内の通気に使用可能な、（ハウジング３００５内では点線、ハウジング外では実線で示す）音響インサート４５０５を有する。より詳細には、音響インサート４５０５を、マルチポート３０３０として組み合わせられる低音ポート３０４０及び後部ベント３０３５の形成を補助するのに使用してもよい。いくつかの実施形態においては、音響インサート４５０５のいくつかの特徴が、イヤホンハウジングなどの比較的小さく狭い領域に音響ベントを形成するのに有用であってもよい。
【０１７０】
イヤホン３０００ａが、一部を図３０に図示する複数の音響アパーチャを有してもよい。低音ポート３０４０、後部ベント３０３５及びマルチポート３０３０に加えて、各イヤホンが、指向性音声ポート３０２０及び前面漏出ポート３０２５を更に有してもよい。これらのアパーチャが、ドライバ用の通気、ユーザ用の音声を確保してもよく、イヤホン３０００ａの周波数応答のチューニングを補助してもよい。より詳細には、各アパーチャが、単に無秩序な開口部ではなく、特定の目的のため、すなわちイヤホン３０００ａの周波数応答を、周波数応答のチューニングを補助し、並びに／又は同じユーザ若しくは同一のユーザ間及び複数のユーザ間でバス応答を一致させるのに役立つように変化させるために、意図的に形作られていてもよい。複数の音響アパーチャが、それぞれ、イヤホン３０００ａの対応する音響開口部を被覆するか、又はこれに嵌入される、（指向性音声ポートメッシュ、前面漏出メッシュ、後面ベントメッシュ、低音ポートメッシュ及びマルチポートメッシュなどの）様々なメッシュを更に有してもよい。
【０１７１】
図４５Ｂは、音響インサート４５０５を有するイヤホン３０００ａの簡易側面図である。図４５Ｂに示すように、音響インサート４５０５及びドライバ４５７０が、ハウジング３００５内に配置されている（点線で図示）。以下に図４５Ａ及び図４５Ｂを同時に参照しながら、音響インサート４５０５の機能をより詳細に説明する。ドライバ４５７０が、ハウジング３００５のキャビティ４５１０内に配置されて、ドライバの前方では前方容量４５１５を、ドライバの後方では後方容量４５２０を形成してもよい。ドライバ４５７０を、前方容量４５１５が後方容量４５２０から音響的に隔離されるように配置してもよい。前方容量及び後方容量４５１５、４５２０を、それぞれ少なくとも部分的にハウジング３００５によってキャビティ４５１０内に形成し、イヤホンの所望の周波数応答を達成するような大きさ及び形状としてもよい。
【０１７２】
いくつかの実施形態においては、音響インサート４５０５の部分が、ハウジング３００５の内面４５２５の輪郭に密に一致するように形成されている。より詳細には、音響インサート４５０５の隆起した領域４５３０が、これらを内面４５２５に接着して、音響的に密閉された低音ポートチャネル４５２７及びマルチポートチャンバ４５０７を形成可能であるように、内面４５２５に確実に合わせて形成されてもよい。すなわち、低音ポートチャネル４５２７を、低音ポート凹部４５５０のそれぞれ第１、第２及び第３の壁４５３５、４５４０及び４５４５並びにハウジング３００５の内面４５２５によって形成される第４の壁によって形成してもよい。同様に、隆起した領域４５３０を内面４５２５に密着させて、音響的に密閉されたマルチポートチャンバ４５０７を形成してもよい。
【０１７３】
低音ポートチャネル４５２７が、後方容量４５２０と連通した入口アパーチャ４５５５を有してもよい。低音ポートチャネル４５２７が、入口アパーチャ４５５５から、外部への通気が可能なマルチポートチャンバ４５０７内に形成された出口アパーチャ４５６０へと険路指定されていてもよい。後部ベント３０３５もマルチポートチャンバ４５０７へと経路指定されていることにより、後方容量４５２０から音響インサート４５０５の後部通気アパーチャ４５６５を経てマルチポートチャンバ４５０７へと至る通気が確保されてもよい。低音ポートチャネル４５２７及び後部通気アパーチャ４５６５が、特定の目的のため、すなわちイヤホン３０００ａの周波数応答を、周波数応答をチューニングし、並びに／又は同じユーザ若しくは複数のユーザ間でバス応答を一致させるのに役立つように変化させるような大きさ及び形状に形成されてもよい。
【０１７４】
ハウジング３００５が、イヤホンアセンブリの残りのコンポーネントのためのハウジングとして機能してもよく、いかなる好適な方法で形成されてもよく、いかなる好適な材料から作製されてもよい。例えば、一実施形態においては、ハウジング３００５が成形プラスチック製である。同様に、音響インサート４５０５が、成形プラスチックを含むいかなる好適な材料から作製されてもよい。
【０１７５】
音響インサートの隆起した領域４５３０をハウジング３００５の内面４５２５に接着するために、様々な方法を用いることが可能である。一実施形態においては、ハウジング３００５を、レーザ波長に対して実質的に透明な、又は少なくとも半透明なＡＢＳプラスチックから作製してもよい（図４６、工程４６０５）。音響インサート４５０５を、同じレーザに対して不透明な、又は少なくとも殆ど不透明なプラスチックから作製してもよい（図４６、工程４６１０）。音響インサート４５０５を、隆起した領域４５３０が内面４５２５に強く押し付けられるように、ハウジング３００５のキャビティ４５１０内に配置してもよい（図４６、工程４６１５）。次に、レーザからのレーザビームを、隆起した領域４５３０に当たって、隆起した領域の少なくとも一部を溶かし、これらをハウジング３００５の内面４５２５に接着させるように、ハウジング３００５を通して向けてもよい（図４６、工程４６２０）。
【０１７６】
いくつかの実施形態においては、ハウジング３００５を通したレーザの照射を容易にするために、ハウジング３００５が、レーザに対して透明な比較的少量の顔料又は、レーザが隆起した領域４５３０の少なくとも一部を溶かすのに十分なエネルギをもってハウジングを通して伝達されることを可能にするその他の特徴を採用してもよい。音響インサート４５０５が、レーザエネルギを吸収するように、例えば炭素などの吸収性のドーパントを含有するプラスチックから作製されてもよい。一実施形態においては、レーザダイレクトストラクチャリングレーザと同様のレーザシステムを、レーザ接着に使用してもよい。その他の実施形態においては、隆起した領域４５３０を、例えば感圧性接着剤、熱活性化フィルム又はレーザ活性化接着剤などが含まれるがこれらに限定されないその他の方法で内面４５２５に接着してもよい。
無線ペアリング
【０１７７】
図４７〜図４９は、（例えばコンピュータ、スマートフォン、タブレットコンピュータ、スマートウォッチなどの）ホストデバイス４７１５に無線ペアリングすることの可能な、（例えば一対の無線イヤホンなどの）一対の無線ヘッドホン４７１０を有し、ペアリングが（例えばヘッドホン用のケースなどの）中間デバイス４７０５によって開始される無線ペアリングシステム４７００を図示したものである。中間デバイス４７０５が、ユーザの入力に応じて、ホストデバイス４７１５とのペアリングシーケンスに入るように無線ヘッドホン４７１０に命令してもよい。ユーザ入力が、イヤホンケースの蓋４７２０を開けるか、又は入力ボタン４７２５を押すなどの、ユーザによって開始されたイベントであってもよい。いくつかの実施形態においては、ヘッドホン４７１０が、中間デバイス４７０５と無線ヘッドホン４７１０との（例えば上述の一対の無線イヤホン用のケース内の電気的コンタクトとイヤホンとの嵌合などの）有線接続を介して、ペアリング命令を受け取ってもよい。その他の実施形態においては、中間デバイス４７０５が無線通信機を有し、無線通信機が、命令を無線ヘッドホン４７１０内の無線通信機へと伝達してもよい。ヘッドホン４７１０が、ペアリング命令を受信すると、双方向データ転送をサポートする（例えばＢｌｕｅｔｏｏｔｈ（登録商標）などの）無線通信プロトコルを介して、ホストデバイス４７１５へのペアリングシーケンスを開始してもよい。
【０１７８】
いくつかの場合には、ヘッドホン４７１０が一対の無線イヤホンであり、対のうちの一方のイヤホン（すなわち主イヤホン）のみが、コンパニオンコンパニオンホストデバイス４７１５とペアリングされる。このような場合には、主無線イヤホンによってホストデバイス４７１５から受信された音声を、通信可能に結合された副無線イヤホンと共有できるように、主イヤホンが他方のイヤホン（副イヤホン）と通信可能に結合する。
【０１７９】
いくつかの実施形態においては、ヘッドホン４７１０が、例えばユーザがヘッドホンとホストデバイス４７１５とのペアリングを開始させるために押すことの可能なボタンなどのユーザ入力機構を有さず、中間デバイス４７０５とホストデバイス４７１５との無線ペアリングは、（例えばケースの蓋を開けるか、ケースに設けられた入力ボタンを押すか、又はその他の適切な手段に応じて）中間デバイス４７０５によってのみ開始されるか、又はホストデバイス４７１５によってのみ開始されてもよい。
【０１８０】
図４８は、図４７に示す中間デバイス４７０５、ヘッドホン４７１０及びホストデバイス４７１５を有する本開示の一実施形態に基づく無線ペアリングシステム４８００を図示したものである。図４８は、中間デバイス４７０５、無線ヘッドホン４７１０及びホストデバイス４７１５をそれぞれ簡易ブロック図で示したものであるが、図示されたデバイスのそれぞれが、図４８に示す機能及び特徴以外の更なる機能及び特徴も有してもよいことが理解できる。例えば、図４８には図示されていないが、中間デバイス４７０５、無線ヘッドホン４７１０及びホストデバイス４７１５の各々が、各デバイスの様々なコンポーネントに電力を供給する、例えば充電式電池などのバッテリを有してもよい。
【０１８１】
いくつかの実施形態においては、ホストデバイス４７１５が、電子デバイス又は、本出願の譲受人であるＡｐｐｌｅ  Ｉｎｃ．によって製造販売されるｉＰｏｄ（登録商標）メディアプレーヤなどのポータブルメディアプレーヤであってもよい。一般に、メディアプレーヤは、音声、映像及び／又は静止画像を含むがこれらに限定されないメディアアセットを記憶及び再生することの可能ないかなるデバイスであってもよい。あるいは、ホストデバイス４７１５が、（例えば従来のセルラー通信技術を用いた）携帯電話、携帯情報端末（ＰＤＡ）又はメディアプレーヤ、携帯電話及び／又はＰＤＡの能力を組み合わせた、例えばＡｐｐｌｅ，Ｉｎｃ．によって製造販売されるｉＰｈｏｎｅ（登録商標）移動デバイスなどの多機能デバイスであってもよい。ホストデバイス４７１５が、ハンドヘルドコンピュータ、ラップトップコンピュータ、デスクトップコンピュータなどの汎用コンピュータであってもよい。
【０１８２】
ホストデバイス４７１５が、プロセッサ４８２０、メモリ４８２５、ユーザインターフェース４８３０、（例えばＢｌｕｅｔｏｏｔｈ（登録商標）送受信機などの）第１の無線送受信機４８３５、（例えばセルラー送受信機などの）第２の送受信機４８４０及び有線入出力部４８４５を有する。１つ以上の集積回路として実装されてもよいプロセッサ４８２０が、ホストデバイス４７１５の動作を制御してもよい。例えば、ユーザインターフェース４８３０を介してユーザから供給されるユーザ入力信号に応じて、プロセッサ４８２０が、メモリ４８２５に記憶されたメディアアセットを検索、一覧表示又は再生するプログラムを開始してもよい。プロセッサ４８２０が、セルラー送受信機４８４０と通信を行って、電話の送受を制御してもよい。第２の送受信機４８４０を、ネットワーク記憶装置４８１５を有するネットワークとの間でデータを送受信するために使用してもよい。第１の送受信機４８３５を、ホストデバイス４７１５と、ヘッドホン４７１０を含む様々なアクセサリデバイスとの間の（例えばＢｌｕｅｔｏｏｔｈ通信などの）短距離無線通信を支援するために使用してもよい。メモリ４８２５が、以下により詳細に説明するＢｌｕｅｔｏｏｔｈペアリング情報を含むいかなる情報を記憶してもよい。有線入出力部４８４５が、ＵＳＢプロトコル又は、例えばＡｐｐｌｅ  Ｌｉｇｈｔｎｉｎｇ（登録商標）コネクタによって使用される独自仕様のプロトコルなどの、いかなる有線接続であってもよい。
【０１８３】
無線ヘッドホン４７１０が、ユーザの頭に装着される従来のヘッドホン、ヘッドセット（ヘッドホンとマイクロホンとの組合せ）、イヤホン（ユーザの耳内に直接に嵌め込まれるように設計された極小ヘッドホン）又はいかなるその他のポータブル聴取デバイスであってもよい。いくつかの実施形態においては、無線ヘッドホン４７１０が、プロセッサ４８５０、有線入出力部４８５５、メモリ４８６０及び（例えばＢｌｕｅｔｏｏｔｈ送受信機などの）無線送受信機４８６５を有する。
【０１８４】
１つ以上の集積回路として実装されてもよいプロセッサ４８５０が、ヘッドホン４７１０の動作を制御してもよい。有線入出力部４８５５が、中間デバイス４７０５と無線ヘッドホン４７１０との間の、独自仕様の相互接続を含むいかなる有線接続であってもよい。一実施例においては、有線入出力部４８５５が、無線ヘッドホン４７１０と中間デバイス４７０５とを、ヘッドホンが（ケース内に保管されているなど）中間デバイスと嵌合しているときに直接に電気接続する、コネクタ３４７（図３）又は図４Ａ〜図８Ｃに示すコネクタのうちのいずれかなどの電気コネクタである。有線入出力部４８５５を、無線ヘッドホン４７１０の充電及び／又は中間デバイス４７０５とのデータ通信のために使用してもよい。一実施例においては、以下により詳細に説明するように、中間デバイス４７０５の有線入出力部４８７５から信号を受信して、ヘッドホンのペアリングシーケンスを開始させるために、ヘッドホン４７１０の有線入出力部４８５５を使用してもよい。
【０１８５】
無線送受信機４８６５を、ヘッドホン４７１０と、ホストデバイス４７１５を含む様々なホストデバイスとの間の（例えばＢｌｕｅｔｏｏｔｈ通信などの）短距離無線通信を支援するために使用してもよい。一実施形態においては、中間デバイス４７０５にも、無線送受信機４８６５との無線通信が可能な無線送受信機（図示せず。例えばＢｌｕｅｔｏｏｔｈ送受信機など）が搭載されていてもよい。無線送受信機４８６５は、ヘッドホン４７１０とホストデバイス４７１５との間に無線通信チャネルが確立されると、ヘッドホン４７１０がホストデバイス４７１５と無線通信することを可能にする。例えば、ヘッドホン４７１０及びホストデバイス４７１５のそれぞれに、適切な短距離送受信機ユニットを含むＢｌｕｅｔｏｏｔｈ（登録商標）技術が適用されていてもよい。いくつかの実施形態においては、ホストデバイス４７１５とヘッドホン４７１０との間に、ヘッドホン４７１０に関連付けられるパスコード（又はＰＩＮコード）をホストデバイス４７１５に手入力するなどの従来の技術を用いて、Ｂｌｕｅｔｏｏｔｈ（登録商標）ペアリングを確立させることが可能であってもよい。他の実施形態においては、Ｂｌｕｅｔｏｏｔｈ（登録商標）ペアリングが、以下に述べるように自動的に確立されてもよい。
【０１８６】
メモリ４８６０が、ヘッドホン４７１０を動作させるためのファームウェア並びに、他の無線イヤホンとの結合のため及びヘッドホン４７１０とコンパニオンホストデバイスとのペアリングのためのデータを記憶してもよい。例えば、メモリ４８６０が、ヘッドホン４７１０とのペアリングが以前に行われたことのある、ホストデバイス４７１５などのコンパニオンホストデバイスの接続履歴を記憶してもよい。接続履歴が、ヘッドホン４７１０とコンパニオンホストデバイスとを、ヘッドホンとコンパニオンホストデバイスとの間で（パスワード入力、共有秘密情報の交換などの）接続設定を行う必要なく自動的にペアリングするためのデータを含んでもよい。例えば、接続履歴が、無線ネットワークへの接続のための（例えばＢｌｕｅｔｏｏｔｈリンクキーなどの）１つ以上のリンクキーを含んでもよい。メモリ４８６０が、ヘッドホン４７１０を一意的に識別するＭＡＣアドレスを記憶し、並びに、無線イヤホン１６５と以前に結合したことのある別のヘッドホンのペアリングパートナーＭＡＣアドレスを記憶してもよい。例えば、一実施形態においては、ヘッドホン４７１０が無線イヤホンであり、メモリ４８６０が、ペアリングされたパートナーイヤホンのＭＡＣアドレスを記憶してもよい。
【０１８７】
別の実施例においては、ヘッドホン４７１０をホストデバイス４７１５とペアリングした後に、ホストデバイスが、ヘッドホン４７１０からの関連するペアリング情報を、クラウドストレージなどのネットワーク記憶システム４８１５に保存してもよい。一実施形態においては、ネットワーク記憶装置４８１５に記憶された関連するペアリング情報が、無線ヘッドホン４７１０とあらかじめペアリングされる他のホストデバイスによって使用されてもよい。例示的な一例として、一実施形態においては、最初に無線ヘッドホンがｉＰｈｏｎｅとペアリングされる。ｉＰｈｏｎｅが、ペアリング情報を、ホストデバイス４７１５とは別の（例えばｉＣｌｏｕｄなどの）遠隔ネットワーク上に保存されたユーザのｉＴｕｎｅｓ又はｉＣｌｏｕｄアカウントに伝達する。次に、無線ヘッドホンがユーザのｉＴｕｎｅｓ又はｉＣｌｏｕｄアカウントに、アカウント用に認証された無線デバイスとして登録される。例えば、ユーザのｉＣｌｏｕｄアカウントが、例えばｉＣｌｏｕｄアカウントへのデバイスの以前の承認及び／又は認証に基づいて自動的に承認されたホストデバイス４７１５を含む、アカウントに既に加えられている１つ以上の（無線ヘッドホン４７１０を含む）無線ヘッドホンとペアリングされるホストデバイス（１つ以上のスマートフォン、１つ以上のタブレットコンピュータ及び１つ以上のラップトップコンピュータ）の第１のリストを含んでもよい。次に、ユーザが、ヘッドホン４７１０との他のペアリングシーケンスを開始させる必要なしに、ユーザのｉＣｌｏｕｄアカウント中の承認されたペアリングのリストに基づいて自動的にヘッドホンとペアリングさせることの可能な自身のｉＰａｄを利用してもよい。この特徴を利用して、ホストデバイスをあらかじめ承認させておき、自動的にペアリングしてもよい。
【０１８８】
いくつかの実施形態においては、中間デバイス４７０５が、ヘッドホン４７１０用のケース、ドッキングステーション又は他の種類のアクセサリ又は電子デバイスであってもよい。いくつかの実施形態においては、中間デバイス４７０５が、プロセッサ４８７０、有線入出力部４８７５、ユーザ入力デバイス４８８０及びメモリ４８８５を有する。
【０１８９】
１つ以上の集積回路として実装されてもよいプロセッサ４８７０が、メモリ４８８５などのコンピュータ読取り可能なメモリ又は媒体中に記憶されたコンピュータ命令を実行することによって、中間デバイス４７０５の動作を制御してもよい。例えば、メモリ４８８５内に記憶された命令が、ユーザ入力デバイス４８８０によって供給されるユーザ入力信号に応じて、ホストデバイスとのペアリングシーケンスに入る命令を、（例えば有線入出力インターフェース４８７５を介して、又は中間デバイス４７０５と無線ヘッドホン４７１０との間の無線チャネルによって）プロセッサ４８７０にヘッドホン４７１０へ送信させてもよい。有線入出力部４８７５が、中間デバイス４７０５と無線ヘッドホン４７１０との独自仕様の相互接続を含むいかなる有線接続であってもよい。一実施例においては、有線入出力部４８５５が、一対のイヤホン１１５ａ、１１５ｂとケース１００との間の電気コネクタ３４７（図３）の一部分であり、図４Ａ〜８Ｃに図示するいかなるコネクタであってもよい。有線入出力部４８５５を、充電及び／又はデータ用に使用してもよい。様々な実施形態において、以下により詳細に説明するように、有線入出力部４８５５を、信号をヘッドホン４７１０に送信してペアリングシーケンスを開始させるために使用してもよい。
【０１９０】
ユーザ入力デバイス４８８０が、ユーザによって操作可能ないかなるデバイスであってもよい。一実施形態においては、ユーザ入力デバイス４８８０が、中間デバイス４７０５の蓋の開閉を検出する蓋センサ２２０（図２）などの蓋センサである。一実施例においては、開イベントが検出され、プロセッサ４８７０が、中間デバイスの有線入出力部４８７５を介し、ヘッドホンの有線入出力部４８５５を経てヘッドホン４７１０のプロセッサ４８５０へと信号を送信してペアリングシーケンスを開始させる、及び／又はＢｌｕｅｔｏｏｔｈ送受信機４８６５をオンする。別の実施例においては、無線ヘッドホン４７１０は以前にペアリングされたことがなく、ヘッドホン４７１０がペアリングシーケンスに入る。更なる一実施例においては、ヘッドホン４７１０は以前にペアリングされたことがあり、ヘッドホン４７１０がＢｌｕｅｔｏｏｔｈ送受信機４８６５をアクティブ化させるが、ペアリングシーケンスは開始させない。一実施形態においては、中間デバイス４７０５が、ペアリング信号をヘッドホン４７１０に送信したことをユーザに通知する１つ以上のインジケータライトを有してもよい。
【０１９１】
図４９は、（中間デバイス４７０５などの）中間デバイスが（ホストデバイス４７１５などの）ホストデバイスと（無線ヘッドホン４７１０などの）一対の無線ヘッドホンとの間で無線ペアリングを開始させる方法４９００を図示したものである。図４９に図示する方法を、例えば、（コンピュータ読取り可能なメモリ４８８５に記憶された命令を実行するプロセッサ４８７０などの）コンピュータ読取り可能なメモリ内に記憶されたコンピュータ命令を実行する、中間デバイス内のプロセッサによって実行してもよい。工程４９０５で、中間デバイスがユーザ入力を受信する。いくつかの実施形態においては、中間デバイスは、一対のヘッドホン又は一対のイヤホン用のケースである。様々な実施形態において、ユーザ入力が、ケースの蓋を開けること、ケースのボタンを押すこと又はその他の、ペアリングシーケンスを開始させたいことを示すユーザ入力としてケースが記録する何らかの動作をケースに対して行うことであってもよい。一実施例においては、ユーザがケースの蓋を開けると、蓋センサが、蓋が開けられたことをプロセッサ４８７０に通知する信号をプロセッサに送信する。
【０１９２】
工程４９１０で、中間デバイスは、ユーザ入力の受信に応じて、ヘッドホンがデバイスに接続されているか否かを判定する。例えば、いくつかの実施形態においては、中間デバイスがイヤホンケースであり、一対のヘッドホンが、ケースのイヤホン受容キャビティ内に嵌合する一対の無線イヤホンである。イヤホンケースが、イヤホンが上述のようにケース内に収容されているか否かを判定し、このことを表す信号を生成し、イヤホンがケース内に収容されているか否かを示す信号をプロセッサに供給することの可能な、１つ以上の上述のイヤホン検出器を有してもよい。一実施例として、イヤホンがケース内に収容されているか否かを、イヤホン上の１つ以上の電気的コンタクトがケース内の１つ以上の電気的コンタクトに電気的に接続されているか否かに基づいて、イヤホンケースが判定してもよい。別の実施形態においては、中間デバイスが、嵌合コネクタによってヘッドホンに結合するドッキングステーションである。いくつかの実施形態においては、ヘッドホンが中間デバイスに接続されていない場合には、中間デバイスはいかなるアクションも起こさない（工程４９１２）が、ヘッドホンが中間デバイスに接続されている場合には、方法は工程４９１５へと進む。他の実施形態においては、工程４９１０は任意であり、中間デバイスは工程４９１５へとかわまず進む。しかし、そのような実施形態においては、ヘッドホンが中間デバイスに通信可能に結合されていない場合には、ヘッドホンは工程４９１５で生成された命令を受信することができないので、そのような場合における方法４９００の最終的な結果は「アクション無し」である（工程４９１２）。
【０１９３】
工程４９１５で、ヘッドホンが中間デバイスに接続されていると中間デバイスが判定したことに応じて、中間デバイスが「ペアリング開始」命令又は信号をヘッドホンに送信する。一実施形態においては、中間デバイスが、「ペアリング開始」信号を、ヘッドホンと中間デバイスとの間の充電接続部を介して送信する。別の実施形態においては、中間デバイスが、信号をヘッドホンに無線送信してもよい。一実施例では、複数の異なるユーザ入力がなされると、中間デバイスが、ヘッドホンによって区別可能な異なる複数の「ペアリング開始」信号を、ヘッドホンに送信する。中間デバイスが一対のイヤホン用のケースである一実施例において、蓋が開いたときに、既知のかつ以前にペアリングを行ったことのあるホストと自動的にペアリングを行う命令を、ケースがイヤホンに送信してもよい。蓋が開けられる前又は後のいずれかで入力ボタンが押された場合には、自動ペアリングモードの代わりに発見モードに入る命令を、ケースがイヤホンに送信してもよい。発見モードは次に、ユーザが標準的なペアリングシーケンスを用いてイヤホンを他の異なるホストデバイスと選択的にペアリングさせることを可能にする。いくつかの実施形態においては、上述のように、工程４９１０は任意であり、中間デバイスが、ヘッドホンが接続されているか否かの判断を試みることなく「ペアリング開始」要求信号をヘッドホンに送信するが、ヘッドホンが接続されていない場合には、信号は受信されない。
【０１９４】
工程４９２０で、ヘッドホンが、電気コネクタ又は無線接続を介して「ペアリング開始」信号を中間デバイスから受信する。
【０１９５】
工程４９２５で、ヘッドホンが、「ペアリング開始」信号の受信に応じて、ペアリングシーケンスを開始すべきか否かを判定する。一実施形態においては、ヘッドホンが、ヘッドホン内部のペアリングメモリを検査して、これがヘッドホンの最初のペアリングであるのか、又はそれ以降のペアリングであるのかを判定する。最初のペアリングである場合には、ヘッドホンプロセッサが、どのような種類のユーザ入力が受信されたのかを判定して、ペアリングを開始すべきか否かを判定してもよい。例えば、（ヘッドホンのペアリングメモリが空であるなど）最初のペアリングである場合には、ユーザが蓋を開けた場合にはペアリングを開始してもよいが、ユーザがボタンを押した場合にはペアリングを開始しない。しかし、（ヘッドホンのペアリングメモリが少なくとも１つの記録を有するなど）後続のペアリングである場合には、ユーザが蓋を開けた場合にはペアリングが開始されないが、ユーザがボタンを押した場合にはペアリングが開始される。これらは単なる例であり、その他の論理シーケンスも本開示の範囲に含まれる。
【０１９６】
更なる一実施例においては、ヘッドホンは、ヘッドホンから所定の距離以内にあるホストデバイスのみとペアリングする。一実施例では、ヘッドホンは１０メートル以内のホスト電子デバイスのみとペアリングされるが、別の実施形態では５メートル以内、更なる実施形態では３メートル以内、更に別の実施形態では１メートル以内でなければならない。ヘッドホンとホストデバイスとの最大近接ペアリング距離は、ヘッドホン側又はホストデバイス側いずれかで設定されてもよい。
【０１９７】
いくつかの実施形態においては、距離を、ヘッドホンからホストデバイスに送信される無線信号の強度に基づいて、ヘッドホンが制御してもよい。例えば、電子デバイスが所望の距離以内を確実にするように、ヘッドホンが所定の低減された電力レベルのペアリング信号を一斉送信してもよい。一実施形態においては、ヘッドホンが、その通常の一斉送信電力（すなわち通常の信号強度）の８０％以下であるペアリング信号を一斉送信してもよい。ペアリング信号は、別の実施形態では通常の信号強度の５０％以下であってもよく、更なる一実施形態では通常の信号強度の２５％以下であってもよい。
【０１９８】
いくつかの実施形態においては、距離が、ヘッドホンから受信された信号の強度に基づき、ホスト電子デバイスによって制御されてもよい。例えば、いくつかの実施形態においては、ペアリング要求を送信している無線信号の強度が、第１及び第２のデバイス間の通常の無線通信に必要な最小信号強度よりも高い所定のしきい値を超えている場合にのみ、ホスト電子デバイスが第１のデバイスからの無線ペアリング要求を承諾する。一実施形態においては、所定のしきい値は、ヘッドホンとホストデバイスとの無線通信に必要な通常の最小信号強度よりも２００％高い。別の実施形態においては、所定のしきい値は、通常の最小信号強度よりも１５０％高く、更なる実施形態においては、所定のしきい値は、通常の最小信号強度よりも１００％又は５０％高くてもよい。
【０１９９】
どのような方式を採用するのかにかかわらず、ホスト電子デバイスがヘッドホンに十分に近接していない場合には、ヘッドホンはペアリング要求を承諾（又は受信）せず、ペアリングを完了させるためのいかなるアクションも行われない（工程４９２７）。しかし、必要な条件が満たされている場合には、方法は工程４９３０へと進む。
【０２００】
工程４９３０で、ペアリングシーケンスを開始（又は継続）すべきであるとヘッドホンが判定したことに応じて、ヘッドホンが、ヘッドホンとホストデバイスとの間で共通の無線プロトコルを用いて無線ペアリング信号を送信する。いくつかの実施形態においては、信号が、応答がない場合には所定の時間経過後に停止可能な、標準化された循環するＢｌｕｅｔｏｏｔｈ信号であってもよい。他の実施形態においては、その他の既知の無線プロトコルを使用してもよい。
【０２０１】
工程４９３５で、ペアリング信号の受信に応じて、ホストデバイスがヘッドホンを認証し、ペアリングを行う。一実施例においては、ヘッドホンのペアリングの前に、ホストデバイスがユーザに対し、ペアリングを実行すべきか否かを尋ねるプロンプトを表示する。ユーザが承諾した場合には、ホストデバイスはデータをヘッドホンに送信し、ヘッドホンの認証が実行される。
【０２０２】
いくつかの場合には、一対の無線ヘッドホンとホストデバイスとの間で無線ペアリングシーケンスを開始させる前に、本開示に基づく一対の無線イヤホン用のケースが、ケース内にイヤホンを封入している蓋をユーザが開けたときに、イヤホンの無線通信機を自動的にオンしてもよい。図５０は、（中間デバイス４７０５などの）イヤホンケースが、本開示のいくつかの実施形態に基づき、ケース内に保管されている（無線ヘッドホン４７１０などの）一対のイヤホンの無線通信機をオンさせる方法５０００を図示したものである。図５０に示すように、方法５０００が、蓋４７２０が閉鎖位置から開放位置へと移動したことを中間デバイス４７０５が検出したときに開始してもよい（工程５００５）。
【０２０３】
イヤホンがケース内にない場合には、いかなるアクションも行われない（工程５０２０）。無線ヘッドホン４７１０がケース内にある場合（工程５０１０）には、イヤホンにその無線通信機をオンさせる命令をケースが生成し、イヤホンに送信してもよい。いくつかの実施形態においては、命令が、上述のように受容キャビティ内に配置された１つ以上の電気的コンタクトを介して送信されてもよい。イヤホンがその無線通信機をオンすると、イヤホンが、ホストデバイスとのペアリングシーケンスを開始させるように更に命令されてもよい。いくつかの実施形態においては、（蓋４７２０を開けるか又はボタン４７２５を押すなどの）ケースとのユーザの単一の相互作用が、イヤホンの無線通信機をオンさせると共に、図４９に関して上述したペアリングシーケンスを開始させるためにイヤホンに送信される命令を生成してもよい。いくつかの実施形態においては、中間デバイス４７０５からの単一の命令が、これら双方のアクションを開始させてもよく、他の実施形態においては、ケースが、単一のイベントに応じて複数の命令を送信してもよい。
【０２０４】
他の実施形態においては、本開示のいくつかの実施形態に基づく方法５１００を図示した図５１に関して述べるように、蓋４７２０を閉じることが、イヤホン内の無線通信機を自動的にオフしてもよい。図５１に示すように、方法５１００が、蓋４７２０が開放位置から閉鎖位置へと移動したことを中間デバイス４７０５が検出したときに開始してもよい（工程５１０５）。イヤホンがケース内にない場合には、いかなるアクションも行われない（工程５１２０）。無線ヘッドホン４７１０がケース内にある場合（工程５１１０）には、イヤホンにその無線通信機をオフさせる命令をケースが生成してイヤホンに送信することにより、イヤホン内のバッテリの電荷を節約してもよい。
【０２０５】
上述の様々な実施形態及び実施例は、主としてイヤホン及びそのようなイヤホンを保管するためのケースに着目したものであるが、本開示の実施形態はこれらに限定されるものではなく、上述の開示の技術は、ヘッドホン及びその他の聴取デバイス並びにこれらのケースにも等しく適用可能である。例えば、一実施形態においては、図１に示すケース１００が、一対のイヤホンではなく一対のヘッドホン用のケースであってもよい。そのような実施形態においては、キャビティ１１０ａ、１１０ｂが、ヘッドホンの左側及び右側の耳パッドを、これら２つの耳パッドを連結しているバンドの各部分と共に保持するような大きさ及び形状であってもよい。他の実施形態においては、耳パッドと連結ヘッドバンドの一部又は全てとを保持する単一のキャビティがケース内に含まれていてもよい。同様に、他の実施形態においては、ケース１００が、ポータブルスピーカ又はその他の種類の聴取デバイスを保持する大きさ及び形状であってもよい。
【０２０６】
簡略化のために、一対のイヤホン１１５ａ、１１５ｂ、ケース１００（図１）及びウェアラブル電子デバイス２３０１（図２３）の回路、バス、メモリ、記憶装置及びその他のコンポーネントなどの様々な内部コンポーネントは、図面に図示されていない場合がある。また、いくつかの実施形態は、フロー図又はブロック図として図示されるプロセスとして記載されていることに留意すべきである。各図面が、プロセスを逐次的な一連の動作として図示してもよいが、これらの動作の多くが並行して又は同時に実行されてもよい。更に、動作の順序が入れ替わってもよい。あるプロセスに、図面に含まれていない更なる工程が含まれてもよい。
【０２０７】
上述の明細書において、本開示の複数の実施形態を数多くの具体的な詳細に言及しながら説明してきたが、これらの詳細が実施ごとに異なってもよい。したがって、明細書及び図面は、限定的ではなく、例示的なものであるとして理解されるべきである。本開示の範囲及び、本開示の範囲として出願人が意図するものは、本出願の請求項の後の修正を含めた特定の形式における字義通りの及び同意義の範囲によってのみ、排他的に示される。特定の複数の実施形態の具体的な詳細を、本開示の実施形態の趣旨及び範囲から逸脱することなく、いかなる適切な方法で組み合わせてもよい。更に、例えば図面に図示されるように、「底部」及び「頂部」などの空間的に相対的な用語を、ある要素及び／又は特徴の他の要素及び／又は特徴に対する関係を説明するために用いてもよい。空間的に相対的な用語は、図面に図示された方向に加えて、使用中の及び／又は動作中のデバイスの異なる複数の方向をも包含するものとして意図されていることが理解されよう。例えば、図面中のデバイスを反転させた場合には、「底」面として記載された要素は、他の要素又は特徴よりも「上」に配置され得る。デバイスが（例えば９０度又は他の方向に回転されるなどのように）他の向きに配置され、本開示で用いられた空間関係の記載がこれに合わせて解釈されてもよい。
【０２０８】
本実施形態及び実施例の次のリストは、本発明の様々な実施形態の範囲及び幅を示す追加のサポート及び詳細を提供するために述べられる。参照を簡便にするために、本実施形態及び実施例は、異なる見出しの下に列挙される。当然のことながら、１つの特定の見出しの下に列挙される様々な特徴は、異なる見出しの下に列挙される実施形態に含めてもよく、それと共に用いてもよい。
充電システム付きイヤホンケース
【０２０９】
いくつかの実施形態では、充電式バッテリと電力コンタクトを含むポータブル聴取デバイスの持ち運び及び充電を行うためのケースが提供される。ポータブル聴取デバイスケースは、聴取デバイスを受容するように構成されたハウジングと、ハウジングに取り付けられ、ケース内に聴取デバイスを隠す閉鎖位置と、ハウジングから変位させ、ユーザがケースから聴取デバイスを取り出し可能な開放位置との間で動作可能な蓋と、聴取デバイスをハウジング内に配置したとき、検出信号を生成するように構成された検出器と、検出信号の受信に応じて充電式バッテリの充電を開始するように構成された充電回路とを含むことができる。
【０２１０】
いくつかの実施形態では、一対のイヤホン用のケースは、一対のイヤホンを受容するように構成された１つ以上のキャビティを有するハウジングと、ハウジングに取り付けられ、１つ以上のキャビティ上に位置合わせされる閉鎖位置と、１つ以上のキャビティから変位させる開放位置との間で動作可能な蓋と、充電システムとを含む。充電システムは、ケースバッテリと、イヤホンを１つ以上のキャビティに配置した場合を検出するように構成されたイヤホン検出器と、イヤホンが１つ以上のキャビティに挿入されたことを、イヤホン検出器が検出したとき、イヤホンの充電を開始するように構成された充電回路と、を含むことができる。１つ以上のキャビティは、一対のイヤホンの第１のイヤホンを受容するように構成された第１のキャビティと、一対のイヤホンの第２のイヤホンを受容するようなサイズ及び形状にした第２のキャビティとを含むことができる。イヤホン検出器は、第１のイヤホンを第１のキャビティに配置した場合を検出するように構成された第１のイヤホンセンサと、第２のイヤホンを第２のキャビティに配置した場合を検出するように構成された第２のイヤホンセンサとを含むことができる。いくつかの例では、第１及び第２のイヤホンセンサは各々、イヤホンによって生成された磁界を検出することで、それらの各イヤホンの挿入を検出でき、充電回路は、第１のイヤホンセンサが第１のキャビティ内に第１のイヤホンを検出したとき、第１のイヤホンの充電を開始し、第２のイヤホンセンサが第２のキャビティ内に第２のイヤホンを検出したとき第２のイヤホンの充電を開始する。いくつかの実施形態では、ハウジングは、一対のイヤホンの第１のイヤホンを受容するように構成された第１のキャビティと、一対のイヤホンの第２のイヤホンを受容するようなサイズ及び形状にした第２のキャビティとを含むことができ、ケースは更に、第１のイヤホンに電力を送るために第１のキャビティに配置した第１の充電コンタクトと、第２のイヤホンに電力を送るために第２のキャビティに配置した第２の充電コンタクトとを含むことができ、イヤホン検出器は、第１及び第２の充電コンタクトに動作可能なように結合した検出回路を含むことができ、第１及び第２のイヤホンをそれらの各キャビティに配置したとき、第１及び第２のイヤホンの各々の１つ以上の電気的特性をそれぞれ検出する。いくつかの例では、イヤホン検出器は、第１の充電コンタクトに電圧を周期的に印加し、第１のイヤホンを検出し、第２の充電コンタクトに電圧を周期的に印加し、第２のイヤホンを検出する。いくつかの実施形態では、充電回路は、イヤホン充電回路をオンにすることでイヤホンの充電を開始する。更に、ケースは、ケース内に配置したケースバッテリの充電レベルを視覚的に指示する第１の複数の充電レベル指示器と、一対のイヤホン内の１つ以上の充電式バッテリの充電レベルを視覚的に指示する第２の複数の充電レベル指示器とを含むことができる。ケースは更に、ケース上に配置され、ケース内の回路に動作可能なように結合され、一対のイヤホンの少なくとも１つのイヤホンに信号を送って、イヤホンをペアリングモードの配置するペアリング入力機構、及び／又は電源にインターフェースするように構成され、ケースに電力を供給して、ケースバッテリを充電するコネクタを含む。コネクタは更に、電源と、ケース内のケースプロセッサとの間に通信経路を提供するように構成され、データを電源からケースプロセッサに送ることができる。
【０２１１】
いくつかの実施形態では、各イヤホンが耳インターフェース部、心棒、イヤホンバッテリ及び無線通信部を有する一対のイヤホン用のケースが提供される。ケースは、一対のイヤホンの第１のイヤホンを受容するように構成された第１のキャビティ、及び一対のイヤホンの第２のイヤホンを受容するように構成された第２のキャビティを有するハウジングと、ハウジングに取り付けられ、ケース内にイヤホンを隠す閉鎖位置と、ユーザがケースからイヤホンを取り出し可能な開放位置との間で動作可能な蓋と、充電システムとを含むことができる。充電システムは、ケースバッテリと、ケースバッテリを充電するために電源にインターフェースするように構成された第１のコネクタと、第１及び第２のイヤホンの各々に結合するように構成され、第１のキャビティに配置した少なくとも１つのコンタクトと、第２のキャビティに配置した少なくとも１つのコンタクトを有する第２のコネクタと、イヤホンを第１又は第２のキャビティのいずれかに配置した場合を検出するように構成されたイヤホン検出器と、イヤホン検出器が第１のキャビティ又は第２のキャビティのいずれかの内部へのイヤホンの挿入を検出したとき、イヤホンの充電を開始するように構成し、イヤホンがキャビティから取り出されたことをイヤホン検出器が検出したとき、イヤホンの充電を中止するように構成された充電回路とを含むことができる。第１及び第２のイヤホンは各々、心棒の遠位端に電力コンタクトと接地コンタクトを有するコネクタを含むことができる。第２のコネクタは、第１及び第２のイヤホンを第１及び第２のキャビティに各々配置したとき、各イヤホンに充電回路の電力及び接地接続を結合できる。充電システムは、第１のキャビティに配置した第１の充電コンタクトと、第２のキャビティに配置した第２の充電コンタクトを含むことができ、イヤホン検出器は、第１の充電コンタクトを介して、第１のイヤホンの電気的特性を検出することで、第１のキャビティ内への第１のイヤホンの挿入を検出し、第２の充電コンタクトを介して、第２のイヤホンの電気的特性を検出することで、第２のキャビティ内への第２のイヤホンの挿入を検出できる。ケースは更に、ケースの外面に配置したユーザ入力デバイスを含み、ユーザ入力デバイスは、ユーザによって動作可能であり、一方のイヤホンの無線通信機をペアリングモードに配置する。
磁気オーバーセンター機構付きケース
【０２１２】
本開示のいくつかの実施形態は、ポータブル聴取デバイス又は他の種類の電子デバイスの格納に用いられるケースに関する。ケースは、電子デバイスを受容するキャビティ及び受容開口部を有し、受容開口部と連通するハウジングと、枢動可能な接合部を用いてハウジングに固定し、受容開口部を露出させる開放位置と、受容開口部をカバーする閉鎖位置との間で動作可能な蓋と、ハウジング及び蓋内に配置され、蓋用のオーバーセンター位置を形成し、閉鎖位置に蓋を引き付ける場合の、蓋がオーバーセンター位置を超えて移動するまで、開放位置から閉鎖位置に回転しないように構成される、複数の磁気素子と、を含むことができる。ハウジングは、第１及び第２の対向側壁と、第１及び第２の対向側壁の間を延びる第３及び第４の対向側壁と、第１、第２、第３及び第４の側壁の間を延びる底部壁と、側壁と底部壁によって画定した内部空間に配置され、キャビティの形状を画定するインサートと、底部壁に対向し、受容キャビティに連通する受容開口部とを含むことができる。受容キャビティは、１つ以上の聴取デバイスを受容するように構成できる。複数の磁気素子は、蓋用のオーバーセンター構成を形成するように構成され、閉鎖位置のとき蓋は第１の安定位置にあり、開放位置のとき第２の安定位置にあるが、閉鎖位置と開放位置の間では不安定位置にある。蓋が閉鎖位置のとき、第２の対の磁気素子の間の引力は、第１の対の磁気素子の反発力を圧倒でき、蓋が開放位置にあるとき、第１の対の磁気素子の間の反発力は、第２の対の磁気素子の引力を圧倒できる。いくつかの例では、複数の磁気素子の１つ以上は、高透磁性材料によって部分的に取り囲まれる。いくつかの例では、複数の磁気素子の１つ以上は、蓋が閉鎖位置にあるとき、その嵌合する磁気素子に対してその極が位置合わせされないように方向付けし、いくつかの例では、複数の磁気素子の１つ以上は、単方向での動きを可能にするばねに固定できる。
【０２１３】
いくつかの実施形態では、ポータブル聴取デバイス用のケースが提供される。ケースは、聴取デバイスを受容するキャビティを有するハウジングと、枢動可能な接合部を介して、ハウジングに取り付けられ、キャビティ上に位置合わせされる閉鎖位置と、角変位され、キャビティから聴取デバイスを取り出し可能な開放位置との間で枢動可能な蓋と、ハウジング及び蓋内に配置され、蓋を閉鎖位置に固定し、蓋が開放位置から閉鎖位置に移動することを防止するように構成される複数の磁気素子とを含むことができる。複数の磁気素子は、互いに反発するように構成された第１の対の磁気素子と、互いに引き付けるように構成された第２の対の磁気素子とを含むことができる。第１の対の磁気素子は、枢動可能な接合部に隣接する蓋内に配置した第１の磁石と、枢動可能な接合部に隣接するハウジング内に配置され、第１の磁石と反発するように方向付けした第２の磁石とを含むことができる。第２の対の磁気素子は、枢動可能な接合と反対側の蓋内に配置した第１の磁石要素と、枢動可能な接合部と反対側のハウジング壁内に配置され、第１の磁気素子を引き付けるように方向付けした第２の磁気素子とを含むことができる。いくつかの例では、第２の対の磁気素子の両方の磁気素子は磁石である。いくつかの例では、第２の対の磁気素子の一方の磁気素子は磁石であり、他方の磁気素子は磁性材料である。オーバーセンター位置は、第１及び第２の磁気素子の間の反発力、第２及び第３の磁気素子の間の引力、並びに枢動可能な接合部からの第１、第２、第３及び第４の磁気素子の距離の組合せによって形成される。
【０２１４】
いくつかの実施形態では、ポータブル聴取デバイス用のケースは、聴取デバイスを受容するキャビティ、及びキャビティに連通する受容開口部を有するハウジングと、枢動可能な接合部を介してハウジングに固定し、受容開口部を露出させる開放位置と、受容開口部をカバーする閉鎖位置との間で動作可能な蓋と、枢動可能な接合部に隣接する蓋内に配置され、枢動可能な接合部に隣接するハウジング内に配置した第２の磁気素子と反発するように方向付けした第１の磁気素子と、枢動可能な接合部と反対側の蓋の遠位端において蓋内に配置され、枢動可能な接合部と反対側のハウジングの遠位端においてハウジング内に配置した第４の磁石要素を引き付けるように方向付けした第３の磁気素子とを含み、第１、第２、第３及び第４の磁気素子は協調して、開放位置と閉鎖位置の間に配置した蓋用のオーバーセンター位置を画定し、蓋は閉鎖位置に付勢される場合の、蓋がオーバーセンター位置を超えて移動するまで、開放位置から閉鎖位置に回転しないようにする。いくつかの例では、複数の磁気素子は、互いに反発するように方向付けした第１の対の磁気素子を含むことができ、蓋にハウジングを接続する枢動可能な接続部の近傍に配置され、第１の対の第１の磁気素子はケース内に配置され、第１の対の第２の磁気素子は蓋内に配置される。いくつかの例では、複数の磁気素子は、互いに引き付けるように方向付けした第２の対の磁気素子を含むことができ、枢動可能な接合部と反対側に配置され、第１の磁気素子はケース内に配置され、第２の磁気素子は蓋内に配置される。いくつかの実施形態では、オーバーセンター位置は、第１の対の磁気素子の間の反発力、第２の対の磁気素子の間の引力、枢動可能な接合部からの第１の対の磁気素子の距離、及び枢動可能な接合部からの第２の対の磁気素子の距離の組合せによって形成される。
無線通信遮断機能付きイヤホンケース
【０２１５】
いくつかの実施形態では、無線通信機を有するポータブル聴取デバイス用のケースが提供される。ケースは、ポータブル聴取デバイスを受容するように構成されたキャビティを有するハウジングと、ハウジングに取り付けられ、ケース内にポータブル聴取デバイスを隠す閉鎖位置と、ハウジングから変位させ、ユーザがケースからポータブル聴取デバイスを取り出し可能な開放位置との間で動作可能な蓋と、蓋が閉鎖位置にあるか開放位置にあるかを検出する蓋センサと、蓋を閉鎖位置から開放位置に移動させたことを蓋センサが検出したとき、無線通信機をオンにするように構成された回路とを含む。蓋センサは、蓋が閉鎖位置から開放位置に移動すると開信号を生成でき、回路は、開信号に応じて無線通信機をオンにするように構成できる。いくつかの例では、ケースは更に、キャビティに配置した第１のコンタクトを有する電気コネクタを含み、ポータブル聴取デバイスをキャビティに受容したとき、ポータブル聴取デバイス上の第２接点コンタクトに電気的に接続し、ケース回路は、第１のコンタクトを介してポータブル聴取デバイスに命令を送信することで、ポータブル聴取デバイス内の無線通信機をオンにできる。デバイス検出器は、ポータブル聴取デバイスがキャビティ内に受容された場合を検出するように構成でき、回路は、ポータブル聴取デバイスがキャビティに受容されたことをデバイス検出器が検出しない場合、ポータブル聴取デバイスに命令を送信しないように構成できる。様々な例では、蓋センサはホール効果センサであってもよく、電気コネクタは、ケースが、聴取デバイス内の充電式バッテリを充電可能にする電気接続を提供することもでき、及び／又はポータブル聴取デバイスは一対のヘッドホンであってもよい。
【０２１６】
いくつかの実施形態では、無線通信機を有するポータブル聴取デバイス用のケースは、ポータブル聴取デバイスを受容するように構成されたキャビティを有するハウジングと、ハウジングに取り付けられ、ポータブル聴取デバイスをケース内に隠す閉鎖位置と、ハウジングから変位させ、ユーザがポータブル聴取デバイスをケースから取り出し可能な開放位置との間で動作可能な蓋と、ポータブル聴取デバイスをキャビティ内に配置した場合を検出するように構成されたデバイス検出器と、蓋が閉鎖位置にあるか開放位置にあるかを検出する蓋センサと、開放位置から閉鎖位置に蓋を移動させたことを蓋センサが検出したとき、無線通信機をオフにするように構成された回路とを含む。蓋が開放位置から閉鎖位置に移動したとき、蓋センサは閉信号を生成でき、回路は、閉信号に応じて、無線通信機をオフにするように構成できる。いくつかの例では、ケースは更に、キャビティに配置した第１のコンタクトを有する電気コネクタを含み、ポータブル聴取デバイスをキャビティに配置したとき、ポータブル聴取デバイス上の第２のコンタクトに電気的に接続し、ケース回路は、第１のコンタクトを介してポータブル聴取デバイスに命令を送信することで、ポータブル聴取デバイス内の無線通信機をオフにできる。
【０２１７】
いくつかの実施形態では、一対のイヤホン用のケースは、一対のイヤホンの第１のイヤホンを受容するように構成された第１のキャビティ、及び一対のイヤホンの第２のイヤホンを受容するように構成された第２のキャビティを有するハウジングと、ハウジングに取り付けられ、ケース内にイヤホンを隠す閉鎖位置と、ユーザがケースからイヤホンを取り出し可能な開放位置との間で動作可能な蓋と、蓋が閉鎖位置にあるか開放位置にあるかを検出する蓋センサと、ケースバッテリと、各イヤホン内のイヤホンバッテリを充電するように構成された回路と、閉鎖位置から開放位置に蓋を移動させたことを蓋センサが検出したとき、イヤホンの無線通信機をオンにし、開放位置から閉鎖位置に蓋を移動させたことを蓋センサが検出したとき、イヤホンの無線通信機をオフにするように構成された回路とを含むことができる。いくつかの実施形態では、蓋センサは、閉鎖位置から開放位置に蓋を移動させたとき開信号を生成でき、開放位置から閉鎖位置に蓋を移動させたとき閉信号を生成でき、ケース内に含まれる回路は、開信号に応じて無線通信機をオフにし、閉信号に応じて無線通信機をオフにするように構成できる。様々な実施形態では、ケースは更に、キャビティ内にポータブル聴取デバイスがいつ受容された場合を検出するデバイス検出器を含むことができ、ケース内の回路は、ポータブル聴取デバイスに、キャビティ内にポータブル聴取デバイスが受容されたことをデバイス検出器が検出したかどうかで無線通信機をオン又はオフにできる命令だけを送るように構成される。様々な例では、蓋センサはホール効果センサであってもよい。ケースは更に、第１又は第２のキャビティのいずれかにイヤホンを配置した場合を検出するように構成された１つ以上のイヤホン検出器を含むことができ、回路は、第１のキャビティ内に第１のイヤホンが受容されたことを１つ以上のイヤホン検出器が検出し、蓋センサが閉鎖位置の蓋を検出した場合、第１のイヤホンの無線通信機をオフにするように構成でき、第２のキャビティ内に第２のイヤホンが受容されたことを１つ以上のイヤホン検出器が検出し、蓋センサが閉鎖位置の蓋を検出した場合、第２のイヤホンの無線通信機をオフにするように構成できる。
音響インサート付きイヤホン
【０２１８】
本開示のいくつかの実施形態は、非閉鎖耳部を有するハウジングと、非閉鎖耳部に配置した指向性音声ポートと、駆動アセンブリであって、駆動アセンブリの前方に配置した前方容量、及び駆動アセンブリの後方に配置した後方容量を有するハウジング内に配置した駆動アセンブリと、駆動アセンブリの後方のハウジング内に配置され、ハウジングの内面に取り付けた音響インサートとを含むイヤホンに関し、音響インサートとハウジングは、ハウジング内の後方容量からマルチポートベントに経路指定された低音チャネルを構成し、低音ポートチャネルは、イヤホンの周波数応答を変更できる。音響インサートは、隆起した溶接領域によって画定した凹部を含むことができ、溶接領域は、ハウジングの内面に音響的に接合される。いくつかの例では、音響インサート内の凹部は、低音チャネルの３つの壁を形成し、ハウジングは低音チャネルの第４の壁を形成する。音響インサートは更に、前方容量をマルチポートベントに結合するアパーチャを含むことができ、低音チャネルとアパーチャはマルチポートチャンバに結合され、マルチポートチャンバはマルチポートベントを介して通気される。いくつかの例では、音響インサートは、レーザエネルギを吸収する炭素添加プラスチックから形成される。いくつかの例では、イヤホンハウジングは、二酸化チタン顔料を含有するアクリロニトリル・ブタジエン・スチレン（ＡＢＳ）から作製できる。音響インサートは、レーザ接合界面又は接着剤を介して、イヤホンハウジングの内面に取り付けられる。
【０２１９】
いくつかの実施形態では、イヤホンを形成する方法が提供される。方法は、内面及び外面を有するハウジングを形成することと、隆起した溶接領域によって画定した凹部を有するように音響インサートを形成することと、ハウジング内に音響インサートを挿入することとであって、隆起した溶接領域が、ハウジングの内面に対して配置されるようになる、ことと、ハウジングを介してレーザを導くことであって、音響インサートの隆起した溶接領域に衝突させ、ハウジングの内面に隆起した溶接領域を溶接する、ことと、を含むことができる。いくつかの例では、ハウジングは、レーザの波長に対して実質的に透明なプラスチックから形成でき、音響インサートは、レーザエネルギを吸収する炭素添加プラスチックから形成できる。
【０２２０】
いくつかの実施形態によるイヤホンは、心棒に結合した耳部を有するハウジングと、耳部内に形成したキャビティと、キャビティに配置された駆動アセンブリであって、駆動アセンブリの前方に配置した前方容量、及び駆動アセンブリの後方に配置した後方容量を画定する、駆動アセンブリと、駆動アセンブリの後方のキャビティに配置され、ハウジングの内面に取り付けた音響インサートと、音響インサート及びハウジングによって形成され、後方容量からベントを介して外部環境に経路指定される低音チャネルとを含むことができる。音響インサートは、隆起した溶接領域によって画定した凹部を含むことができ、溶接領域は、ハウジングの内面に結合される。音響インサートは更に、前方容量を外部環境に結合するアパーチャを含むことができる。
イヤホンとケースの無線ペアリング
【０２２１】
いくつかの実施形態では、無線通信機を有する一対の無線イヤホン用のケースは、一対のイヤホンの第１のイヤホンを受容するように構成された第１のキャビティ、及び一対のイヤホンの第２のキャビティを受容するように構成された第２のキャビティとを有するハウジングと、ハウジングに取り付けられ、ケース内にイヤホンを隠す閉鎖位置と、ユーザがケースからイヤホンを取り出し可能な開放位置との間で動作可能な蓋と、第１及び第２のイヤホンの各々に結合するように構成され、第１のキャビティに配置した第１のコンタクト、及び第２のキャビティに配置した第２のコンタクトを有するコネクタと、閉鎖位置から開放位置に蓋を移動させたとき、検出信号を生成するように構成された蓋センサと、第１又は第２のコンタクトに結合し、検出信号に応じて、一対の無線イヤホンに１つ以上の信号を送り、無線通信機をオンにし、一対のイヤホンの電子デバイスへのペアリングを開始するように構成された回路とを含むことができる。回路は、コンピュータ読取り可能なメモリに動作可能なように結合したプロセッサを含み、メモリは、プロセッサによって実行可能な命令を記憶し、１つ以上の信号を送ることができる。コネクタは、一対の無線イヤホンの第１のイヤホン用の第１の電力コンタクトと、一対の無線イヤホンの第２のイヤホン用の第２の電力コンタクトを含むことができ、第１及び第２の電力コンタクトは各々、第１及び第２のイヤホンに各々電力及びデータの両方を送信するように構成できる。
【０２２２】
いくつかの実施形態では、無線通信機を含むポータブル聴取デバイス用のケースは、ポータブル聴取デバイス用の受容領域を有するハウジングと、ハウジングに取り付けられ、ケース内にポータブル聴取デバイスを隠す閉鎖位置と、ユーザが受容領域からポータブル聴取デバイスを取り出し可能な開放位置との間で動作可能な蓋と、受容領域に配置され、受容領域にポータブル聴取デバイスを受容したとき、１つ以上の電気コンタクトに電気的に接続する１つ以上のケース電気コンタクトを有する電気コネクタと、ユーザ生成動作に応じて信号を生成するように構成された入力デバイスと、入力デバイス及び電気コネクタに結合したプロセッサとを含むことができる。プロセッサは、入力デバイスから信号を受信するように構成され、それに応じて、電気コネクタを介して、ポータブル聴取デバイスに命令を送信し、ホスト電子デバイスへのポータブル聴取デバイスの無線ペアリングを開始できる。いくつかの例では、プロセッサは、電気コネクタを介して、ポータブル聴取デバイスと命令をやり取りするように更に構成され、ポータブル聴取デバイスに命令を送信する前に、入力デバイスからの信号の受信に応じてその無線通信機をオンにし、ホスト電子デバイスへのポータブル聴取デバイスの無線ペアリングを開始できる。
【０２２３】
様々な実施形態では、ポータブル聴取デバイスは、一対の無線イヤホン（第１及び第２のイヤホンを含む対）であってもよく、電気コネクタは、第１の無線イヤホンに電力を送る第１のコンタクトと、第２の無線イヤホンに電力を送る第２のコンタクトを含むことができる。ハウジング内に配置される回路は、第１及び第２のコンタクトを介して各々、ケースと第１及び第２の無線イヤホンの間でデータ信号を送るように構成され、第１及び第２のコンタクトは、イヤホンを充電するためにも用いられる。入力デバイスは、閉鎖位置から開放位置に蓋を移動させるユーザによってアクティブ化される蓋センサと、ケース上の押しボタンの一方又は両方を含むことができる。蓋センターと押しボタンなどの２つ以上の異なる入力デバイスが含まれるいくつかの例では、異なる入力デバイスは、プロセッサによって区別可能な異なる信号を生成でき、プロセッサによって異なるペアリング手順を開始するために用いられる。ケースは、ケース内の１つ以上のケース電気コンタクトに結合される充電式バッテリを更に含むことができ、ケース電気コンタクトは、第１及び第２のイヤホンに電荷を供給するように構成され、イヤホン内のバッテリを充電する。
【０２２４】
いくつかの実施形態では、第１の電子デバイスを第２の電子デバイスに無線でペアリングする方法が提供される。方法は、第１及び第２のデバイスとは異なる第３の電子デバイスにおいて、ユーザからの入力を受信することを含むことができる。入力の受信に応じて、第３の電子デバイスは、第３及び第１の電子デバイスの間の有線接続を介して、第１の電子デバイスにユーザ入力信号を通信できる。第１の電子デバイスのユーザ入力信号の受信に応じて、第１の電子デバイスは、無線ペアリング要求を一斉送信し、無線ペアリング要求の受信に応じて、第２の電子デバイスは第１のデバイスと無線ペアリングできる。いくつかの例では、第１の電子デバイスは無線ヘッドホンセットであってもよく、第２の電子デバイスは移動型電子デバイスであってもよく、第３の電子デバイスは、ポータブル聴取デバイス用のケースであってもよい。更に、第３の電子デバイスがポータブル聴取デバイス用のケースであるいくつかの実施形態では、ユーザからの入力はケースの蓋を開けることであってもよい。方法では、第３の電子デバイスと第１の電子デバイスの間の有線接続は、第１の電子デバイスを充電するために用いられるコネクタを含むことができる。更に、第１の電子デバイスによる信号の受信に応じて、第１の電子デバイスは、所定の信号強度で無線ペアリング要求を一斉送信でき、その強度は、通常の一斉送信電力の強度より小さく、要求を送る無線信号の信号強度が所定の閾値より大きい場合のみ、第２のデバイスは第１の電子デバイスから無線ペアリング要求を受信し、所定の閾値は、第１及び第２の電子デバイスの間の通常の無線通信に必要な最小信号強度より大きい。いくつかの実施形態では、第１の電子デバイスが無線ペアリング要求を一斉送信する前に、メモリをチェックし、既に他のデバイスと無線ペアリングされているかどうかを判別する。いくつかの実施形態では、第１の電子デバイスが他の電子デバイスと既にペアリングされている場合、第１の電子デバイスは、無線ペアリング要求を一斉送信しない。追加的に、いくつかの実施形態では、第３のデバイスの蓋が開かれた場合、第３のデバイスは第１のユーザ入力信号を送ることができ、第３のデバイス上のボタンが押された場合、第１の信号とは異なる第２のユーザ入力信号を送ることができる。
イヤホンのレセプタクルコネクタ付きイヤホンケース
【０２２５】
いくつかの実施形態では、一対のイヤホン用のケースが提供され、各イヤホンは耳部と心棒部を有し、電気コネクタは心棒部の遠位端に配置される。ケースは、ハウジングと、ハウジング内に配置され、第１及び第２のイヤホンを各々収容するようなサイズ及び形状にした第１及び第２のキャビティを有し、第１及び第２のキャビティが各々、キャビティ内にイヤホンを受容する受容開口部、及び受容開口部の反端側にコンタクト開口部を有するインサートと、インサートに取り付けたコンタクトアセンブリとを含むことができ、コンタクトアセンブリは、第１のキャビティ内に延びる第１の対の電気コンタクトと、第２のキャビティ内に延びる第２の対の電気コンタクトとを備え、第１及び第２の対の電気コンタクトは、コンタクト開口部を介して、第１及び第２のイヤホンの遠位端に各々配置した電気コネクタに電気的に接触するように構成される。インサートは、共に接合した第１及び第２の外殻を含み、第１の外殻は第１のキャビティを含み、第２の外殻は第２のキャビティを含むことができる。ケースは、コンタクトアセンブリの上部、並びに第１及び第２の外殻の各々の遠位端の周囲に付着した襟部を更に含むことができる。第１及び第２の対の電気コンタクトは各々、コンタクトキャリアによって配置される弓形部を有し、第１及び第２のイヤホンの遠位端に配置される電気コネクタに結合できる。コンタクトアセンブリは、弓形部の下に形成したキャビティを含むことができ、キャビティは、弓形部より低く延びる深さを有する。キャビティの深さは、キャビティの直径の半分より深く、キャビティは糸屑等の破片を捕捉できる。第１及び第２のキャビティ内に一対のイヤホンが受容されると、コンタクトの弓形部は外向きに撓むことができる。いくつかの実施形態では、コンタクトアセンブリは誘電体材料から形成され、コンタクトアセンブリとインサートの間に液密シールを形成できる。
【０２２６】
いくつかの実施形態では、イヤホン充電システム用の電気コネクタアセンブリが提供される。電気コネクタアセンブリは、耳部と心棒部を有するイヤホンを受容するように構成され、イヤホンコネクタは心棒部の遠位端に配置される。電気コネクタアセンブリは、心棒第１方向でイヤホンを受容する受容開口部、受容開口部と反対側の遠位端、及び受容開口部に開口する遠位端の近傍のコンタクト開口部を有する外殻と、誘電体材料から形成され、外殻の遠位端に結合され、外殻の遠位端を受容するようなサイズにしたキャビティ、及び一対のコンタクト受容スロットを有するコンタクトキャリアと、一対のコンタクト受容スロット内に配置した一対の可撓性の電気コンタクトと、を含むことができ、可撓性の電気コンタクトは各々、外殻のコンタクト開口部を介して延びるコンタクト部を有する。外殻の遠位端は、キャビティ内に配置され、コンタクトキャリアに付着できる。いくつかの実施形態では、外殻は、遠位端に配置した一対の隙間スロットを含むことができ、外殻の遠位端をキャビティ内に配置したとき、スロットを介して、一対の可撓性の電気コンタクトのコンタクト部を突出させる。電気コネクタアセンブリは、コンタクトキャリアの上部、及び外殻の周囲に付着した襟部を更に含むことができ、イヤホンが電気コネクタアセンブリによって受容されたとき、可撓性の電気コンタクトのコンタクト部は、イヤホンコネクタと干渉するように配置できる。いくつかの実施形態では、電気コネクタアセンブリは更に、第２の外殻、第２のコンタクトキャリア及び第２の対の可撓性の電気コンタクトを含むことができ、コネクタアセンブリは一対のイヤホンを受容できる。
【０２２７】
いくつかの実施形態では、一対のイヤホン用のケースが提供され、各イヤホンは、耳インターフェース部と心棒部を有し、電気コネクタは、心棒部の遠位端に配置される。ケースは、ハウジングと、ハウジング内に配置され、第１及び第２のイヤホンを各々収容するようなサイズ及び形状にした第１及び第２のイヤホン受容キャビティを有し、第１及び第２の受容キャビティの各々が、心棒第１方向で受容キャビティにイヤホンを受容する受容開口部、及び受容開口部の反端側に端部のコンタクト開口部を有するインサートと、誘電体材料から形成され、インサートに結合され、コンタクトインターフェース領域に配置される第１及び第２の対のコンタクト受容スロット、第１の対のコンタクト受容スロットの間に配置される破片を捕捉するように構成された破片凹部、及びコンタクトインターフェース領域より下に配置され、破片を捕捉するようなサイズ及び形状にした第２の破片凹部を有するコンタクトキャリアと、第１の対のコンタクト受容スロット内に配置され、各々が、コンタクトインターフェース領域の第１の受容キャビティ内に延びるコンタクト部を有する第１の対の可撓性の電気コンタクトと、第２の対のコンタクト受容スロット内に配置され、各々が、コンタクトインターフェース領域の第２の受容キャビティ内に延びるコンタクト部を有する第２の対の可撓性の電気コンタクトとを含むことができる。いくつかの例では、破片凹部は、第１の対のコンタクト受容スロットの間に配置される第１の破片凹部と、第２の対のコンタクト受容スロットの間に配置される第２の破片凹部とを含むことができる。第１及び第２のイヤホン受容キャビティは各々、イヤホンの心棒部を収容するようなサイズ及び形状にした細長いチューブ部と、耳インターフェース部を少なくとも部分的に収容するようなサイズ及び形状にしたより大きなイヤホン受容開口部とを含むことができる。可撓性の電気コンタクトの各々のコンタクト部は、湾曲形状を有することができる。
電子コンタクト付き無線イヤホン
【０２２８】
いくつかの実施形態では、無線イヤホンが提供され、無線イヤホンは、縦軸に位置合わせされ、第１及び第２の端部を含む心棒部を有するハウジングと、第１の端部の近傍で、縦軸からオフセットさせて駆動ユニット及び指向性音声ポートを有し、駆動ユニットが、指向性音声ポートから音声を発するように位置合わせされ、磁石、音声コイル及び振動板を備える、スピーカアセンブリと、ハウジング内に配置した充電式バッテリと、心棒部の第２の端部において外面に露出させ、充電式バッテリに電力を供給するように電気的に結合した第１及び第２の外部コンタクトとを含む。第２のコンタクトは、接地部に電気的に結合できる。
【０２２９】
いくつかの実施形態では、無線イヤホンは、第１のコンタクトに動作可能なように結合され、第１のコンタクトを介して無線イヤホンとデータをやり取りするように構成されたデータ通信回路を更に含む。第１及び第２の外部コンタクトは各々、部分的に環状の形状を有し、互いに対向して対称的な関係で配置し、それらの間に誘電体材料が配置される。いくつかの例では、第１及び第２の外部コンタクトの外周は、心棒部の外面と同一平面にある。いくつかの例では、第１及び第２の外部コンタクトは各々弓形の周辺コンタクト面を含む。いくつかの実施形態では、第１及び第２の電気コンタクトは、イヤホンの心棒部の第２の端部に配置されるマイクロホン用に、中心に音響アパーチャを有する円形の形状を形成する。いくつかの実施形態では、第１及び第２の電気コンタクトは各々円形の形状であり、第２の電気コンタクトは、第１の電気コンタクト内に同心円状に配置される。いくつかの例では、第１及び第２のコンタクトは各コンタクトの外面において二元金属合金層で終端させ、二元金属合金層はロジウムとルテニウムを含む。
【０２３０】
いくつかの実施形態では、無線イヤホンは、縦軸に位置合わせされ、第１及び第２の端部を含む心棒部を有するハウジングと、第１の端部の近傍で縦軸からオフセットさせて駆動ユニット及び指向性音声ポートを有し、駆動ユニットが、指向性音声ポートから音声を発するように位置合わせされ、磁石、音声コイル及び振動板を備える、スピーカアセンブリと、ハウジング内に配置した充電式バッテリと、心棒部の第２の端部において外面に配置され、充電式バッテリに電気的に結合した第１の半円形コンタクトと、心棒部の第２の端部において外面に配置した第２の半円形コンタクトとを含み、第１及び第２の部分的に環状のコンタクトが、互いに対向して対称的な関係で配置する。
【０２３１】
いくつかの実施形態では、無線イヤホンは、ハウジングと、ハウジング内に配置した充電式バッテリと、駆動ユニット及び指向性音声ポートを含み、駆動ユニットが、指向性音声ポートから音声を発するように位置合わせされ、磁石、音声コイル及び振動板を備える、スピーカアセンブリと、ハウジングの外面に露出させた複数のコンタクトとを含み、複数のコンタクトの各コンタクトが、各コンタクトの外面に二元合金めっき層を有する導電性ベース部を含み、二元合金めっき層がロジウムとルテニウムを含む。いくつかの例では、ロジウムの重量％は少なくとも８５％であり、残りがルテニウムである。複数のコンタクトは、ハウジングの外面に配置した外部コンタクトであってもよい。いくつかの例では、二元金属合金めっき層は、０．６５〜１．０μｍの厚さであり、複数のコンタクトは、導電性ベース部と二元金属合金めっき層の間に配置した少なくとも１つの中間層を含むことができる。
キャビティ内のイヤホンの磁気保持
【０２３２】
本開示のいくつかの実施形態は、１つ以上のイヤホン磁気コンポーネントを有するイヤホン用のケースに関する。ケースは、イヤホンを収容するようなサイズ及び形状にした受容キャビティと、ケース内に配置され、受容キャビティ内にイヤホンを、第２の受容キャビティ内に第２のイヤホンを磁気的に引き付け磁気的に固定するように配置及び構成された１つ以上のハウジング磁気コンポーネントと、受容キャビティを露出させる開放位置と、受容キャビティをカバーする閉鎖位置との間で動作可能な蓋とを含むことができる。ケースは、一対のイヤホンを格納するように構成され、受容キャビティは、一対のイヤホンの第１のイヤホンを収容するようなサイズ及び形状にした第１の受容キャビティと、一対のイヤホンの第２のイヤホンを収容するようなサイズ及び形状にした第２の受容キャビティとを含む。いくつかの実施形態では、１つ以上のハウジング磁気コンポーネントは、第１の受容キャビティの周りに配置され、第１の受容キャビティ内に第１のイヤホンを磁気的に引き付け磁気的に保持するように構成された第１の複数の磁気コンポーネントと、第２の受容キャビティの周りに配置され、第２の受容キャビティ内に第２のイヤホンを磁気的に引き付け磁気的に保持するよう構成された第２の複数の磁気コンポーネントとを含むことができる。
【０２３３】
いくつかの例では、第１の複数の磁気コンポーネントは、第１のイヤホンのスピーカ磁石を磁気的に引き付けるように配置及び構成された第１の磁気コンポーネントを含むことができ、第２の複数の磁気コンポーネントは、第２のイヤホンのスピーカ磁石を磁気的に引き付けるように配置及び構成された第２の磁気コンポーネントを含むことができる。他の例では、第１の複数の磁気コンポーネントは、第１のイヤホンの耳部に配置した磁気プレートを磁気的に引き付けるように配置及び構成された第１の磁気コンポーネントを含むことができ、第２の複数の磁気コンポーネントは、第２のイヤホンの耳部に配置した磁気プレートを磁気的に引き付けるように配置及び構成された第２の磁気コンポーネントを含むことができる。
【０２３４】
いくつかの例では、第１の複数の磁気コンポーネントは、第１の受容キャビティの一部の周りに配置した１つ以上の磁気コンポーネントを含むことができ、第１の受容キャビティは、第１のイヤホンの耳インターフェース部を収容し、第２の複数の磁気コンポーネントは、第２の受容キャビティの一部の周りに配置した１つ以上の磁気コンポーネントを含むことができ、第２の受容キャビティは、第２のイヤホンの耳インターフェース部を収容する。いくつかの例では、第１の複数の磁気コンポーネントは、第１のイヤホンのスピーカ磁石を引き付けるように構成された第１のハウジング磁気コンポーネントと、第１のイヤホンの耳部内に配置した磁気プレートを引き付けるように構成された第２のハウジング磁気コンポーネントとを含むことができ、第２の複数の磁気コンポーネントは、第２のイヤホンのスピーカ磁石を引き付けるように構成された第３のハウジング磁石部品と、第２のイヤホンの耳部内に配置した磁気プレートを引き付けるように構成された第４のハウジング磁気コンポーネントとを含むことができる。いくつかの例では、第１の複数の磁気コンポーネントは、第１のハルバッハアレイを形成する第１の組の磁気コンポーネントを含み、第１のイヤホンの引力を増大させ、第２の複数の磁気コンポーネントは、第２のハルバッハアレイを形成する第２の組の磁気コンポーネントを含み、第２のイヤホンの引力を増大させる。第１及び第２のハルバッハアレイは、第１及び第２のイヤホンをそれぞれのキャビティに引き付け、それらがユーザによって取り出されるまで、キャビティ内にそれらを磁気的に保持できる。
【０２３５】
いくつかの実施形態では、イヤホンは、ユーザの耳内に少なくとも部分的に適合するように形成したハウジングと、ハウジング内に形成した指向性音声ポートと、ハウジング内に配置され、第１の磁石を備える駆動ユニットを含み、駆動ユニットが、指向性音声ポートから音声を発するように位置合わせされる、スピーカアセンブリと、スピーカアセンブリとは別個で、ハウジング内に配置される磁気保持コンポーネントとを含む。ハウジングは、耳部と心棒部を有することができ、磁気保持コンポーネントはハウジング内に配置される。駆動ユニットは、振動板と音声コイルを含むことができ、第１の磁石は、音声コイルに動作可能なように結合され、電気信号に応じて振動板を移動させ、磁気保持コンポーネントは、音声コイルに動作可能なようには結合されない。
【０２３６】
いくつかの実施形態では、無線聴取システムが提供され、それは、一対の無線イヤホンと、一対の無線イヤホン用の格納ケースを含む。各無線イヤホンは、ユーザの耳内に少なくとも部分的に適合するように形成したハウジングと、ハウジング内に形成した指向性音声ポートと、ハウジング内に配置され、第１の磁石、振動板及び音声コイルを備える駆動ユニットを含み、第１の磁石が、音声コイルに動作可能なように結合され、電気信号に応じて振動板を移動させ、駆動ユニットが、指向性音声ポートから音声を発するように位置合わせされるスピーカアセンブリと、スピーカアセンブリとは別個で、ハウジング内に配置される磁気保持コンポーネントとを含む。いくつかの例では、磁気保持コンポーネントは、ハウジングの耳部内に配置され、いくつかの例では、それは、ハウジングに適合する形状の輪郭を備えた磁性材料のプレートを含む。格納ケースは、一対のイヤホンの第１のイヤホンを収容するようなサイズ及び形状にした第１の受容キャビティと、一対のイヤホンの第２のイヤホンを収容するようなサイズ及び形状にした第２の受容キャビティと、ケース内に配置され、第１の受容キャビティ内に第１のイヤホンを、第２の受容キャビティ内に第２のイヤホンを磁気的に引き付け磁気的に固定するように配置及び構成された複数のハウジング磁気コンポーネントと、第１及び第２の受容キャビティを露出させる開放位置と、第１及び第２の受容キャビティをカバーする閉鎖位置との間で動作可能な蓋とを含むことができる。複数のハウジング磁気コンポーネントは、第１のイヤホンのスピーカ磁石を磁気的に引き付けるように配置及び構成された第１の磁気コンポーネントと、第２のイヤホンのスピーカ磁石を磁気的に引き付けるように配置及び構成された第２の磁気コンポーネントとを含むことができる。複数のハウジング磁石部品は更に、第１のイヤホンの耳部に配置した磁気プレートを磁気的に引き付けるように配置及び構成された第３の磁気コンポーネントと、第２のイヤホンの耳部に配置した磁気プレートを磁気的に引き付けるように配置及び構成された第４の磁気コンポーネントとを含むことができる。複数のハウジング磁気コンポーネントは、各無線イヤホンを引き付け保持するように配置したハルバッハアレイを形成するように構成された複数の磁石を含むことができる。
ポータブルデバイスを充電するための誘導充電送信機付きケース
【０２３７】
いくつかの実施形態では、ポータブル聴取デバイス用のケースは、ポータブル聴取デバイスを受容するように構成された１つ以上のキャビティ、及び外部充電面を有するハウジングと、ハウジングに取り付けられ、１つ以上のキャビティ上に位置合わせされる閉鎖位置と、１つ以上のキャビティから変位させる開放位置との間で動作可能な蓋と、バッテリと、１つ以上のキャビティに配置したとき、ポータブル聴取デバイスを充電するように構成された第１の充電システムと、外部充電面に隣接するハウジング内に配置した送信コイルを含む第２の充電システムとを含み、送信コイルが、外部充電面に隣接するハウジングの外側に配置した電力受信コイルに電力を無線で送るように構成される。ケースは更に、共通軸上の送信コイルを受信コイルと位置合わせする位置合わせ特徴を含むことができる。様々な実施形態では、位置合わせ特徴は、ケース内の位置合わせ磁石であってもよく、この位置合わせ磁石は、ウェアラブル電子デバイスの嵌合する位位置合わせ磁石と磁気的に嵌合し、送信コイル内で中心を合わせ、及び／又は外部充電面内の凹特徴であってもよく、それは、ウェアラブル電子デバイスの底面に形成した凸特徴と嵌合する。ケース内の回路は、ポータブル聴取デバイスが１つ以上のキャビティ内にあるかどうか、及び電子デバイスが外部充電面に隣接配置されているかどうかを検出できる。回路は好ましくは、１つ以上のキャビティ内にポータブル聴取デバイスがあれば、電子デバイスが外部充電面に隣接配置されている間、電子デバイスの前のポータブル聴取デバイスを充電できる。いくつかの実施形態では、第１及び第２の充電システムは、ケースバッテリから電力を受信することができ、ケースコネクタから電力を受信することもできる。ケースは更に、ハウジング及び蓋内に配置した複数の磁気素子を含むことができ、それらは、閉鎖位置に蓋を固定し、蓋が開放位置から閉鎖位置に移動することを防止するようにする。複数の磁気素子は、互いに反発するように構成された第１の対の磁気素子と、互いに引き付けるように構成された第２の対の磁気素子とを含むことができる。
【０２３８】
いくつかの実施形態では、ポータブル聴取デバイスは、一対のイヤホン用のケースであってもよく、ハウジングは、第１及び第２のイヤホンを各々受容するように構成された第１及び第２のキャビティを含むことができ、第１の充電システムは、イヤホンを第１及び第２のキャビティに配置したとき、第１及び第２のイヤホンを充電するように構成できる。
【０２３９】
いくつかの実施形態では、一対のイヤホン用のケースは、外部充電面、並びに一対のイヤホンの第１及び第２のイヤホンを各々受容するように構成された第１及び第２のキャビティを有するハウジングと、第１及び第２のキャビティ上に位置合わせされる閉鎖位置と、第１及び第２のキャビティから変位させた開放位置との間で移動可能な蓋と、バッテリと、イヤホンを第１及び第２のキャビティに配置したとき、第１及び第２のイヤホンを充電するように構成された第１の充電システムと、外部充電面に隣接するハウジング内に配置した送信コイルを含む第２の充電システムとを含み、送信コイルは、外部充電面に隣接するハウジングの外側に配置した電子デバイスの電力受信コイルに電力を無線で送るように構成される。ケースは更に、受信コイルと送信コイルを位置合わせするように構成された位置合わせ磁石を含む。送信コイルは、時間的に変化する電磁束を生成し、受信コイル内に電流を誘導する電磁コイルであってもよい。様々な実施形態では、蓋はヒンジを介してハウジングに取り付けられ、及び／又は蓋はハウジングから分離可能であってもよい。
【０２４０】
いくつかの実施形態では、一対のイヤホン用のケースが提供される。各イヤホンは、耳インターフェース部、心棒、イヤホンバッテリ及び無線通信部を含むことができる。ケースは、一対のイヤホンの第１のイヤホンを受容するように構成された第１のキャビティと、一対のイヤホンの第２のイヤホンを受容するように構成された第２のキャビティとを含むハウジングと、一対のイヤホンをケース内に隠す閉鎖位置と、ケースから変位させ、ユーザがケース並びに第１及び第２の充電システムからイヤホンを取り出し可能な開放位置との間で動作可能な蓋とを含む。第１の充電システムは、ケースバッテリと、ハウジング内に配置され、無線電源から電力を無線で受信するように構成された無線電力受信コイルと、第１及び第２のイヤホンの各々に結合するように構成され、第２のコネクタが、第１のキャビティに配置した少なくともコンタクトと、第２のキャビティに配置した少なくとも１つのコンタクトとを有するコネクタと、ケースバッテリを充電するために動作可能なように結合され、無線電力受信コイル上で受信した無線電力から第１及び第２のイヤホンを充電する充電回路とを含むことができる。第２の充電システムは、ハウジング内に配置され、ケースに隣接配置した補助電子デバイスの電力受信コイルに電力を無線で送るように構成された送信コイルを含むことができる。ケースは、第１又は第２のキャビティのいずれかにイヤホンを配置した場合を検出するように構成されたイヤホン検出器を更に含むことができる。送信コイルは、ケースのハウジングの外面の一部である外部充電面に隣接配置され、ケースは更に、受信コイルと送信コイルを位置合わせするように構成された位置合わせ磁石を含むことができる。いくつかの実施形態では、補助電子デバイスはウェアラブル電子デバイスである。
防水レセプタクルコネクタ
【０２４１】
いくつかの実施形態では、電気レセプタクルコネクタが開示され、それは、受容面と背面の間を延びる電気絶縁ポリマーからなり、受容面の開口部と連通し、嵌合プラグコネクタのプラグ部を受容するキャビティを画定するハウジングと、背面に隣接配置したコンタクトスペーサと、ハウジングの背面とコンタクトアセンブリとの間に配置したガスケットと、各々がハウジング内に配置した先端、各コンタクトをコンタクトスペーサに固定するアンカー部、及び先端とアンカー部を接続するビーム部を有する複数のコンタクトと、ハウジングの外面の周りに配置した金属ブラケットとを含む。キャビティは、複数のコンタクトの各々と位置合わせするスロットを含み、金属ブラケットは、底部ブラケットに取り付けた上部ブラケットを含むことができ、ガスケットは、コンタクトアセンブリとハウジングの間に液密シールを形成でき、複数のコンタクトは各々、コンタクトアセンブリから外に延びる電気リードを含む。いくつかの実施形態では、電気レセプタクルコネクタは更に、コンタクトスペーサの一部と複数のコンタクトの各々アンカー部の周りに形成した誘電体オーバーモールドコンポーネントを含み、複数のコンタクトの各々に対して液密シールを形成できる。いくつかの実施形態では、接地ラッチが、誘電体オーバーモールドに含まれ、それに結合される。接地ラッチは、複数のコンタクトの両側に第１及び第２のばねアームを含むことができる。いくつかの実施形態では、複数のコンタクトは、単一の行に沿って互いに離間した８個のコンタクトからなる。
【０２４２】
いくつかの他の実施形態では、電気レセプタクルコネクタは、受容面と背面の間を延びる電気絶縁ポリマーからなり、受容面の前方開口部と連通し、嵌合するプラグコネクタのプラグ部を受容するキャビティを画定し、キャビティの一部を形成する複数のスロットを有するハウジングと、（ｉ）背面に隣接配置したコンタクトスペーサ、（ｉｉ）各々が、複数のスロットの１つを介してキャビティ内に延びる先端、コンタクトスペーサに結合したアンカー部、及びアンカー部に先端を接続するビーム部を有する複数のコンタクト、並びに（ｉｉｉ）複数のコンタクトの両側に第１及び第２のばねアームを有する接地ラッチを含むコンタクトアセンブリと、ハウジングの背面とコンタクトアセンブリとの間に配置したガスケットと、ハウジングの外面の周りに配置され、ハウジングにコンタクトアセンブリを固定するように形成した金属ブラケットとを含む。いくつかの実施形態では、電気レセプタクルコネクタは、オーバーモールド誘電体コンポーネントを更に含み、コンタクトアセンブリはスペーサを含み、オーバーモールド誘電体コンポーネントは、スペーサの一部の周りと、複数のコンタクトの各コンタクトのアンカー部の周りに形成される。オーバーモールド誘電体コンポーネントは、複数のコンタクトの各々に液密シールを形成する。いくつかの実施形態では、コンタクトアセンブリは、複数のコンタクトの両側に第１及び第２の保持特徴を有する接地ラッチを更に含み、オーバーモールド誘電体コンポーネントは、接地ラッチをコンタクトアセンブリに固定する。いくつかの例では、金属ブラケットは、底部ブラケットに取り付けた上部ブラケットを含み、複数のコンタクトは、コンタクトアセンブリから外に延びる電気リードを含む。いくつかの実施形態では、ガスケットは、コンタクトアセンブリとハウジングの間に液密シールを形成する。
【０２４３】
いくつかの実施形態では、電気レセプタクルコネクタは、受容面と背面の間を延びる電気絶縁ポリマーからなり、受容面の前方開口部と連通し、嵌合するプラグコネクタのプラグ部を受容するキャビティを画定し、キャビティの一部を形成する複数のスロットを有するハウジングと、（ｉ）背面に隣接配置したコンタクトスペーサ、ｉｉ）各々が、複数のスロットの１つを介してキャビティ内に延びる先端、コンタクトスペーサに結合したアンカー部、及びアンカー部に先端を接続するビーム部を有する複数のコンタクト、並びに（ｉｉｉ）複数のコンタクトの両側に第１及び第２のばねアームを有する接地ラッチを含むコンタクトアセンブリと、ハウジングの背面とコンタクトアセンブリとの間に配置したガスケットと、ハウジングの外面の周りに配置され、ハウジングにコンタクトアセンブリを固定するように形成した金属ブラケットとを含む。
容量性タッチセンサ付きイヤホン
【０２４４】
いくつかの実施形態は、イヤホンに関し、それは、イヤホンの１つ以上の電気コンポーネントを収容するキャビティを画定し、ハウジングの外面における接触感知領域、及び外面と反対側のキャビティ内の内面を有するハウジングと、第１の面であって、第１の面の上に形成し、ハウジング内に配置され、ハウジングの内面に隣接させる金属回路を備えた第１の面を有する容量性センサインサートと、ハウジング内に配置したイヤホンプロセッサと、容量性センサインサートとイヤホンプロセッサを電気的に結合する少なくとも１つの導電体とを含む。容量性センサインサートは、ハウジングの形状に密に一致するように形成できる。いくつかの例では、金属回路は、少なくとも１つの自己容量センサを形成し、ユーザが接触したとき、検出可能な自己容量回路の負荷となる。他の例では、金属回路は、少なくとも１つの相互容量センサを形成する行及び列電極を含み、ユーザが接触したとき、行及び列電極の間の相互結合が変化し検出される。容量性センサインサートは、金属微粒子を含むプラスチックから形成される。様々な実施形態では、容量性センサインサートは、それを介して音声を通過させることができる１つ以上の音響アパーチャを含むことができ、金属回路は少なくとも部分的に１つ以上の音響アパーチャを取り囲むことができ、及び／又は容量性センサインサートは、イヤホンがユーザの耳にある場合を検出し、及び／又はイヤホンハウジングの外面に対するユーザの接触を検出するように構成できる。
【０２４５】
いくつかの実施形態では、イヤホンは、イヤホンの１つ以上の部品を収容する密閉キャビティを画定し、イヤホンハウジングが、ハウジングの外部湾曲面における接触感知領域、及び外部湾曲面の反端側に密閉キャビティ内の内部湾曲面を有するイヤホンハウジングと、ハウジング内に形成した指向性音声ポートと、密閉キャビティに配置され、磁石を備える駆動ユニットを含み、駆動ユニットが、指向性音声ポートから音声を発するように位置合わせされるスピーカアセンブリと、接触感知領域上へのユーザの接触を検出するように構成され、密閉キャビティに配置したセンサインサート、及び指向性音声ポートに位置合わせした１つ以上の音響アパーチャを含み、センサインサートが、内部湾曲面に隣接し、それに一致する輪郭を備えた第１の面を有し、第１の面が、その上に形成され、音響アパーチャを少なくとも部分的に取り囲む金属回路を含む容量性センサと、容量性センサに結合し、密閉キャビティに配置されるプロセッサとを含む。いくつかの実施形態では、第１の面は、ハウジングの輪郭に密に一致するような輪郭を備える。様々な実施形態では、金属回路は少なくとも１つの自己容量センサを形成してもよく、及び／又は金属回路は少なくとも１つの相互容量センサを形成してもよい。いくつかの例では、金属回路は複数の行及び列電極を含むことができ、容量センサは、行及び列電極の間の相互結合が変更されたかどうかについて、行及び列電極を連続的に走査するように構成できる。
【０２４６】
いくつかの実施形態に従って、イヤホンは、イヤホンの１つ以上の電気コンポーネントを収容したキャビティを画定し、イヤホンハウジングが、ハウジングの外面における接触感知領域、及び外面と反対側のキャビティ内の内面を有するハウジングと、ハウジング内に形成した指向性音声ポートと、ハウジング内に配置され、磁石を備え、指向性音声ポートから音声を発するように位置合わせした駆動ユニットを含むスピーカアセンブリと、接触感知領域上へのユーザの接触を検出でき、その上に金属回路を形成し、ハウジング内に配置した第１の面を有するセンサインサートを備え、第１の面をハウジングの内面に隣接させる容量性センサと、容量性センサに結合し、キャビティ内に配置したプロセッサとを含む。
ねじりばねオーバーセンター機構付きケース
【０２４７】
いくつかの実施形態では、聴取デバイス用のケースは、聴取デバイスを受容するためのキャビティを有するハウジングと、枢動可能な接合部を介してハウジングに取り付けられ、キャビティ上に位置合わせされる閉鎖位置と、角変位され、キャビティから聴取デバイスを取り出し可能な開放位置との間で回転可能な蓋と、蓋に取り付けられ、蓋から枢動可能な接合部の反対側に配置される延長部を含み、延長部がアームに接触し、蓋がオーバーセンター位置を超えて移動するまで、蓋が開放位置から閉鎖位置に移動しないようにし、その後蓋を閉鎖位置に付勢する、蓋用のオーバーセンター機構を含む。アームは、ばねによってそれに加えられる力を有することができ、ばねはそれを延長部に接触させる。ばねは、ねじりばねであってもよい。アームは、アーム回動部に取り付けた第１の端部と、第１の端部の反端側に第２の端部とを含むことができる。アームは、互いに反対側に配置され、第１及び第２の端部の間を延びる第１及び第２の面を含むことができ、蓋を開放位置から閉鎖位置に変位させる際、延長部は第１の面とスライド接触するように配置される。延長部は更に、蓋がオーバーセンター位置にあるとき、第１の面と直交するように方向付けされ、延長部は、開放位置及び閉鎖位置の間で蓋が変位する際、アームの第１の面とスライド接触する円形の接触端部を含むことができる。
【０２４８】
いくつかの実施形態では、電子デバイス用のケースは、電子デバイスを受容するキャビティ及び受容開口部を有し、受容開口部と連通するハウジングと、第１の枢動可能な接合部を介してハウジングに固定され、受容開口部を露出させる開放位置と、受容開口部をカバーする閉鎖位置との間で動作可能な蓋と、蓋用のばね装荷オーバーセンター機構とを含む。ばね装荷オーバーセンター機構は、蓋に結合し、遠位端に円形のコンタクト部を有する延長部と、第２の枢動可能な接合部によってハウジングに結合し、第２の枢動可能な接合部に取り付けた第１の端部と第１の端部の反端側に第２の端部との間を延び、第１及び第２の端部の間を延びる第１及び第２の面を有するアームと、第２の枢動可能な接合部の周りに形成し、アームにトルクを加え、アームを延長部の円形部に押し付けるねじりばねとを含む。ばね装荷オーバーセンター機構は、オーバーセンター位置を超えて蓋を移動させるまで、蓋が開放位置から閉鎖位置に回転しないようにし、その後、蓋を閉鎖位置に付勢する。延長部とアームは、蓋が開放位置とオーバーセンター位置の間にあるとき、第１の端部の近傍の第１の面の第１の部分に延長部をスライド接触させ、蓋がオーバーセンター位置にあるとき、第１の面と直交するように延長部の遠位端を方向付けし、蓋が閉鎖位置とオーバーセンター位置の間にあるとき、第２の端部の近傍の第１の面の第２の部分に延長部をスライド接触させるように構成できる。延長部は、遠位端に円形部を有することができ、円形部は、開放位置と閉鎖位置の間で蓋を変位させる際、アームとスライド接触する。ねじりばねは、ハウジングに取り付けたばね止めに対して事前に負荷を与えることができる。キャビティは、一対のイヤホンを受容するように形成でき、更に一対のイヤホンを充電するように構成された充電回路と、蓋が開放位置にあるか閉鎖位置かを検出するように構成されたセンサとを含むことができる。
【０２４９】
いくつかの実施形態では、一対のイヤホン用のケースは、一対のイヤホンの第１のイヤホンを受容するようなサイズ及び形状にした第１の受容キャビティ、並びに一対のイヤホンの第２のイヤホンを受容するようなサイズ及び形状にした第２の受容キャビティを有するハウジングと、第１の枢動可能な接合部を介して、ハウジングに固定し、第１及び第２のキャビティを露出させる開放位置と、第１及び第２のキャビティをカバーする閉鎖位置との間で動作可能な蓋と、蓋に結合し、オーバーセンター位置を超えて蓋を移動させるまで、開放位置から閉鎖位置に蓋が回転しないようにし、その後、蓋を閉鎖位置に付勢する、ばね装荷オーバーセンター機構と、第１のキャビティ内に第１のイヤホンを受容したとき、第１のイヤホンを充電し、第２のキャビティ内に第２のイヤホンを受容したとき第２のイヤホンを充電するように構成された充電回路とを含む。ばね装荷オーバーセンター機構は、（ｉ）蓋に結合し、遠位端に円形のコンタクト部を有する延長部と、（ｉｉ）第２の枢動可能な接合部によってハウジングに結合し、第２の枢動可能な接合に取り付けた第１の端部と第１の端部と反対側の第２の端部との間を延び、第１及び第２の端部の間を延びる第１及び第２の面を有するアームと、（ｉｉｉ）第２の枢動可能な接合部の周りに形成し、アームにトルクを加え、延長部の円形部にアームを押し付けるねじりばねとを含むことができる。ねじりばねは、ハウジングに取り付けたばね止めに対して事前に負荷を与えることができる。
【０２５０】
本明細書で開示された実施形態及び実施例は、本発明の原理及びその用途を最もよく説明するために選択して説明され、それによって、当業者は、想定される特定の用途に適合するように、様々な実施形態で、様々な修正と共に本発明の最もよく利用できる。したがって、当然のことながら、本開示は、上記の実施形態及び実施例の範囲内の全ての修正及び均等物、並びに以降の請求項の範囲内の全ての修正及び均等物をカバーするものとする。
【図１】
2018110417.tif 000003
【図２】
2018110417.tif 000004
【図３】
2018110417.tif 000005
【図４Ａ】
2018110417.tif 000006
【図４Ｂ】
2018110417.tif 000007
【図５Ａ】
2018110417.tif 000008
【図５Ｂ】
2018110417.tif 000009
【図６Ａ】
2018110417.tif 000010
【図６Ｂ】
2018110417.tif 000011
【図６Ｃ】
2018110417.tif 000012
【図６Ｄ】
2018110417.tif 000013
【図７Ａ】
2018110417.tif 000014
【図７Ｂ】
2018110417.tif 000015
【図８Ａ】
2018110417.tif 000016
【図８Ｂ】
2018110417.tif 000017
【図８Ｃ】
2018110417.tif 000018
【図９Ａ】
2018110417.tif 000019
【図９Ｂ】
2018110417.tif 000020
【図１０】
2018110417.tif 000021
【図１１】
2018110417.tif 000022
【図１２】
2018110417.tif 000023
【図１３】
2018110417.tif 000024
【図１４】
2018110417.tif 000025
【図１５】
2018110417.tif 000026
【図１６】
2018110417.tif 000027
【図１７】
2018110417.tif 000028
【図１８】
2018110417.tif 000029
【図１９】
2018110417.tif 000030
【図２０】
2018110417.tif 000031
【図２１】
2018110417.tif 000032
【図２２Ａ】
2018110417.tif 000033
【図２２Ｂ】
2018110417.tif 000034
【図２２Ｃ】
2018110417.tif 000035
【図２２Ｄ】
2018110417.tif 000036
【図２３】
2018110417.tif 000037
【図２４】
2018110417.tif 000038
【図２５】
2018110417.tif 000039
【図２６】
2018110417.tif 000040
【図２７】
2018110417.tif 000041
【図２８】
2018110417.tif 000042
【図２９】
2018110417.tif 000043
【図３０】
2018110417.tif 000044
【図３１】
2018110417.tif 000045
【図３２】
2018110417.tif 000046
【図３３】
2018110417.tif 000047
【図３４】
2018110417.tif 000048
【図３５】
2018110417.tif 000049
【図３６】
2018110417.tif 000050
【図３７】
2018110417.tif 000051
【図３８】
2018110417.tif 000052
【図３９】
2018110417.tif 000053
【図４０】
2018110417.tif 000054
【図４１】
2018110417.tif 000055
【図４２】
2018110417.tif 000056
【図４３】
2018110417.tif 000057
【図４４】
2018110417.tif 000058
【図４５Ａ】
2018110417.tif 000059
【図４５Ｂ】
2018110417.tif 000060
【図４６】
2018110417.tif 000061
【図４７】
2018110417.tif 000062
【図４８】
2018110417.tif 000063
【図４９】
2018110417.tif 000064
【図５０】
2018110417.tif 000065
【図５１】
2018110417.tif 000066
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
無線通信機を含むポータブル聴取デバイス用のケースであって、
前記ポータブル聴取デバイスの受容領域を有するハウジングと、
前記ハウジングに取り付けられ、前記ポータブル聴取デバイスが前記受容領域に配置されたときに前記ポータブル聴取デバイスを覆う閉鎖位置と、ユーザが前記受容領域から前記ポータブル聴取デバイスを取り出し可能な開放位置との間で動作可能な蓋と、
前記ケースとのユーザの相互作用を検出し、前記検出されたユーザの相互作用に応じて信号を生成するように構成された回路を含む入力デバイスと、
前記入力デバイスに結合したプロセッサであって、前記生成された信号に応じて、前記ポータブル聴取デバイスに命令を送信し、ホスト電子デバイスへの前記ポータブル聴取デバイスの無線ペアリングを開始するように構成された、プロセッサと、
を備えるケース。
【請求項２】
前記ユーザの相互作用は、ユーザが前記蓋を前記閉鎖位置から前記開放位置に移動させることである、請求項１に記載のケース。
【請求項３】
前記命令は、前記ポータブル聴取デバイスを前記蓋に結合する電気コネクタを介して前記ポータブル聴取デバイスに送信される、請求項１に記載のケース。
【請求項４】
前記電気コネクタは、前記ケースの前記受容領域に配置され、前記ポータブル聴取デバイスは、前記ケースの前記受容領域内に配置されたときに前記電気コネクタに結合する、請求項３に記載のケース。
【請求項５】
前記命令は、無線通信を使用して前記ポータブル聴取デバイスに送信される、請求項１に記載のケース。
【請求項６】
前記ユーザの相互作用は、ユーザがボタンを押すことである、請求項１に記載のケース。
【請求項７】
前記ホスト電子デバイスへの前記ポータブル聴取デバイスの前記無線ペアリングは、前記ポータブル聴取デバイスが前記命令を受信したことに応じて自動的に実行される、請求項１に記載のケース。
【請求項８】
前記命令を送信した後にユーザからの入力を必要とせずに自動ペアリングを可能にする、複数のホスト電子デバイスの接続履歴を記憶するメモリをさらに備える、請求項１に記載のケース。
【請求項９】
前記メモリは、１つ以上のＢｌｕｅｔｏｏｔｈリンクキーを記憶する、請求項８に記載のケース。
【請求項１０】
ポータブル聴取デバイス用のケースであって、
前記ポータブル聴取デバイスの受容領域を有するハウジングと、
前記ハウジングに取り付けられ、前記ポータブル聴取デバイスが前記受容領域に配置されたときに前記ポータブル聴取デバイスを覆う閉鎖位置と、ユーザが前記受容領域から前記ポータブル聴取デバイスを取り出し可能な開放位置との間で動作可能な蓋と、
前記蓋が前記閉鎖位置から前記開放位置に移動したときに信号を生成するように構成された蓋センサと、
前記蓋センサに結合したプロセッサであって、前記生成された信号に応じて、前記ポータブル聴取デバイスに命令を送信し、ホスト電子デバイスへの前記ポータブル聴取デバイスの無線ペアリングを開始するように構成された、プロセッサと、
を備えるケース。
【請求項１１】
前記命令は、前記ポータブル聴取デバイスを前記蓋に結合する電気コネクタを介して前記ポータブル聴取デバイスに送信される、請求項１０に記載のケース。
【請求項１２】
前記電気コネクタは、前記ケースの前記受容領域に配置され、前記ポータブル聴取デバイスは、前記ケースの前記受容領域内に配置されたときに前記電気コネクタに結合する、請求項１１に記載のケース。
【請求項１３】
前記命令は、無線通信を使用して前記ポータブル聴取デバイスに送信される、請求項１０に記載のケース。
【請求項１４】
前記ケースは、ユーザが押すことができる、前記プロセッサに結合されたボタンを含む、請求項１０に記載のケース。
【請求項１５】
前記ホスト電子デバイスへの前記ポータブル聴取デバイスの前記無線ペアリングは、前記ポータブル聴取デバイスが前記命令を受信したことに応じて自動的に実行される、請求項１０に記載のケース。
【請求項１６】
前記命令を送信した後にユーザからの入力を必要とせずに自動ペアリングを可能にする、複数のホスト電子デバイスの接続履歴を記憶するメモリをさらに備える、請求項１０に記載のケース。
【請求項１７】
前記メモリは、１つ以上のＢｌｕｅｔｏｏｔｈリンクキーを記憶する、請求項１６に記載のケース。
【請求項１８】
前記プロセッサは、前記生成された信号を検出すると、最初に前記ポータブル聴取デバイスが以前にペアリングされたことがないと判定し、これに応じて前記ポータブル聴取デバイスへの前記命令を送信して無線ペアリングを開始する、請求項１０に記載のケース。
【請求項１９】
前記プロセッサは、前記生成された信号に応じて、最初に前記ポータブル聴取デバイスが以前にペアリングされたことがないと判定し、これに応じて前記ポータブル聴取デバイスへの前記命令を送信して無線ペアリングを開始する、請求項１に記載のケース。
【外国語明細書】
2018110417000001.pdf